(57)【特許請求の範囲】
【請求項１】
リセット中央サーバであって、前記リセット中央サーバは、ユーザ機器へのサービングを提供するサービングゲートウェイとは異なり、
データゲートウェイにより送信される第１のメッセージを受信するように構成された第１の受信ユニットであって、前記第１のメッセージは、ユーザ機器の第１の識別情報を備える、第１の受信ユニットと、
あらかじめ前記リセット中央サーバに格納されている、ユーザ機器の第１の識別情報と、モビリティ管理ネットワーク要素の識別子とが関連付けられた情報を検索して、前記第１の受信ユニットによって受信された前記ユーザ機器の前記第１の識別情報に関連付けられているモビリティ管理ネットワーク要素の識別子を決定するように構成された決定ユニットと、
第２のメッセージを、前記モビリティ管理ネットワーク要素の前記識別子に対応する前記モビリティ管理ネットワーク要素に送信するように構成された送信ユニットであって、前記第２のメッセージは、ユーザ機器の識別子を備え、その結果、前記モビリティ管理ネットワーク要素が、前記ユーザ機器のパケットデータネットワーク（ＰＤＮ）接続を、前記第２のメッセージに従って再確立する、送信ユニットと
を備えることを特徴とするリセット中央サーバ。
【請求項２】
前記第１の識別情報は、前記ユーザ機器のインターネットプロトコル（ＩＰ）アドレス、または、前記ユーザ機器の前記識別子を備え、前記リセット中央サーバは、
前記データゲートウェイにより送信され、前記ユーザ機器に関する情報を登録するために使用される、第１の登録メッセージを受信するように構成された第２の受信ユニットであって、前記第１の登録メッセージは、前記ユーザ機器の前記ＩＰアドレス、および、前記ユーザ機器の前記識別子を備える、第２の受信ユニットと、
前記モビリティ管理ネットワーク要素により送信され、前記ユーザ機器に関する情報を登録するために使用される、第２の登録メッセージを受信するように構成された第３の受信ユニットであって、前記第２の登録メッセージは、前記モビリティ管理ネットワーク要素の前記識別子、および、前記ユーザ機器の前記識別子を備える、第３の受信ユニットと、
前記第１の登録メッセージに備えられる前記ユーザ機器の前記ＩＰアドレス、および、前記ユーザ機器の前記識別子を、前記第２の登録メッセージに備えられる前記モビリティ管理ネットワーク要素の前記識別子に、前記第１および第２の登録メッセージに備えられる前記ユーザ機器の前記識別子によって関連付けるように構成された関連付けユニットと
をさらに備え、
前記関連付けユニットによって関連付けられた、前記ユーザ機器の前記ＩＰアドレスおよび前記ユーザ機器の前記識別子と、前記モビリティ管理ネットワーク要素の前記識別子と、を含む情報が、前記決定ユニットによって前記検索される、ことを特徴とする請求項１に記載のリセット中央サーバ。
【請求項３】
前記第１の登録メッセージは、前記ＰＤＮ接続に対応するアクセスポイント名（ＡＰＮ）をさらに備え、
前記第２のメッセージは、前記ＡＰＮをさらに備え、その結果、前記モビリティ管理ネットワーク要素が、前記ＰＤＮ接続を、前記ユーザ機器の前記識別子、および前記ＡＰＮによって再確立することを特徴とする請求項２に記載のリセット中央サーバ。
【請求項４】
前記データゲートウェイがリセットされるとき、前記第１の識別情報は、前記ユーザ機器の前記ＩＰアドレスを備え、
前記決定ユニットは、前記ユーザ機器の前記ＩＰアドレスに従って、前記ユーザ機器の前記ＩＰアドレスに対応している、前記モビリティ管理ネットワーク要素の前記識別子、および、前記ユーザ機器の前記識別子を決定する
ことを特徴とする請求項２または３に記載のリセット中央サーバ。
【請求項５】
サービングゲートウェイがリセットされるとき、前記第１の識別情報は、前記ユーザ機器の前記識別子を備えることを特徴とする請求項２または３に記載のリセット中央サーバ。
【請求項６】
前記モビリティ管理ネットワーク要素の前記識別子は、前記モビリティ管理ネットワーク要素のＩＰアドレス、前記モビリティ管理ネットワーク要素のグローバル一意識別子、または、前記モビリティ管理ネットワーク要素の完全修飾ドメイン名（ＦＱＤＮ）の少なくとも１つを備え、前記ユーザ機器の前記識別子は、前記ユーザ機器の国際移動体加入者識別番号（ＩＭＳＩ）、移動局国際ＩＳＤＮ番号（ＭＳＩＳＤＮ）、または国際移動体装置識別番号（ＩＭＥＩ）の少なくとも１つを備える
ことを特徴とする請求項１から５のいずれか一項に記載のリセット中央サーバ。
【請求項７】
モビリティ管理ネットワーク要素であって、
ユーザ機器へのサービングを提供するサービングゲートウェイとは異なるリセット中央サーバにより送信される第２のメッセージを受信するように構成された受信ユニットであって、前記第２のメッセージは、ユーザ機器の識別子を備え、前記第２のメッセージは、前記モビリティ管理ネットワーク要素をトリガして、パケットデータネットワーク（ＰＤＮ）接続を再確立するために使用され、前記第２のメッセージは、前記リセット中央サーバが、データゲートウェイにより送信される第１のメッセージを受信した後に送信され、前記第１のメッセージは、前記ユーザ機器の第１の識別情報を備え、あらかじめ前記リセット中央サーバに格納されている、ユーザ機器の第１の識別情報と、モビリティ管理ネットワーク要素の識別子とが関連付けられた情報が検索されて、前記リセット中央サーバによって受信された前記ユーザ機器の前記第１の識別情報に関連付けられているモビリティ管理ネットワーク要素の識別子が決定され、前記モビリティ管理ネットワーク要素は、決定された当該モビリティ管理ネットワーク要素の識別子に対応する、受信ユニットと、
前記ＰＤＮ接続を、前記第２のメッセージに従って再確立するように構成された再確立ユニットと
を備えることを特徴とするモビリティ管理ネットワーク要素。
【請求項８】
前記第１の識別情報は、前記ユーザ機器のインターネットプロトコル（ＩＰ）アドレス、または、前記ユーザ機器の前記識別子を備え、前記モビリティ管理ネットワーク要素は、
前記リセット中央サーバに、前記ユーザ機器に関する情報を登録するために使用される第２の登録メッセージを送信するように構成された送信ユニットであって、前記第２の登録メッセージは、前記モビリティ管理ネットワーク要素の識別子、および、前記ユーザ機器の前記識別子を備え、前記第２の登録メッセージに備えられる前記モビリティ管理ネットワーク要素の識別子および前記ユーザ機器の前記識別子は、前記リセット中央サーバにおいて、前記ユーザ機器の前記第１の識別情報として、前記モビリティ管理ネットワーク要素の前記識別子と関連付けられて保持される、送信ユニット
をさらに備えることを特徴とする請求項７に記載のモビリティ管理ネットワーク要素。
【請求項９】
前記送信ユニットは、前記リセット中央サーバに、第１の選択ポリシーに従って、前記ユーザ機器に関する前記情報を登録するために使用される前記第２の登録メッセージを送信し、前記第１の選択ポリシーは、ＩＰマルチメディアサブシステム（ＩＭＳ）アクセスポイント名（ＡＰＮ）のＰＤＮ接続を確立するユーザ機器に関する情報を登録すること、または、ハイレベルユーザ機器ＶＩＰに関する情報を登録することを備える
ことを特徴とする請求項８に記載のモビリティ管理ネットワーク要素。
【請求項１０】
前記再確立ユニットは、第２の選択ポリシーに従って、再確立されることを必要とするＰＤＮ接続を決定し、前記第２の選択ポリシーは、前記ＩＭＳ  ＡＰＮの前記ＰＤＮ接続を復元すること、または、前記ユーザ機器のＰＤＮ接続を復元することを備える
ことを特徴とする請求項９に記載のモビリティ管理ネットワーク要素。
【請求項１１】
前記第２の登録メッセージは、前記ＰＤＮ接続に対応するアクセスポイント名ＡＰＮをさらに備え、対応は、前記ユーザ機器の前記ＩＰアドレス、および／または、前記ユーザ機器の前記識別子、前記ＡＰＮ、ならびに、前記モビリティ管理ネットワーク要素の前記識別子の間の対応を備え、
前記第２のメッセージは、前記ＡＰＮをさらに備え、
前記再確立ユニットは、前記ＰＤＮ接続を、前記ユーザ機器の前記識別子、および前記ＡＰＮによって再確立する
ことを特徴とする請求項９または１０に記載のモビリティ管理ネットワーク要素。
【請求項１２】
前記第２のメッセージは、リセット指示をさらに備え、前記リセット指示は、サービングゲートウェイはリセットされることを表すために使用され、
前記再確立ユニットは、前記サービングゲートウェイを再選択し、セッションセットアップ要求メッセージを、前記再選択されたサービングゲートウェイに送信し、前記セッションセットアップ要求メッセージは、前記ユーザ機器のＰＤＮ接続に関する情報を備え、前記ＰＤＮ接続は、前記ＰＤＮ接続が、前記再選択されたサービングゲートウェイ上で再確立されるように、復元されることを必要とするものであることを特徴とする請求項７から１１のいずれか一項に記載のモビリティ管理ネットワーク要素。
【請求項１３】
前記データゲートウェイおよびサービングゲートウェイは連帯的に配備され、前記ユーザ機器のすべてのＰＤＮ接続の一部のＰＤＮ接続は、リセットされたデータゲートウェイ上で確立され、
前記データゲートウェイがリセットされる場合、前記再確立ユニットは、サービングゲートウェイを再選択し、セッションセットアップ要求メッセージを、前記再選択されたサービングゲートウェイに送信し、前記セッションセットアップ要求メッセージは、リセットされない別のデータゲートウェイ上で前記ユーザ機器により確立されるＰＤＮ接続に関する情報を搬送し、その結果、前記再選択されたサービングゲートウェイが、リセットされない前記別のデータゲートウェイとのＰＤＮ接続を確立し、前記再選択されたサービングゲートウェイは、リセットおよび再開始されるサービングゲートウェイ、または別のサービングゲートウェイである
ことを特徴とする請求項７から１１のいずれか一項に記載のモビリティ管理ネットワーク要素。
【請求項１４】
前記データゲートウェイおよびサービングゲートウェイは連帯的に配備され、前記ユーザ機器のすべてのＰＤＮ接続の一部のＰＤＮ接続は、リセットされたデータゲートウェイ上で確立され、
前記データゲートウェイがリセットされる場合、前記再確立ユニットは、非アクティブ化要求メッセージを前記ユーザ機器に送信し、前記リセットされたデータゲートウェイ上の前記ＰＤＮ接続を削除し、その結果、前記ユーザ機器が前記ＰＤＮ接続を再確立する
ことを特徴とする請求項７から１１のいずれか一項に記載のモビリティ管理ネットワーク要素。
【請求項１５】
前記モビリティ管理ネットワーク要素はＭＭＥであり、前記データゲートウェイおよびサービングゲートウェイは連帯的に配備され、または、前記データゲートウェイおよびサービングゲートウェイは別々に配備され、前記ユーザ機器のすべてのＰＤＮ接続は、リセットされたデータゲートウェイ上で確立され、
前記データゲートウェイがリセットされる場合、前記再確立ユニットは、デタッチ要求メッセージを前記ユーザ機器に送信し、前記デタッチ要求メッセージは、再アタッチ要求の原因値を搬送し、その結果、前記ユーザ機器が、すべてのＰＤＮ接続を、前記デタッチ要求メッセージに従って削除し、アタッチ手続きを再起動することを特徴とする請求項７から１１のいずれか一項に記載のモビリティ管理ネットワーク要素。
【請求項１６】
前記モビリティ管理ネットワーク要素はＳＧＳＮであり、前記データゲートウェイおよびサービングゲートウェイは連帯的に配備され、または、前記データゲートウェイおよびサービングゲートウェイは別々に配備され、前記ユーザ機器のすべてのＰＤＮ接続は、リセットされたデータゲートウェイ上で確立され、
前記データゲートウェイがリセットされる場合、前記再確立ユニットは、ＰＤＰ非アクティブ化メッセージを前記ユーザ機器に送信し、前記ＰＤＰ非アクティブ化メッセージは、再アクティブ化要求の原因値を搬送し、その結果、前記ユーザ機器が、すべてのＰＤＰ接続を、前記ＰＤＰ非アクティブ化メッセージに従って削除し、アクティブ化ＰＤＰ要求を再起動することを特徴とする請求項７から１１のいずれか一項に記載のモビリティ管理ネットワーク要素。
【請求項１７】
前記データゲートウェイおよびサービングゲートウェイは別々に配備され、前記ユーザ機器のすべてのＰＤＮ接続の一部のＰＤＮ接続は、リセットされたデータゲートウェイ上で確立され、
前記データゲートウェイがリセットされる場合、前記再確立ユニットは、非アクティブ化要求メッセージを前記ユーザ機器に送信し、前記リセットされたデータゲートウェイ上の前記ＰＤＮ接続を削除し、その結果、前記ユーザ機器が前記ＰＤＮ接続を再確立することを特徴とする請求項７から１１のいずれか一項に記載のモビリティ管理ネットワーク要素。
【請求項１８】
データゲートウェイの識別情報、および、サービングゲートウェイの識別情報に従って、前記データゲートウェイおよび前記サービングゲートウェイは連帯的に配備されるかどうかを決定するように構成された決定ユニットであって、前記データゲートウェイの前記識別情報、および、前記サービングゲートウェイの前記識別情報は、前記データゲートウェイのＩＰアドレス、および、前記サービングゲートウェイのＩＰアドレス、ならびに／または、前記データゲートウェイの完全修飾ドメイン名、および、前記サービングゲートウェイの完全修飾ドメイン名を備える、決定ユニット
をさらに備えることを特徴とする請求項１２から１７のいずれか一項に記載のモビリティ管理ネットワーク要素。
【請求項１９】
前記ユーザ機器の前記識別子は、前記ユーザ機器の国際移動体加入者識別番号（ＩＭＳＩ）、移動局国際ＩＳＤＮ番号（ＭＳＩＳＤＮ）、または国際移動体装置識別番号（ＩＭＥＩ）の少なくとも１つを備え、
前記モビリティ管理ネットワーク要素の前記識別子は、前記モビリティ管理ネットワーク要素のＩＰアドレス、前記モビリティ管理ネットワーク要素のグローバル一意識別子、または、前記モビリティ管理ネットワーク要素の完全修飾ドメイン名（ＦＱＤＮ）の少なくとも１つを備える
ことを特徴とする請求項７から１８のいずれか一項に記載のモビリティ管理ネットワーク要素。
【請求項２０】
パケットデータネットワーク（ＰＤＮ）接続再確立方法であって、
ユーザ機器へのサービングを提供するサービングゲートウェイとは異なるリセット中央サーバにより、データゲートウェイにより送信される第１のメッセージを受信するステップであって、前記第１のメッセージは、ユーザ機器の第１の識別情報を備える、ステップと、
前記リセット中央サーバにより、あらかじめ前記リセット中央サーバに格納されている、前記ユーザ機器の第１の識別情報と、モビリティ管理ネットワーク要素の識別子とが関連付けられた情報を検索して、受信された前記第１のメッセージに備えられた前記ユーザ機器の前記第１の識別情報に関連付けられているモビリティ管理ネットワーク要素の識別子を決定するステップと、
前記リセット中央サーバにより、第２のメッセージを、前記モビリティ管理ネットワーク要素の前記識別子に対応する前記モビリティ管理ネットワーク要素に送信するステップであって、前記第２のメッセージは、ユーザ機器の識別子を備え、その結果、前記モビリティ管理ネットワーク要素が、前記ＰＤＮ接続を、前記第２のメッセージに従って再確立する、ステップと
を備えることを特徴とするパケットデータネットワークＰＤＮ接続再確立方法。
【請求項２１】
前記第１の識別情報は、前記ユーザ機器のインターネットプロトコル（ＩＰ）アドレス、または、前記ユーザ機器の前記識別子を備え、前記方法は、
前記リセット中央サーバにより、前記データゲートウェイにより送信され、前記ユーザ機器に関する情報を登録するために使用される、第１の登録メッセージを受信するステップであって、前記第１の登録メッセージは、前記ユーザ機器の前記ＩＰアドレス、および、前記ユーザ機器の前記識別子を備える、ステップと、
前記リセット中央サーバにより、前記モビリティ管理ネットワーク要素により送信され、前記ユーザ機器に関する情報を登録するために使用される、第２の登録メッセージを受信するステップであって、前記第２の登録メッセージは、前記モビリティ管理ネットワーク要素の前記識別子、および、前記ユーザ機器の前記識別子を備える、ステップと、
前記リセット中央サーバにより、前記第１の登録メッセージに備えられる前記ユーザ機器の前記ＩＰアドレス、および、前記ユーザ機器の前記識別子を、前記第２の登録メッセージに備えられる前記モビリティ管理ネットワーク要素の前記識別子に、前記第１および第２の登録メッセージに備えられる前記ユーザ機器の前記識別子によって関連付けるステップと
をさらに備え、
前記第１の識別情報に関連付けられている前記モビリティ管理ネットワーク要素の識別子を決定するステップにおいて、前記関連付けるステップにおいて関連付けられた、前記ユーザ機器の前記ＩＰアドレスおよび前記ユーザ機器の前記識別子と、前記モビリティ管理ネットワーク要素の前記識別子と、を含む情報が検索される、ことを特徴とする請求項２０に記載の方法。
【請求項２２】
前記第１の登録メッセージは、前記ＰＤＮ接続に対応するアクセスポイント名（ＡＰＮ）をさらに備え、
前記第２のメッセージは、前記ＡＰＮをさらに備え、その結果、前記モビリティ管理ネットワーク要素が、前記ＰＤＮ接続を、前記ユーザ機器の前記識別子、および前記ＡＰＮによって再確立することを特徴とする請求項２１に記載の方法。
【請求項２３】
前記データゲートウェイがリセットされるとき、前記第１の識別情報は、前記ユーザ機器の前記ＩＰアドレスを備え、
前記リセット中央サーバにより、前記第１の識別情報に従って、前記第１の識別情報に対応するモビリティ管理ネットワーク要素の識別子を決定する前記ステップは、
前記リセット中央サーバにより、前記ユーザ機器の前記ＩＰアドレスに従って、前記ユーザ機器の前記ＩＰアドレスに対応している、前記モビリティ管理ネットワーク要素の前記識別子、および、前記ユーザ機器の前記識別子を決定するステップ
を備える
ことを特徴とする請求項２１または２２に記載の方法。
【請求項２４】
サービングゲートウェイがリセットされるとき、前記第１の識別情報は、前記ユーザ機器の前記識別子を備えることを特徴とする請求項２１または２２に記載の方法。
【請求項２５】
前記モビリティ管理ネットワーク要素の前記識別子は、前記モビリティ管理ネットワーク要素のＩＰアドレス、前記モビリティ管理ネットワーク要素のグローバル一意識別子、または、前記モビリティ管理ネットワーク要素の完全修飾ドメイン名（ＦＱＤＮ）の少なくとも１つを備え、前記ユーザ機器の前記識別子は、前記ユーザ機器の国際移動体加入者識別番号（ＩＭＳＩ）、移動局国際ＩＳＤＮ番号（ＭＳＩＳＤＮ）、または国際移動体装置識別番号（ＩＭＥＩ）の少なくとも１つを備える
ことを特徴とする請求項２０から２４のいずれか一項に記載の方法。
【請求項２６】
ＰＤＮ接続再確立方法であって、
モビリティ管理ネットワーク要素により、ユーザ機器へのサービングを提供するサービングゲートウェイとは異なるリセット中央サーバにより送信される第２のメッセージを受信するステップであって、前記第２のメッセージは、ユーザ機器の識別子を備え、前記第２のメッセージは、前記モビリティ管理ネットワーク要素をトリガして、パケットデータネットワーク（ＰＤＮ）接続を再確立するために使用され、前記第２のメッセージは、前記リセット中央サーバが、データゲートウェイにより送信される第１のメッセージを受信した後に送信され、前記第１のメッセージは、前記ユーザ機器の第１の識別情報を備え、あらかじめ前記リセット中央サーバに格納されている、ユーザ機器の第１の識別情報と、モビリティ管理ネットワーク要素の識別子とが関連付けられた情報が検索されて、前記リセット中央サーバによって受信された前記ユーザ機器の前記第１の識別情報に関連付けられているモビリティ管理ネットワーク要素の識別子が決定され、前記モビリティ管理ネットワーク要素は、決定された当該モビリティ管理ネットワーク要素の識別子に対応する、ステップと、
前記モビリティ管理ネットワーク要素により、前記ＰＤＮ接続を、前記第２のメッセージに従って再確立するステップと
を備えることを特徴とするＰＤＮ接続再確立方法。
【請求項２７】
前記第１の識別情報は、前記ユーザ機器のインターネットプロトコルＩＰアドレス、または、前記ユーザ機器の前記識別子を備え、前記方法は、
前記モビリティ管理ネットワーク要素により、前記リセット中央サーバに、前記ユーザ機器に関する情報を登録するために使用される第２の登録メッセージを送信するステップであって、前記第２の登録メッセージは、前記モビリティ管理ネットワーク要素の識別子、および、前記ユーザ機器の前記識別子を備え、前記第２の登録メッセージに備えられる前記モビリティ管理ネットワーク要素の識別子および前記ユーザ機器の前記識別子は、前記リセット中央サーバにおいて、前記ユーザ機器の前記第１の識別情報として、前記モビリティ管理ネットワーク要素の前記識別子と関連付けられて保持される、ステップ
をさらに備えることを特徴とする請求項２６に記載の方法。
【請求項２８】
前記モビリティ管理ネットワーク要素により、前記リセット中央サーバに、前記ユーザ機器に関する情報を登録するために使用される第２の登録メッセージを送信する前記ステップは、
前記モビリティ管理ネットワーク要素により、前記リセット中央サーバに、第１の選択ポリシーに従って、前記ユーザ機器に関する前記情報を登録するために使用される前記第２の登録メッセージを送信するステップであって、前記第１の選択ポリシーは、ＩＰマルチメディアサブシステム（ＩＭＳ）アクセスポイント名（ＡＰＮ）のＰＤＮ接続を確立するユーザ機器に関する情報を登録すること、または、ハイレベルユーザ機器ＶＩＰに関する情報を登録することを備える、ステップ
を備えることを特徴とする請求項２７に記載の方法。
【請求項２９】
前記モビリティ管理ネットワーク要素により、前記ＰＤＮ接続を、前記第２のメッセージに従って再確立する前記ステップは、
前記モビリティ管理ネットワーク要素により、第２の選択ポリシーに従って、再確立されることを必要とするＰＤＮ接続を決定するステップであって、前記第２の選択ポリシーは、前記ＩＭＳ  ＡＰＮの前記ＰＤＮ接続を復元すること、または、ＶＩＰユーザのＰＤＮ接続を復元することを備える、ステップ
を備えることを特徴とする請求項２８に記載の方法。
【請求項３０】
前記第２のメッセージは、前記ＡＰＮをさらに備え、
前記モビリティ管理ネットワーク要素により、前記ＰＤＮ接続を、前記第２のメッセージに従って再確立する前記ステップは、
前記モビリティ管理ネットワーク要素により、前記ＰＤＮ接続を、前記ユーザ機器の前記識別子、および前記ＡＰＮによって再確立するステップ
を備える
ことを特徴とする請求項２８または２９に記載の方法。
【請求項３１】
前記第２のメッセージは、リセット指示をさらに備え、前記リセット指示は、サービングゲートウェイはリセットされることを表すために使用され、
前記モビリティ管理ネットワーク要素により、前記ＰＤＮ接続を、前記第２のメッセージに従って再確立する前記ステップは、
前記モビリティ管理ネットワーク要素により、サービングゲートウェイを再選択し、セッションセットアップ要求メッセージを、前記再選択されたサービングゲートウェイに送信するステップであって、前記セッションセットアップ要求メッセージは、前記ユーザ機器のＰＤＮ接続に関する情報を備え、前記ＰＤＮ接続は、前記ＰＤＮ接続が、前記再選択されたサービングゲートウェイ上で再確立されるように、復元されることを必要とするものである、ステップ
を備えることを特徴とする請求項２６から３０のいずれか一項に記載の方法。
【請求項３２】
前記データゲートウェイおよびサービングゲートウェイは連帯的に配備され、前記ユーザ機器のすべてのＰＤＮ接続の一部のＰＤＮ接続は、リセットされたデータゲートウェイ上で確立され、前記モビリティ管理ネットワーク要素により、前記第２のメッセージに従って、前記ユーザ機器に対応する前記ＰＤＮ接続を再確立する前記ステップは、
前記データゲートウェイがリセットされる場合、前記モビリティ管理ネットワーク要素により、サービングゲートウェイを再選択し、セッションセットアップ要求メッセージを、前記再選択されたサービングゲートウェイに送信するステップであって、前記セッションセットアップ要求メッセージは、リセットされない別のデータゲートウェイ上で前記ユーザ機器により確立されるＰＤＮ接続に関する情報を搬送し、その結果、前記再選択されたサービングゲートウェイが、リセットされない前記別のデータゲートウェイとのＰＤＮ接続を確立し、前記再選択されたサービングゲートウェイは、リセットおよび再開始されるサービングゲートウェイ、または別のサービングゲートウェイである、ステップ
を備える
ことを特徴とする請求項２６から３０のいずれか一項に記載の方法。
【請求項３３】
前記データゲートウェイおよびサービングゲートウェイは連帯的に配備され、前記ユーザ機器のすべてのＰＤＮ接続の一部のＰＤＮ接続は、リセットされたデータゲートウェイ上で確立され、前記モビリティ管理ネットワーク要素により、前記第２のメッセージに従って、前記ユーザ機器に対応する前記ＰＤＮ接続を再確立する前記ステップは、
前記データゲートウェイがリセットされる場合、前記モビリティ管理ネットワーク要素により、非アクティブ化要求メッセージを前記ユーザ機器に送信し、前記リセットされたデータゲートウェイ上の前記ＰＤＮ接続を削除し、その結果、前記ユーザ機器が前記ＰＤＮ接続を再確立するステップ
を備える
ことを特徴とする請求項２６から３０のいずれか一項に記載の方法。
【請求項３４】
前記モビリティ管理ネットワーク要素はＭＭＥであり、前記データゲートウェイおよびサービングゲートウェイは連帯的に配備され、または、前記データゲートウェイおよびサービングゲートウェイは別々に配備され、前記ユーザ機器のすべてのＰＤＮ接続は、リセットされたデータゲートウェイ上で確立され、前記モビリティ管理ネットワーク要素により、前記第２のメッセージに従って、前記ユーザ機器に対応する前記ＰＤＮ接続を再確立する前記ステップは、
前記データゲートウェイがリセットされる場合、前記モビリティ管理ネットワーク要素により、デタッチ要求メッセージを前記ユーザ機器に送信するステップであって、前記デタッチ要求メッセージは、再アタッチ要求の原因値を搬送し、その結果、前記ユーザ機器が、すべてのＰＤＮ接続を、前記デタッチ要求メッセージに従って削除し、アタッチ手続きを再起動するステップ
を備えることを特徴とする請求項２６から３０のいずれか一項に記載の方法。
【請求項３５】
前記モビリティ管理ネットワーク要素はＳＧＳＮであり、前記データゲートウェイおよびサービングゲートウェイは連帯的に配備され、または、前記データゲートウェイおよびサービングゲートウェイは別々に配備され、前記ユーザ機器のすべてのＰＤＮ接続は、リセットされたデータゲートウェイ上で確立され、前記モビリティ管理ネットワーク要素により、前記第２のメッセージに従って、前記ユーザ機器に対応する前記ＰＤＮ接続を再確立する前記ステップは、
前記データゲートウェイがリセットされる場合、前記モビリティ管理ネットワーク要素により、ＰＤＰ非アクティブ化メッセージを前記ユーザ機器に送信するステップであって、前記ＰＤＰ非アクティブ化メッセージは、再アクティブ化要求の原因値を搬送し、その結果、前記ユーザ機器が、すべてのＰＤＰ接続を、前記ＰＤＰ非アクティブ化メッセージに従って削除し、アクティブ化ＰＤＰ要求を再起動するステップ
を備えることを特徴とする請求項２６から３０のいずれか一項に記載の方法。
【請求項３６】
前記データゲートウェイおよびサービングゲートウェイは別々に配備され、前記ユーザ機器のすべてのＰＤＮ接続の一部のＰＤＮ接続は、リセットされたデータゲートウェイ上で確立され、前記モビリティ管理ネットワーク要素により、前記第２のメッセージに従って、前記ユーザ機器に対応する前記ＰＤＮ接続を再確立する前記ステップは、
前記データゲートウェイがリセットされる場合、前記モビリティ管理ネットワーク要素により、非アクティブ化要求メッセージを前記ユーザ機器に送信し、前記リセットされたデータゲートウェイ上の前記ＰＤＮ接続を削除し、その結果、前記ユーザ機器が前記ＰＤＮ接続を再確立するステップ
を備えることを特徴とする請求項２６から３０のいずれか一項に記載の方法。
【請求項３７】
前記モビリティ管理ネットワーク要素により、データゲートウェイの識別情報、および、サービングゲートウェイの識別情報に従って、前記データゲートウェイおよび前記サービングゲートウェイは連帯的に配備されるかどうかを決定するステップであって、前記データゲートウェイの前記識別情報、および、前記サービングゲートウェイの前記識別情報は、前記データゲートウェイのＩＰアドレス、および、前記サービングゲートウェイのＩＰアドレス、ならびに／または、前記データゲートウェイの完全修飾ドメイン名、および、前記サービングゲートウェイの完全修飾ドメイン名を備える、ステップ
をさらに備えることを特徴とする請求項３１から３６のいずれか一項に記載の方法。
【請求項３８】
前記ユーザ機器の前記識別子は、前記ユーザ機器の国際移動体加入者識別番号（ＩＭＳＩ）、移動局国際ＩＳＤＮ番号（ＭＳＩＳＤＮ）、または国際移動体装置識別番号（ＩＭＥＩ）の少なくとも１つを備え、
前記モビリティ管理ネットワーク要素の前記識別子は、前記モビリティ管理ネットワーク要素のＩＰアドレス、前記モビリティ管理ネットワーク要素のグローバル一意識別子、または、前記モビリティ管理ネットワーク要素の完全修飾ドメイン名（ＦＱＤＮ）の少なくとも１つを備える
ことを特徴とする請求項２６から３７のいずれか一項に記載の方法。
【発明の詳細な説明】
【技術分野】
【０００１】
本発明は、通信分野、特にＰＤＮ接続再確立方法、リセット中央サーバ、モビリティ管理ネットワーク要素、およびデータゲートウェイに関連している。
【背景技術】
【０００２】
次世代移動体通信ネットワークでは、ユーザ機器は、ローカル無線アクセスネットワークを使用してネットワークにアクセスする。モビリティ管理ネットワーク要素は、モバイルユーザ機器の位置管理、接続管理、セキュリティ認証、およびゲートウェイ選択などの機能を担当する。サービングゲートウェイは、ユーザ機器のローカルアクセスゲートウェイであり、アクセス技術に関連する接続管理およびデータ転送を担当する。データゲートウェイは、ユーザ機器が外部データネットワークにアクセスする際に経由するゲートウェイである。
【０００３】
ネットワークデバイス（サービングゲートウェイおよび／またはデータゲートウェイ）がリセットされた後に、リセットされたサービングゲートウェイ上のユーザ情報およびリセットされたデータゲートウェイ上のＰＤＮ（Ｐａｃｋｅｔ  Ｄａｔａ  Ｎｅｔｗｏｒｋ、パケットデータネットワーク）接続に関する情報が失われる。したがって、ユーザのダウンリンクデータパケットがリセットされたネットワークデバイスに到着した後に、リセットされたネットワークデバイスはデータパケットを破棄する。これは、特定のユーザおよびＰＤＮ接続に関する情報が検出されることができないためである。ダウンリンクデータパケットが、着呼音声電話などの比較的重要なサービスに対応する場合、ネットワークデバイスのリセットによって、着呼音声電話の失敗が発生することがある。そのため、ネットワーク上のユーザの満足度が減少され、ユーザエクスペリエンスが影響を受ける。
【発明の概要】
【０００４】
本発明の実施形態は、ネットワークデバイスのリセットによる影響を受けるＰＤＮ接続を再確立できる、ＰＤＮ接続再確立方法、リセット中央サーバ、モビリティ管理ネットワーク要素、およびデータゲートウェイを提供し、ユーザエクスペリエンスを改善する。
【０００５】
第１の態様によれば、リセット中央サーバであって、データゲートウェイにより送信される第１のメッセージを受信するように構成された第１の受信ユニットであって、第１のメッセージは、第１の識別情報を含む、第１の受信ユニットと、第１の識別情報に従って、第１の識別情報に対応するモビリティ管理ネットワーク要素の識別子を決定するように構成された決定ユニットと、第２のメッセージを、モビリティ管理ネットワーク要素の識別子に対応するモビリティ管理ネットワーク要素に送信するように構成された送信ユニットであって、第２のメッセージは、ユーザ機器の識別子を含み、その結果、モビリティ管理ネットワーク要素が、ユーザ機器のパケットデータネットワークＰＤＮ接続を、第２のメッセージに従って再確立する送信ユニットとを含むリセット中央サーバが提供される。
【０００６】
第１の態様への参照によって、第１の可能な実装形態様式では、第１の識別情報は、ユーザ機器のインターネットプロトコルＩＰアドレス、または、ユーザ機器の識別子を含み、リセット中央サーバは、データゲートウェイにより送信され、ユーザ機器に関する情報を登録するために使用される、第１の登録メッセージを受信するように構成された第２の受信ユニットであって、第１の登録メッセージは、ユーザ機器のインターネットプロトコルＩＰアドレス、および、ユーザ機器の識別子を含む、第２の受信ユニットと、モビリティ管理ネットワーク要素により送信され、ユーザ機器に関する情報を登録するために使用される、第２の登録メッセージを受信するように構成された第３の受信ユニットであって、第２の登録メッセージは、モビリティ管理ネットワーク要素の識別子、および、ユーザ機器の識別子を含む、第３の受信ユニットと、ユーザ機器のインターネットプロトコルＩＰアドレス、および、ユーザ機器の識別子を、モビリティ管理ネットワーク要素の識別子に、ユーザ機器の識別子によって関連付けるように構成された関連付けユニットとをさらに含む。
【０００７】
第１の可能な実装形態様式への参照によって、第２の可能な実装形態様式では、第１の登録メッセージは、ＰＤＮ接続に対応するアクセスポイント名ＡＰＮをさらに含み、第２のメッセージは、ＡＰＮをさらに含み、その結果、モビリティ管理ネットワーク要素が、ＰＤＮ接続を、ユーザ機器の識別子、およびＡＰＮによって再確立する。
【０００８】
第１または第２の可能な実装形態様式への参照によって、第３の可能な実装形態様式では、データゲートウェイがリセットされるとき、第１の識別情報は、ユーザ機器のＩＰアドレスを含み、決定ユニットは、ユーザ機器のＩＰアドレスに従って、ユーザ機器のＩＰアドレスに対応している、モビリティ管理ネットワーク要素の識別子、および、ユーザ機器の識別子を決定する。
【０００９】
第１または第２の可能な実装形態様式への参照によって、第４の可能な実装形態様式では、サービングゲートウェイがリセットされるとき、第１の識別情報は、ユーザ機器の識別子を含む。
【００１０】
第１の態様、または、第１から第４の可能な実装形態様式のいずれか１つへの参照によって、第５の可能な実装形態様式では、モビリティ管理ネットワーク要素の識別子は、モビリティ管理ネットワーク要素のＩＰアドレス、モビリティ管理ネットワーク要素のグローバル一意識別子、または、モビリティ管理ネットワーク要素の完全修飾ドメイン名ＦＱＤＮの少なくとも１つを含み、ユーザ機器の識別子は、ユーザ機器の国際移動体加入者識別番号ＩＭＳＩ、移動局国際ＩＳＤＮ番号ＭＳＩＳＤＮ、または国際移動体装置識別番号ＩＭＥＩの少なくとも１つを含む。
【００１１】
第２の態様によれば、モビリティ管理ネットワーク要素であって、リセット中央サーバにより送信される第２のメッセージを受信するように構成された受信ユニットであって、第２のメッセージは、ユーザ機器の識別子を含み、第２のメッセージは、モビリティ管理ネットワーク要素をトリガして、ＰＤＮ接続を再確立するために使用され、第２のメッセージは、リセット中央サーバが、データゲートウェイにより送信される第１のメッセージを受信した後に送信され、第１のメッセージは、ユーザ機器の第１の識別情報を含む、受信ユニットと、ＰＤＮ接続を、第２のメッセージに従って再確立するように構成された再確立ユニットとを含むモビリティ管理ネットワーク要素が提供される。
【００１２】
第２の態様への参照によって、第１の可能な実装形態様式では、第１の識別情報は、ユーザ機器のインターネットプロトコルＩＰアドレス、または、ユーザ機器の識別子を含み、モビリティ管理ネットワーク要素は、リセット中央サーバに、ユーザ機器に関する情報を登録するために使用される第２の登録メッセージを送信するように構成された送信ユニットであって、第２の登録メッセージは、モビリティ管理ネットワーク要素の識別子、および、ユーザ機器の識別子を含む、送信ユニットをさらに含む。
【００１３】
第１の可能な実装形態様式への参照によって、第２の可能な実装形態様式では、送信ユニットは、リセット中央サーバに、第１の選択ポリシーに従って、ユーザ機器に関する情報を登録するために使用される第２の登録メッセージを送信し、第１の選択ポリシーは、ＩＰマルチメディアサブシステムＩＭＳアクセスポイント名ＡＰＮのＰＤＮ接続を確立するユーザ機器に関する情報を登録すること、または、ハイレベルユーザ機器ＶＩＰに関する情報を登録することを含む。
【００１４】
第１または第２の可能な実装形態様式への参照によって、第３の可能な実装形態様式では、再確立ユニットは、第２の選択ポリシーに従って、再確立されることを必要とするＰＤＮ接続を決定し、第２の選択ポリシーは、ＩＭＳ  ＡＰＮのＰＤＮ接続を復元すること、または、ＶＩＰユーザのＰＤＮ接続を復元することを含む。
【００１５】
第１から第３の可能な実装形態様式のいずれか１つへの参照によって、第４の可能な実装形態様式では、第２の登録メッセージは、ＰＤＮ接続に対応するアクセスポイント名ＡＰＮをさらに含み、対応は、ユーザ機器のインターネットプロトコルＩＰアドレス、および／または、ユーザ機器の識別子、ＡＰＮ、ならびに、モビリティ管理ネットワーク要素の識別子の間の対応を含み、第２のメッセージは、ＡＰＮをさらに含み、再確立ユニットは、ＰＤＮ接続を、ユーザ機器の識別子、およびＡＰＮによって再確立する。
【００１６】
第２の態様、または、第１から第４の可能な実装形態様式のいずれか１つへの参照によって、第５の可能な実装形態様式では、第２のメッセージは、リセット指示をさらに含み、リセット指示は、サービングゲートウェイはリセットされることを表すために使用され、再確立ユニットは、サービングゲートウェイを再選択し、セッションセットアップ要求メッセージを、再選択されたサービングゲートウェイに送信し、セッションセットアップメッセージは、ユーザ機器のＰＤＮ接続に関する情報を含み、そのＰＤＮ接続は、ＰＤＮ接続が、再選択されたサービングゲートウェイ上で再確立されるように、復元されることを必要とするものである。
【００１７】
第２の態様、または、第１から第４の可能な実装形態様式のいずれか１つへの参照によって、第６の可能な実装形態様式では、データゲートウェイおよびサービングゲートウェイは連帯的に配備され、ユーザ機器のすべてのＰＤＮ接続の一部のＰＤＮ接続は、リセットされたデータゲートウェイ上で確立され、データゲートウェイがリセットされる場合、再確立ユニットは、サービングゲートウェイを再選択し、セッションセットアップ要求メッセージを、再選択されたサービングゲートウェイに送信し、セッションセットアップ要求メッセージは、リセットされない別のデータゲートウェイ上でユーザ機器により確立されるＰＤＮ接続に関する情報を搬送し、その結果、再選択されたサービングゲートウェイが、リセットされない別のデータゲートウェイとのＰＤＮ接続を確立し、再選択されたサービングゲートウェイは、リセットおよび再開始されるサービングゲートウェイ、または別のサービングゲートウェイである。
【００１８】
第２の態様、または、第１から第４の可能な実装形態様式のいずれか１つへの参照によって、第７の可能な実装形態様式では、データゲートウェイおよびサービングゲートウェイは連帯的に配備され、ユーザ機器のすべてのＰＤＮ接続の一部のＰＤＮ接続は、リセットされたデータゲートウェイ上で確立され、データゲートウェイがリセットされる場合、再確立ユニットは、非アクティブ化要求メッセージをユーザ機器に送信し、リセットされたデータゲートウェイ上のＰＤＮ接続を削除し、その結果、ユーザ機器がＰＤＮ接続を再確立する。
【００１９】
第２の態様、または、第１から第４の可能な実装形態様式のいずれか１つへの参照によって、第８の可能な実装形態様式では、モビリティ管理ネットワーク要素はＭＭＥであり、データゲートウェイおよびサービングゲートウェイは連帯的に配備され、または、データゲートウェイおよびサービングゲートウェイは別々に配備され、ユーザ機器のすべてのＰＤＮ接続は、リセットされたデータゲートウェイ上で確立され、データゲートウェイがリセットされる場合、再確立ユニットは、デタッチ要求メッセージをユーザ機器に送信し、デタッチ要求メッセージは、再アタッチ要求の原因値を搬送し、その結果、ユーザ機器が、すべてのＰＤＮ接続を、デタッチ要求メッセージに従って削除し、アタッチ手続きを再起動する。
【００２０】
第２の態様、または、第１から第４の可能な実装形態様式のいずれか１つへの参照によって、第９の可能な実装形態様式では、モビリティ管理ネットワーク要素はＳＧＳＮであり、データゲートウェイおよびサービングゲートウェイは連帯的に配備され、または、データゲートウェイおよびサービングゲートウェイは別々に配備され、ユーザ機器のすべてのＰＤＮ接続は、リセットされたデータゲートウェイ上で確立され、データゲートウェイがリセットされる場合、再確立ユニットは、ＰＤＰ非アクティブ化メッセージをユーザ機器に送信し、ＰＤＰ非アクティブ化メッセージは、再アクティブ化要求の原因値を搬送し、その結果、ユーザ機器が、すべてのＰＤＰ接続を、ＰＤＰ非アクティブ化メッセージに従って削除し、アクティブ化ＰＤＰ要求を再起動する。
【００２１】
第２の態様、または、第１から第４の可能な実装形態様式のいずれか１つへの参照によって、第１０の可能な実装形態様式では、データゲートウェイおよびサービングゲートウェイは別々に配備され、ユーザ機器のすべてのＰＤＮ接続の一部のＰＤＮ接続は、リセットされたデータゲートウェイ上で確立され、データゲートウェイがリセットされる場合、再確立ユニットは、非アクティブ化要求メッセージをユーザ機器に送信し、リセットされたデータゲートウェイ上のＰＤＮ接続を削除し、ユーザ機器がＰＤＮ接続を再確立する。
【００２２】
第２の態様の第５から第１０の可能な実装形態様式のいずれか１つへの参照によって、第１１の可能な実装形態様式では、モビリティ管理ネットワーク要素は、データゲートウェイの識別情報、および、サービングゲートウェイの識別情報に従って、データゲートウェイおよびサービングゲートウェイは連帯的に配備されるかどうかを決定するように構成された決定ユニットであって、データゲートウェイの識別情報、および、サービングゲートウェイの識別情報は、データゲートウェイのＩＰアドレス、および、サービングゲートウェイのＩＰアドレス、ならびに／または、データゲートウェイの完全修飾ドメイン名、および、サービングゲートウェイの完全修飾ドメイン名を含む、決定ユニットをさらに含む。
【００２３】
第２の態様、または、第１から第１１の可能な実装形態様式のいずれか１つへの参照によって、第１２の可能な実装形態様式では、ユーザ機器の識別子は、ユーザ機器の国際移動体加入者識別番号ＩＭＳＩ、移動局国際ＩＳＤＮ番号ＭＳＩＳＤＮ、または国際移動体装置識別番号ＩＭＥＩの少なくとも１つを含み、モビリティ管理ネットワーク要素の識別子は、モビリティ管理ネットワーク要素のＩＰアドレス、モビリティ管理ネットワーク要素のグローバル一意識別子、または、モビリティ管理ネットワーク要素の完全修飾ドメイン名ＦＱＤＮの少なくとも１つを含む。
【００２４】
第３の態様によれば、データゲートウェイであって、ダウンリンクデータパケットを受信するように構成された受信ユニットと、第１のメッセージをリセット中央サーバに送信するように構成された第１の送信ユニットであって、第１のメッセージは、ユーザ機器の第１の識別情報を含み、その結果、リセット中央サーバが、ＰＤＮ接続を、第１のメッセージに従って再確立する、第１の送信ユニットとを含むデータゲートウェイが提供される。
【００２５】
第３の態様への参照によって、第１の可能な実装形態様式では、データゲートウェイは、リセット中央サーバに、ユーザ機器に関する情報を登録するために使用される第１の登録メッセージを送信するように構成された第２の送信ユニットであって、第１の登録メッセージは、ユーザ機器のＩＰアドレス、および、ユーザ機器の識別子を含む、第２の送信ユニットをさらに含む。
【００２６】
第１の可能な実装形態様式への参照によって、第２の可能な実装形態様式では、第２の送信ユニットは、リセット中央サーバに、選択ポリシーに従って、ユーザ機器に関する情報を登録するために使用される第１の登録メッセージを送信し、選択ポリシーは、ユーザ機器のＩＭＳ  ＡＰＮのＰＤＮ接続に関する情報を登録すること、または、ＶＩＰのＰＤＮ接続に関する情報を登録することを含む。
【００２７】
第２の可能な実装形態様式への参照によって、第３の可能な実装形態様式では、第１の登録メッセージは、ＰＤＮ接続に対応するアクセスポイント名ＡＰＮをさらに含み、第１のメッセージは、ＡＰＮをさらに含む。
【００２８】
第３の態様、または、第１から第３の可能な実装形態様式のいずれか１つへの参照によって、第４の可能な実装形態様式では、データゲートウェイは、データゲートウェイはリセットされると決定し、ダウンリンクデータパケットは、信頼されるＡＰＮからのものであると決定し、ダウンリンクデータパケットのヘッダ内のユーザ機器のＩＰアドレスを決定するように構成され、第１のメッセージは、ユーザ機器のＩＰアドレスを含む、第１の決定ユニットをさらに含む。
【００２９】
第３の態様、または、第１から第３の可能な実装形態様式のいずれか１つへの参照によって、第５の可能な実装形態様式では、データゲートウェイは、サービングゲートウェイはリセットされると決定し、ダウンリンクデータパケットに対応するユーザ機器のＰＤＮ接続のコンテキストを問い合わせることにより、ダウンリンクデータパケットに対応するユーザ機器の識別子を決定するように構成された第２の決定ユニットをさらに含み、第１のメッセージは、ユーザ機器の識別子を含む。
【００３０】
第５の可能な実装形態様式への参照によって、第６の可能な実装形態様式では、第１のメッセージは、リセット指示をさらに含み、リセット指示は、サービングゲートウェイはリセットされることを表し、または、サービングゲートウェイによりデータゲートウェイに送信されるエラー指示メッセージを表し、エラー指示メッセージは、サービングゲートウェイはリセットされることを表す。
【００３１】
第３の態様、または、第１から第６の可能な実装形態様式のいずれか１つへの参照によって、第７の可能な実装形態様式では、ユーザ機器の識別子は、ユーザ機器の国際移動体加入者識別番号ＩＭＳＩ、移動局国際ＩＳＤＮ番号ＭＳＩＳＤＮ、または国際移動体装置識別番号ＩＭＥＩの少なくとも１つを含む。
【００３２】
第４の態様によれば、パケットデータネットワークＰＤＮ接続再確立方法であって、リセット中央サーバにより、データゲートウェイにより送信される第１のメッセージを受信するステップであって、第１のメッセージは、第１の識別情報を含む、ステップと、リセット中央サーバにより、第１の識別情報に従って、第１の識別情報に対応するモビリティ管理ネットワーク要素の識別子を決定するステップと、リセット中央サーバにより、第２のメッセージを、モビリティ管理ネットワーク要素の識別子に対応するモビリティ管理ネットワーク要素に送信するステップであって、第２のメッセージは、ユーザ機器の識別子を含み、その結果、モビリティ管理ネットワーク要素が、ＰＤＮ接続を、第２のメッセージに従って再確立する、ステップとを含むパケットデータネットワークＰＤＮ接続再確立方法が提供される。
【００３３】
第４の態様への参照によって、第１の可能な実装形態様式では、第１の識別情報は、ユーザ機器のインターネットプロトコルＩＰアドレス、または、ユーザ機器の識別子を含み、方法は、リセット中央サーバにより、データゲートウェイにより送信され、ユーザ機器に関する情報を登録するために使用される、第１の登録メッセージを受信するステップであって、第１の登録メッセージは、ユーザ機器のインターネットプロトコルＩＰアドレス、および、ユーザ機器の識別子を含む、ステップと、リセット中央サーバにより、モビリティ管理ネットワーク要素により送信され、ユーザ機器に関する情報を登録するために使用される、第２の登録メッセージを受信するステップであって、第２の登録メッセージは、モビリティ管理ネットワーク要素の識別子、および、ユーザ機器の識別子を含む、ステップと、リセット中央サーバにより、ユーザ機器のインターネットプロトコルＩＰアドレス、および、ユーザ機器の識別子を、モビリティ管理ネットワーク要素の識別子に、ユーザ機器の識別子によって関連付けるステップとをさらに含む。
【００３４】
第１の可能な実装形態様式への参照によって、第２の可能な実装形態様式では、第１の登録メッセージは、ＰＤＮ接続に対応するアクセスポイント名ＡＰＮをさらに含み、第２のメッセージは、ＡＰＮをさらに含み、その結果、モビリティ管理ネットワーク要素が、ＰＤＮ接続を、ユーザ機器の識別子、およびＡＰＮによって再確立する。
【００３５】
第１または第２の可能な実装形態様式への参照によって、第３の可能な実装形態様式では、データゲートウェイがリセットされるとき、第１の識別情報は、ユーザ機器のＩＰアドレスを含み、リセット中央サーバにより、第１の識別情報に従って、第１の識別情報に対応するモビリティ管理ネットワーク要素の識別子を決定するステップは、リセット中央サーバにより、ユーザ機器のＩＰアドレスに従って、ユーザ機器のＩＰアドレスに対応している、モビリティ管理ネットワーク要素の識別子、および、ユーザ機器の識別子を決定するステップを含む。
【００３６】
第１または第２の可能な実装形態様式への参照によって、第４の可能な実装形態様式では、サービングゲートウェイがリセットされるとき、第１の識別情報は、ユーザ機器の識別子を含む。
【００３７】
第４の態様、または、第１から第４の可能な実装形態様式のいずれか１つへの参照によって、第５の可能な実装形態様式では、モビリティ管理ネットワーク要素の識別子は、モビリティ管理ネットワーク要素のＩＰアドレス、モビリティ管理ネットワーク要素のグローバル一意識別子、または、モビリティ管理ネットワーク要素の完全修飾ドメイン名ＦＱＤＮの少なくとも１つを含み、ユーザ機器の識別子は、ユーザ機器の国際移動体加入者識別番号ＩＭＳＩ、移動局国際ＩＳＤＮ番号ＭＳＩＳＤＮ、または国際移動体装置識別番号ＩＭＥＩの少なくとも１つを含む。
【００３８】
第５の態様によれば、ＰＤＮ接続再確立方法であって、モビリティ管理ネットワーク要素により、リセット中央サーバにより送信される第２のメッセージを受信するステップであって、第２のメッセージは、ユーザ機器の識別子を含み、第２のメッセージは、モビリティ管理ネットワーク要素をトリガして、ＰＤＮ接続を再確立するために使用され、第２のメッセージは、リセット中央サーバが、データゲートウェイにより送信される第１のメッセージを受信した後に送信され、第１のメッセージは、第１の識別情報を含む、ステップと、モビリティ管理ネットワーク要素により、ＰＤＮ接続を、第２のメッセージに従って再確立するステップとを含むＰＤＮ接続再確立方法が提供される。
【００３９】
第５の態様への参照によって、第１の可能な実装形態様式では、第１の識別情報は、ユーザ機器のインターネットプロトコルＩＰアドレス、または、ユーザ機器の識別子を含み、方法は、モビリティ管理ネットワーク要素により、リセット中央サーバに、ユーザ機器に関する情報を登録するために使用される第２の登録メッセージを送信するステップであって、第２の登録メッセージは、モビリティ管理ネットワーク要素の識別子、および、ユーザ機器の識別子を含む、ステップをさらに含む。
【００４０】
第１の可能な実装形態様式への参照によって、第２の可能な実装形態様式では、モビリティ管理ネットワーク要素により、リセット中央サーバに、ユーザ機器に関する情報を登録するために使用される第２の登録メッセージを送信するステップは、モビリティ管理ネットワーク要素により、リセット中央サーバに、第１の選択ポリシーに従って、ユーザ機器に関する情報を登録するために使用される第２の登録メッセージを送信するステップであって、第１の選択ポリシーは、ＩＰマルチメディアサブシステムＩＭＳアクセスポイント名ＡＰＮのＰＤＮ接続を確立するユーザ機器に関する情報を登録すること、または、ハイレベルユーザ機器ＶＩＰに関する情報を登録することを含む、ステップを含む。
【００４１】
第１または第２の可能な実装形態様式への参照によって、第３の可能な実装形態様式では、モビリティ管理ネットワーク要素により、ＰＤＮ接続を、第２のメッセージに従って再確立するステップは、モビリティ管理ネットワーク要素により、第２の選択ポリシーに従って、再確立されることを必要とするＰＤＮ接続を決定するステップであって、第２の選択ポリシーは、ＩＭＳ  ＡＰＮのＰＤＮ接続を復元すること、または、ＶＩＰユーザのＰＤＮ接続を復元することを含む、ステップを含む。
【００４２】
第１から第３の可能な実装形態様式のいずれか１つへの参照によって、第４の可能な実装形態様式では、第２のメッセージは、ＡＰＮをさらに含み、モビリティ管理ネットワーク要素により、ＰＤＮ接続を、第２のメッセージに従って再確立するステップは、モビリティ管理ネットワーク要素により、ＰＤＮ接続を、ユーザ機器の識別子、およびＡＰＮによって再確立するステップを含む。
【００４３】
第５の態様、または、第１から第４の可能な実装形態様式のいずれか１つへの参照によって、第５の可能な実装形態様式では、第２のメッセージは、リセット指示をさらに含み、リセット指示は、サービングゲートウェイはリセットされることを表すために使用され、モビリティ管理ネットワーク要素により、ＰＤＮ接続を、第２のメッセージに従って再確立するステップは、モビリティ管理ネットワーク要素により、サービングゲートウェイを再選択し、セッションセットアップ要求メッセージを、再選択されたサービングゲートウェイに送信するステップであって、セッションセットアップメッセージは、ユーザ機器のＰＤＮ接続に関する情報を含み、そのＰＤＮ接続は、ＰＤＮ接続が、再選択されたサービングゲートウェイ上で再確立されるように、復元されることを必要とするものである、ステップを含む。
【００４４】
第５の態様、または、第１から第４の可能な実装形態様式のいずれか１つへの参照によって、第６の可能な実装形態様式では、データゲートウェイおよびサービングゲートウェイは連帯的に配備され、ユーザ機器のすべてのＰＤＮ接続の一部のＰＤＮ接続は、リセットされたデータゲートウェイ上で確立され、モビリティ管理ネットワーク要素により、第２のメッセージに従って、ユーザ機器に対応するＰＤＮ接続を再確立するステップは、データゲートウェイがリセットされる場合、モビリティ管理ネットワーク要素により、サービングゲートウェイを再選択し、セッションセットアップ要求メッセージを、再選択されたサービングゲートウェイに送信するステップであって、セッションセットアップ要求メッセージは、リセットされない別のデータゲートウェイ上でユーザ機器により確立されるＰＤＮ接続に関する情報を搬送し、その結果、再選択されたサービングゲートウェイが、リセットされない別のデータゲートウェイとのＰＤＮ接続を確立し、再選択されたサービングゲートウェイは、リセットおよび再開始されるサービングゲートウェイ、または別のサービングゲートウェイである、ステップを含む。
【００４５】
第５の態様、または、第１から第４の可能な実装形態様式のいずれか１つへの参照によって、第７の可能な実装形態様式では、データゲートウェイおよびサービングゲートウェイは連帯的に配備され、ユーザ機器のすべてのＰＤＮ接続の一部のＰＤＮ接続は、リセットされたデータゲートウェイ上で確立され、モビリティ管理ネットワーク要素により、第２のメッセージに従って、ユーザ機器に対応するＰＤＮ接続を再確立するステップは、データゲートウェイがリセットされる場合、モビリティ管理ネットワーク要素により、非アクティブ化要求メッセージをユーザ機器に送信し、リセットされたデータゲートウェイ上のＰＤＮ接続を削除し、その結果、ユーザ機器がＰＤＮ接続を再確立するステップを含む。
【００４６】
第５の態様、または、第１から第４の可能な実装形態様式のいずれか１つへの参照によって、第８の可能な実装形態様式では、モビリティ管理ネットワーク要素はＭＭＥであり、データゲートウェイおよびサービングゲートウェイは連帯的に配備され、または、データゲートウェイおよびサービングゲートウェイは別々に配備され、ユーザ機器のすべてのＰＤＮ接続は、リセットされたデータゲートウェイ上で確立され、モビリティ管理ネットワーク要素により、第２のメッセージに従って、ユーザ機器に対応するＰＤＮ接続を再確立するステップは、データゲートウェイがリセットされる場合、モビリティ管理ネットワーク要素により、デタッチ要求メッセージをユーザ機器に送信するステップであって、デタッチ要求メッセージは、再アタッチ要求の原因値を搬送し、その結果、ユーザ機器が、すべてのＰＤＮ接続を、デタッチ要求メッセージに従って削除し、アタッチ手続きを再起動するステップを含む。
【００４７】
第５の態様、または、第１から第４の可能な実装形態様式のいずれか１つへの参照によって、第９の可能な実装形態様式では、モビリティ管理ネットワーク要素はＳＧＳＮであり、データゲートウェイおよびサービングゲートウェイは連帯的に配備され、または、データゲートウェイおよびサービングゲートウェイは別々に配備され、ユーザ機器のすべてのＰＤＮ接続は、リセットされたデータゲートウェイ上で確立され、モビリティ管理ネットワーク要素により、第２のメッセージに従って、ユーザ機器に対応するＰＤＮ接続を再確立するステップは、データゲートウェイがリセットされる場合、モビリティ管理ネットワーク要素により、ＰＤＰ非アクティブ化メッセージをユーザ機器に送信するステップであって、ＰＤＰ非アクティブ化メッセージは、再アクティブ化要求の原因値を搬送し、その結果、ユーザ機器が、すべてのＰＤＰ接続を、ＰＤＰ非アクティブ化メッセージに従って削除し、アクティブ化ＰＤＰ要求を再起動するステップを含む。
【００４８】
第５の態様、または、第１から第４の可能な実装形態様式のいずれか１つへの参照によって、第１０の可能な実装形態様式では、データゲートウェイおよびサービングゲートウェイは別々に配備され、ユーザ機器のすべてのＰＤＮ接続の一部のＰＤＮ接続は、リセットされたデータゲートウェイ上で確立され、モビリティ管理ネットワーク要素により、第２のメッセージに従って、ユーザ機器に対応するＰＤＮ接続を再確立するステップは、データゲートウェイがリセットされる場合、モビリティ管理ネットワーク要素により、非アクティブ化要求メッセージをユーザ機器に送信し、リセットされたデータゲートウェイ上のＰＤＮ接続を削除し、その結果、ユーザ機器がＰＤＮ接続を再確立するステップを含む。
【００４９】
第５の態様の第５から第１０の可能な実装形態様式のいずれか１つへの参照によって、第１１の可能な実装形態様式では、方法は、モビリティ管理ネットワーク要素により、データゲートウェイの識別情報、および、サービングゲートウェイの識別情報に従って、データゲートウェイおよびサービングゲートウェイは連帯的に配備されるかどうかを決定するステップであって、データゲートウェイの識別情報、および、サービングゲートウェイの識別情報は、データゲートウェイのＩＰアドレス、および、サービングゲートウェイのＩＰアドレス、ならびに／または、データゲートウェイの完全修飾ドメイン名、および、サービングゲートウェイの完全修飾ドメイン名を含む、ステップをさらに含む。
【００５０】
第５の態様、または、第１から第１１の可能な実装形態様式のいずれか１つへの参照によって、第１２の可能な実装形態様式では、ユーザ機器の識別子は、ユーザ機器の国際移動体加入者識別番号ＩＭＳＩ、移動局国際ＩＳＤＮ番号ＭＳＩＳＤＮ、または国際移動体装置識別番号ＩＭＥＩの少なくとも１つを含み、モビリティ管理ネットワーク要素の識別子は、モビリティ管理ネットワーク要素のＩＰアドレス、モビリティ管理ネットワーク要素のグローバル一意識別子、または、モビリティ管理ネットワーク要素の完全修飾ドメイン名ＦＱＤＮの少なくとも１つを含む。
【００５１】
第６の態様によれば、ＰＤＮ接続再確立方法であって、データゲートウェイにより、ダウンリンクデータパケットを受信するステップと、データゲートウェイにより、第１のメッセージをリセット中央サーバに送信するステップであって、第１のメッセージは、第１の識別情報を含み、その結果、リセット中央サーバが、ＰＤＮ接続を、第１のメッセージに従って再確立するステップとを含むＰＤＮ接続再確立方法が提供される。
【００５２】
第６の態様への参照によって、第１の可能な実装形態様式では、方法は、データゲートウェイにより、リセット中央サーバに、ユーザ機器に関する情報を登録するために使用される第１の登録メッセージを送信するステップであって、第１の登録メッセージは、ユーザ機器のＩＰアドレス、および、ユーザ機器の識別子を含む、ステップをさらに含む。
【００５３】
第１の可能な実装形態様式への参照によって、第２の可能な実装形態様式では、データゲートウェイにより、リセット中央サーバに、ユーザ機器に関する情報を登録するために使用される第１の登録メッセージを送信するステップは、データゲートウェイにより、リセット中央サーバに、選択ポリシーに従って、ユーザ機器に関する情報を登録するために使用される第１の登録メッセージを送信するステップであって、選択ポリシーは、ユーザ機器のＩＭＳ  ＡＰＮのＰＤＮ接続に関する情報を登録すること、または、ＶＩＰのＰＤＮ接続に関する情報を登録することを含む、ステップを含む。
【００５４】
第２の可能な実装形態様式への参照によって、第３の可能な実装形態様式では、第１の登録メッセージは、ＰＤＮ接続に対応するアクセスポイント名ＡＰＮをさらに含み、第１のメッセージは、ＡＰＮをさらに含む。
【００５５】
第６の態様、または、第１から第３の可能な実装形態様式のいずれか１つへの参照によって、第４の可能な実装形態様式では、方法は、データゲートウェイにより、データゲートウェイはリセットされると決定するステップと、データゲートウェイにより、ダウンリンクデータパケットは、信頼されるＡＰＮからのものであると決定し、ダウンリンクデータパケットのヘッダ内のユーザ機器のＩＰアドレスを決定するステップとをさらに含み、第１のメッセージは、ユーザ機器のＩＰアドレスを含む。
【００５６】
第６の態様、または、第１から第３の可能な実装形態様式のいずれか１つへの参照によって、第５の可能な実装形態様式では、方法は、データゲートウェイにより、サービングゲートウェイはリセットされると決定するステップと、データゲートウェイにより、ダウンリンクデータパケットに対応するユーザ機器のＰＤＮ接続のコンテキストを問い合わせることにより、ダウンリンクデータパケットに対応するユーザ機器の識別子を決定するステップとをさらに含み、第１のメッセージは、ユーザ機器の識別子を含む。
【００５７】
第５の可能な実装形態様式への参照によって、第６の可能な実装形態様式では、第１のメッセージは、リセット指示をさらに含み、リセット指示は、サービングゲートウェイはリセットされることを表し、または、サービングゲートウェイによりデータゲートウェイに送信されるエラー指示メッセージを表し、エラー指示メッセージは、サービングゲートウェイはリセットされることを表す。
【００５８】
第６の態様、または、第１から第６の可能な実装形態様式のいずれか１つへの参照によって、第７の可能な実装形態様式では、ユーザ機器の識別子は、ユーザ機器の国際移動体加入者識別番号ＩＭＳＩ、移動局国際ＩＳＤＮ番号ＭＳＩＳＤＮ、または国際移動体装置識別番号ＩＭＥＩの少なくとも１つを含む。
【００５９】
前述の技術的解決策に基づいて、リセット中央サーバが、データゲートウェイによって送信された第１のメッセージを受信し、第１のメッセージに含まれる第１の識別情報に従って、第１の識別情報に対応する、モビリティ管理ネットワーク要素の識別子に関して、格納された情報を検索し、第２のメッセージをモビリティ管理ネットワーク要素の識別子に対応するモビリティ管理ネットワーク要素に送信することがあり、第２のメッセージがユーザ機器の識別子を含み、その結果、モビリティ管理ネットワーク要素が、第２のメッセージに従って、影響を受けるパケットデータネットワークＰＤＮ接続を適時に再確立することができ、ユーザエクスペリエンスを改善する。
【図面の簡単な説明】
【００６０】
本発明の実施形態における技術的解決策をより明確に説明するために、以下では、本発明の実施形態を説明するために必要な添付の図面について簡単に説明する。以下の説明における添付の図面は、単に本発明の一部の実施形態を示しており、当業者が創造的な努力を行うことなくこれらの添付の図面からさらに他の図面を導くことがあり得るということは明らかである。
【００６１】
【図１】本発明の実施形態に適用することがあり得る通信ネットワークのシナリオの概略図である。
【図２】本発明の実施形態によるリセット中央サーバの概略ブロック図である。
【図３】本発明の別の実施形態によるリセット中央サーバの概略ブロック図である。
【図４】本発明の実施形態によるモビリティ管理ネットワーク要素の概略ブロック図である。
【図５】本発明の実施形態によるデータゲートウェイの概略ブロック図である。
【図６】本発明の実施形態によるＰＤＮ接続再確立方法の概略フローチャートである。
【図７】本発明の別の実施形態によるＰＤＮ接続再確立方法の概略フローチャートである。
【図８】本発明の別の実施形態によるＰＤＮ接続再確立方法の概略フローチャートである。
【図９】本発明の実施形態によるユーザ機器に関する情報を登録するフローチャートである。
【図１０】本発明の別の実施形態によるＰＤＮ接続再確立方法の概略フローチャートである。
【図１１】本発明の別の実施形態によるＰＤＮ接続再確立方法の概略フローチャートである。
【図１２】本発明の別の実施形態によるＰＤＮ接続再確立方法の概略フローチャートである。
【図１３】本発明の別の実施形態によるＰＤＮ接続再確立方法の概略フローチャートである。
【図１４】本発明の別の実施形態によるＰＤＮ接続再確立方法の概略フローチャートである。
【図１５】本発明の実施形態によるリセット中央サーバの概略ブロック図である。
【図１６】本発明の別の実施形態によるモビリティ管理ネットワーク要素の概略ブロック図である。
【図１７】本発明の実施形態によるデータゲートウェイの概略ブロック図である。
【発明を実施するための形態】
【００６２】
以下では、本発明の実施形態における添付の図面を参照して、本発明の実施形態での技術的解決策について明確かつ完全に説明する。説明される実施形態が、本発明のすべての実施形態よりはむしろ、一部にすぎないということは明らかである。本発明の実施形態に基づいて、創造的な努力を行うことなく一般的な当業者によって取得された他のすべての実施形態は、本発明の保護の範囲に含まれるものとする。
【００６３】
本発明の実施形態における技術的解決策が、グローバルシステムフォーモバイルコミュニケーション（Ｇｌｏｂａｌ  Ｓｙｓｔｅｍ  ｆоｒ  Ｍｏｂｉｌｅ  Ｃｏｍｍｕｎｉｃａｔｉｏｎｓ、ＧＳＭ：登録商標）、コード分割多重アクセス（Ｃｏｄｅ  Ｄｉｖｉｓｉｏｎ  Ｍｕｌｔｉｐｌｅ  Ａｃｃｅｓｓ、ＣＤＭＡ）システム、広帯域ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ：登録商標）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）システム、ロングタームエボリューション（Ｌｏｎｇ  Ｔｅｒｍ  Ｅｖｏｌｕｔｉｏｎ、ＬＴＥ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、およびワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システムになどの、さまざまな通信システムに適用されることがあると理解されるべきである。
【００６４】
図１は、本発明の実施形態に適用することがあり得る通信ネットワークのシナリオの概略図である。図１に示された移動体通信ネットワークの論理アーキテクチャは、ユーザ機器１１０、アクセスネットワーク１２０、モビリティ管理ネットワーク要素１３０、サービングゲートウェイ１４０、データゲートウェイ１５０、およびパケットデータネットワーク１６０を含む。ユーザ機器１１０は、ローカル無線ネットワークまたは有線ネットワークを使用してアクセスネットワーク１２０に接続される。モビリティ管理ネットワーク要素１３０は、ユーザ機器１１０の位置管理、接続管理、セキュリティ認証、およびゲートウェイ選択などの機能を担当する。サービングゲートウェイ１４０は、ユーザ機器１１０のローカルアクセスゲートウェイであり、アクセス技術に関連する接続管理およびデータ転送を担当する。データゲートウェイ１５０は、ユーザ機器が外部パケットデータネットワーク１６０にアクセスする際に経由するゲートウェイである。
【００６５】
前述の論理アーキテクチャ図に対応する実際のネットワークは、進化型パケットシステム（Ｅｖｏｌｖｅｄ  Ｐａｃｋｅｔ  Ｓｙｓｔｅｍ、ＥＰＳ）ネットワークであることがある。アクセスネットワークは、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、汎用地上波無線アクセスネットワーク）、ＧＥＲＡＮ（ＧＳＭ  ＥＤＧＥ  Ｒａｄｉｏ  Ａｃｃｅｓｓ  Ｎｅｔｗｏｒｋ、ＧＳＭ／ＥＤＧＥ無線アクセスネットワーク）、またはＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、進化型汎用地上波無線アクセスネットワーク）であることがある。モビリティ管理ネットワーク要素は、移動管理エンティティ（Ｍｏｂｉｌｉｔｙ  Ｍａｎａｇｅｍｅｎｔ  Ｅｎｔｉｔｙ、ＭＭＥ）またはサービングＧＰＲＳサポートノード（Ｓｅｒｖｉｎｇ  ＧＰＲＳ  Ｓｕｐｐｏｒｔ  Ｎｏｄｅ、ＳＧＳＮ）であることがある。サービングゲートウェイは、サービングゲートウェイ（Ｓｅｒｖｉｎｇ  Ｇａｔｅｗａｙ、Ｓ−ＧＷ）であることがある。データゲートウェイは、パケットデータネットワークゲートウェイ（Ｐａｃｋｅｔ  Ｄａｔａ  Ｎｅｔｗｏｒｋ  Ｇａｔｅｗａｙ、ＰＤＮ−ＧＷ）であることがある。
【００６６】
本発明の実施形態におけるデータゲートウェイおよびサービングゲートウェイが連帯的に配備されることがあるか、または別々に配備されることがあり、このことが本発明の実施形態において制限されないと理解されるべきである。本発明の実施形態は主に、データゲートウェイがリセットされた後、および／またはサービングゲートウェイがリセットされた後にＰＤＮ接続が再確立されるシナリオのためのものである。
【００６７】
具体的には、図２は本発明の実施形態によるリセット中央サーバの概略ブロック図である。図２に示されたリセット中央サーバ２００は、第１の受信ユニット２１０、決定ユニット２２０、および送信ユニット２３０を含む。
【００６８】
第１の受信ユニット２１０は、データゲートウェイによって送信された第１のメッセージを受信するように構成され、第１のメッセージはユーザ機器の第１の識別情報を含む。
【００６９】
決定ユニット２２０は、第１の識別情報に従って、第１の識別情報に対応する、モビリティ管理ネットワーク要素の識別子を決定するように構成される。
【００７０】
送信ユニット２３０は、第２のメッセージを、モビリティ管理ネットワーク要素の識別子に対応するモビリティ管理ネットワーク要素に送信するように構成され、第２のメッセージはユーザ機器の識別子を含み、その結果、モビリティ管理ネットワーク要素が、第２のメッセージに従ってユーザ機器のパケットデータネットワークＰＤＮ接続を再確立する。
【００７１】
したがって、本発明のこの実施形態において、データゲートウェイによって送信された第１のメッセージが受信されることがあり、格納された情報が、第１のメッセージに含まれるユーザ機器の第１の識別情報に従って、第１の識別情報に対応するモビリティ管理ネットワーク要素の識別子およびユーザ機器の識別子に関して、検索され、第２のメッセージが、モビリティ管理ネットワーク要素の識別子に対応するモビリティ管理ネットワーク要素に送信され、第２のメッセージがユーザ機器の識別子を含み、その結果、モビリティ管理ネットワーク要素が、第２のメッセージに従ってパケットデータネットワークＰＤＮ接続を再確立する。影響を受けるＰＤＮ接続が、適時に再確立されることができるため、ユーザエクスペリエンスが改善される。
【００７２】
具体的には、ユーザ機器に関する情報の登録が完了された後、ネットワークデバイス（データゲートウェイおよび／またはサービングゲートウェイ）がリセットされた後、およびデータゲートウェイがダウンリンクデータパケットを受信した後に、データセンターのリセット中央サーバがデータゲートウェイによって送信された第１のメッセージを受信し、第１のメッセージがユーザ機器の第１の識別情報を含む。データ中央サーバは、第１の識別情報に従って、第１の識別情報に対応するモビリティ管理ネットワーク要素の識別子およびユーザ機器の識別子に関して、ユーザ機器に関する情報が登録されたときに格納された情報を検索し、第２のメッセージを、モビリティ管理ネットワーク要素の識別子に対応するモビリティ管理ネットワーク要素に送信し、第２のメッセージが、ユーザ機器の識別子を含み、その結果、モビリティ管理ネットワーク要素が、第２のメッセージに従ってパケットデータネットワークＰＤＮ接続を再確立し、ネットワークデバイス（データゲートウェイおよび／またはサービングゲートウェイ）のリセットによる影響を受けるＰＤＮ接続の復元が実装される。
【００７３】
したがって、本発明のこの実施形態において、リセット中央サーバが、データゲートウェイによって送信された第１のメッセージを受信し、第１のメッセージに含まれるユーザ機器の第１の識別情報に従って、第１の識別情報に対応するモビリティ管理ネットワーク要素の識別子およびユーザ機器の識別子に関して、格納された情報を検索し、第２のメッセージを、モビリティ管理ネットワーク要素の識別子に対応するモビリティ管理ネットワーク要素に送信することがあり、第２のメッセージがユーザ機器の識別子を含み、その結果、モビリティ管理ネットワーク要素が、第２のメッセージに従ってパケットデータネットワークＰＤＮ接続を再確立する。影響を受けるＰＤＮ接続が、適時に再確立されることができるため、ユーザエクスペリエンスが改善される。
【００７４】
本発明のこの実施形態におけるリセット中央サーバが、独立して配備された論理的実体であり得るか、またはネットワーク内の別のネットワーク要素と連帯的に配備されることがあり得ると理解されるべきである。例えば、リセット中央サーバは、家庭用加入者サーバ（Ｈｏｍｅ  Ｓｕｂｓｃｒｉｂｅｒ  Ｓｅｒｖｅｒ、ＨＳＳ）などのデバイスまたはポリシーおよび課金ルール機能（Ｐｏｌｉｃｙ  ａｎｄ  Ｃｈａｒｇｉｎｇ  Ｒｕｌｅｓ  Ｆｕｎｃｔｉｏｎ、ＰＣＲＦ）であることがある。リセット中央サーバに関する情報は、データゲートウェイ上で構成されることがあるか、ＨＳＳ、ＰＣＲＦ、またはネットワーク管理運用および保守Ｏ＆Ｍ（Ｏｐｅｒａｔｉｏｎ  ａｎｄ  Ｍａｉｎｔｅｎａｎｃｅ）センターなどの別のネットワーク要素を使用して構成されてデータゲートウェイに提供されることがある。データゲートウェイは、情報に従って、メッセージを対応するリセット中央サーバに送信する。
【００７５】
ノードのリセットによる影響を受けるユーザ／ＰＤＮ接続に関する情報は、以下の従来の解決策を使用して再確立されることがあり、その結果、ダウンリンクデータパケットがユーザ機器に送信されることができる。その方法は次のとおりである。
【００７６】
サービングゲートウェイがリセットされるときの再確立方法は、次のとおりである。方法１：モビリティ管理ネットワーク要素が、サービングゲートウェイがリセットされることを知った後に、影響を受けるユーザ機器に関して、モビリティ管理ネットワーク要素がサービングゲートウェイを再選択し、サービングゲートウェイハンドオーバ手順を開始し、選択されたサービングゲートウェイ上のユーザ機器のコンテキストを再確立する。サービングゲートウェイがリセットされることを知った後に、データゲートウェイが、サービングゲートウェイのリセットによる影響を受けるＰＤＮ接続のコンテキストを一定の期間予約し、モビリティ管理ネットワーク要素によって選択されたサービングゲートウェイがデータゲートウェイへのダウンリンクトンネル情報を更新するのを待機する。方法２：データゲートウェイが、サービングゲートウェイがリセットされることを知った後に、サービングゲートウェイのリセットによる影響を受けるユーザ機器のダウンリンクデータパケットが受信された場合、データゲートウェイがサービングゲートウェイを選択し、ダウンリンクデータパケット通知メッセージをサービングゲートウェイに送信する。サービングゲートウェイはダウンリンクデータパケット通知メッセージをモビリティ管理ネットワーク要素に転送し、モビリティ管理ネットワーク要素がサービングゲートウェイを再選択し、サービングゲートウェイハンドオーバ手順を実行し、選択されたサービングゲートウェイ上のユーザのコンテキストを再確立する。ただし、前述の２つの方法では、サービングゲートウェイがリセットされるときに、再確立方法１の場合、モビリティ管理ネットワーク要素が、サービングゲートウェイがリセットされることを検出した後に、復元がトリガされる。リセット検出メカニズムは時宜を得ていないことがあり、その結果、一部のユーザ機器のダウンリンクデータは到着することができない。方法２の場合、データゲートウェイがダウンリンクデータパケット通知メッセージを送信して復元をトリガする必要がある。しかし、実際のネットワークでは、ほとんどの場合、サービングゲートウェイおよびデータゲートウェイが連帯的に配備され、サービングゲートウェイがリセットされるときに、データゲートウェイもリセットされる。したがって、方法２では、データゲートウェイが復元メカニズムを実装することはできない。
【００７７】
データゲートウェイがリセットされるときの再確立方法は、次のとおりである。サービングゲートウェイが、データゲートウェイがリセットされることを知った後に、サービングゲートウェイがデータゲートウェイリセット通知メッセージをモビリティ管理ネットワーク要素に送信し、このメッセージがデータゲートウェイのインターネットプロトコル（Ｉｎｔｅｒｎｅｔ  Ｐｒｏｔｏｃｏｌ、略してＩＰアドレス）およびサービングゲートウェイのＩＰアドレスを含む。モビリティ管理ネットワーク要素は、メッセージを受信した後に、データゲートウェイのＩＰアドレスおよびサービングゲートウェイのＩＰアドレスに従って、関連するＰＤＮ接続をスキャンし、ＰＤＮ接続削除／ユーザデタッチ手順を開始して、ユーザ機器によるＰＤＮ接続の再確立をトリガする。しかし、データゲートウェイがリセットされる場合、この復元方法では、サービングゲートウェイがデータゲートウェイがリセットされることを検出した後に、復元がトリガされる。検出メカニズムが時宜を得ていないという問題も存在し、この方法は、サービングゲートウェイがデータゲートウェイがリセットされることを知った後に、内部の影響を受けるＰＤＮ接続をスキャンするタイミングにさらに依存している。サービングゲートウェイがデータゲートウェイがリセットされることを知る前に、ユーザ機器のダウンリンクデータパケットが破棄されることがある。同様に、サービングゲートウェイおよびデータゲートウェイが連帯的に配備されている場合、データゲートウェイがリセットされると、サービングゲートウェイもリセットされ、サービングゲートウェイは、データゲートウェイがリセットされるときに使用される復元方法を実装できない。
【００７８】
サービングゲートウェイがリセットされてデータゲートウェイがリセットされるときに使用される前述の再確立方法では、ユーザは長時間待機する必要があり、ダウンリンクデータパケットは適時にユーザ機器に到着することができず、ユーザエクスペリエンスに影響を与える。例えば、音声電話では、ユーザ機器が長時間着呼サービスを実行することができず、ユーザ機器のサービスエクスペリエンスが影響を受ける。したがって、着呼者に複数回連絡しようとして失敗するため、ネットワークとサービスに対する発呼者の満足度が低下する。しかし、本発明のこの実施形態では、データゲートウェイがリセットされ、かつ／またはサービングゲートウェイがリセットされるときに、リセット中央サーバが、データゲートウェイによって送信された第１のメッセージを受信することであって、第１のメッセージがユーザ機器の第１の識別情報を含む、ことと、第１の識別情報に従って、第１の識別情報に対応するモビリティ管理ネットワーク要素の識別子およびユーザ機器の識別子に関して、格納された情報を検索することと、第２のメッセージを、モビリティ管理ネットワーク要素の識別子に対応するモビリティ管理ネットワーク要素に送信することとを行うことがあり、第２のメッセージがユーザ機器の識別子を含み、その結果、モビリティ管理ネットワーク要素が、第２のメッセージに従ってパケットデータネットワークＰＤＮ接続を再確立することをトリガされる。影響を受けるＰＤＮ接続が、適時に再確立されることができるため、ダウンリンクデータパケットが、適時にユーザ機器に到着することができ、ユーザの待機時間が減少され、ユーザエクスペリエンスが改善される。
【００７９】
任意選択で、別の実施形態として、図３に示されるように、本発明のこの実施形態におけるリセット中央サーバは、第１の受信ユニット３１０、決定ユニット３２０、送信ユニット３３０、第２の受信ユニット３４０、第３の受信ユニット３５０、および関連付けユニット３６０を含む。
【００８０】
具体的には、第１の受信ユニット３１０、決定ユニット３２０、および送信ユニット３３０は、図２の第１の受信ユニット２１０、決定ユニット２２０、および送信ユニット２３０に対応する機能をそれぞれ実装できる。繰り返しを避けるために、詳細については再度説明されない。第２の受信ユニット３４０は、データゲートウェイによって送信され、ユーザ機器に関する情報を登録するために使用される第１の登録メッセージを受信するように構成され、第１の登録メッセージがユーザ機器のインターネットプロトコルＩＰアドレスおよびユーザ機器の識別子を含む。第３の受信ユニット３５０は、モビリティ管理ネットワーク要素によって送信され、ユーザ機器に関する情報を登録するために使用される第２の登録メッセージを受信するように構成され、第２の登録メッセージがモビリティ管理ネットワーク要素の識別子およびユーザ機器の識別子を含む。関連付けユニット３６０は、ユーザ機器の識別子に従って、ユーザ機器のインターネットプロトコルＩＰアドレスおよびユーザ機器の識別子を、モビリティ管理ネットワーク要素の識別子と関連付けるように構成される。
【００８１】
言い換えると、本発明のこの実施形態では、データゲートウェイがリセットされ、かつ／またはサービングゲートウェイがリセットされ、かつＰＤＮに関する情報がリセット中央サーバで登録される前に、ユーザ機器の登録処理が完了される必要がある。具体的には、リセット中央サーバが、データゲートウェイによって送信されてユーザ機器に関する情報を登録するために使用される第１の登録メッセージを受信することがあり、第１の登録メッセージがユーザ機器のインターネットプロトコルＩＰアドレスおよびユーザ機器の識別子を含み、リセット中央サーバが、モビリティ管理ネットワーク要素によって送信されてユーザ機器に関する情報を登録するために使用される第２の登録メッセージを受信し、第２の登録メッセージがモビリティ管理ネットワーク要素の識別子およびユーザ機器の識別子を含み、リセット中央サーバが、ユーザ機器の識別子に従って、データゲートウェイをモビリティ管理ネットワーク要素と関連付け、ＰＤＮ接続に関連付けられたノードに関する情報を互いに対応付けることを可能にする。
【００８２】
任意選択で、別の実施形態として、第１の登録メッセージがＰＤＮ接続に対応するアクセスポイント名ＡＰＮをさらに含み、第２のメッセージがＡＰＮをさらに含み、その結果、モビリティ管理ネットワーク要素が、ユーザ機器の識別子およびＡＰＮに従ってＰＤＮ接続を再確立する。
【００８３】
任意選択で、別の実施形態として、データゲートウェイがリセットされるか、またはデータゲートウェイとサービングゲートウェイが同時にリセットされるときに、第１の識別情報がユーザ機器のＩＰアドレスを含み、決定ユニット２２０が、ユーザ機器のＩＰアドレスに従って、ユーザ機器のＩＰアドレスに対応するモビリティ管理ネットワーク要素の識別子およびユーザ機器の識別子を決定する。
【００８４】
任意選択で、別の実施形態として、サービングゲートウェイがリセットされるときに、第１の識別情報がユーザ機器の識別子を含む。
【００８５】
あるいは、サービングゲートウェイがリセットされるときに、第１の識別情報がユーザ機器の識別子を含む。
【００８６】
任意選択で、別の実施形態として、モビリティ管理ネットワーク要素の識別子が、モビリティ管理ネットワーク要素のＩＰアドレス、モビリティ管理ネットワーク要素のグローバル一意識別子、またはモビリティ管理ネットワーク要素の完全修飾ドメイン名ＦＱＤＮの少なくとも１つを含み、ユーザ機器の識別子が、ユーザ機器の国際移動体加入者識別番号ＩＭＳＩ、移動局国際ＩＳＤＮ番号ＭＳＩＳＤＮ、または国際移動体装置識別番号ＩＭＥＩの少なくとも１つを含む。
【００８７】
図４は、本発明の実施形態に従うモビリティ管理ネットワーク要素の概略ブロック図である。図４に示されたモビリティ管理ネットワーク要素４００は、受信ユニット４１０および再確立ユニット４２０を含む。
【００８８】
具体的には、受信ユニット４１０が、リセット中央サーバによって送信された第２のメッセージを受信するように構成され、第２のメッセージがユーザ機器の識別子を含み、第２のメッセージが、モビリティ管理ネットワーク要素によるユーザ機器のＰＤＮ接続の再確立をトリガするために使用され、第２のメッセージが、リセット中央サーバがデータゲートウェイによって送信された第１のメッセージを受信した後に送信され、第１のメッセージがユーザ機器の第１の識別情報を含む。再確立ユニット４２０は、第２のメッセージに従ってユーザ機器のＰＤＮ接続を再確立するように構成される。
【００８９】
したがって、本発明のこの実施形態では、リセット中央サーバによって送信された第２のメッセージが受信されることがあり、第２のメッセージがユーザ機器の識別子を含み、第２のメッセージが、モビリティ管理ネットワーク要素によるＰＤＮ接続の再確立をトリガするために使用され、モビリティ管理ネットワーク要素が、第２のメッセージに従ってユーザ機器のＰＤＮ接続を再確立する。影響を受けるＰＤＮ接続が、適時に再確立されることができるため、ユーザエクスペリエンスが改善される。
【００９０】
任意選択で、別の実施形態として、第１の識別情報が、ユーザ機器のインターネットプロトコルＩＰアドレスまたはユーザ機器の識別子を含み、モビリティ管理ネットワーク要素が送信ユニット４３０をさらに含む。
【００９１】
具体的には、送信ユニット４３０が、ユーザ機器に関する情報を登録するために使用される第２の登録メッセージをリセット中央サーバに送信するように構成され、第２の登録メッセージがモビリティ管理ネットワーク要素の識別子およびユーザ機器の識別子を含む。
【００９２】
言い換えると、本発明のこの実施形態では、データゲートウェイがリセットされ、かつ／またはサービングゲートウェイがリセットされ、かつＰＤＮに関する情報がリセット中央サーバで登録される前に、ユーザ機器の登録処理が完了される必要がある。具体的には、移動管理がユーザ機器に関する情報を登録することが、モビリティ管理ネットワーク要素によって、ユーザ機器に関する情報を登録するために使用される第２の登録メッセージをリセット中央サーバに送信することを含み、第２の登録メッセージがモビリティ管理ネットワーク要素の識別子およびユーザ機器の識別子を含む。
【００９３】
任意選択で、別の実施形態として、送信ユニット４３０が、ユーザ機器に関する情報を登録するために使用される第２の登録メッセージを、第１の選択ポリシーに従ってリセット中央サーバに送信し、第１の選択ポリシーが、ＩＰマルチメディアサブシステムＩＭＳアクセスポイント名ＡＰＮのＰＤＮ接続を確立するユーザ機器に関する情報を登録すること、またはハイレベルユーザ機器ＶＩＰに関する情報を登録することを含む。
【００９４】
ユーザ機器の識別子が、ユーザ機器の国際移動体加入者識別番号ＩＭＳＩ、移動局国際ＩＳＤＮ番号ＭＳＩＳＤＮ、または国際移動体装置識別番号ＩＭＥＩの少なくとも１つを含むことがあると理解されるべきである。モビリティ管理ネットワーク要素の識別子は、モビリティ管理ネットワーク要素のＩＰアドレス、モビリティ管理ネットワーク要素のグローバル一意識別子、またはモビリティ管理ネットワーク要素の完全修飾ドメイン名ＦＱＤＮの少なくとも１つを含むことがある。
【００９５】
任意選択で、別の実施形態として、再確立ユニット４２０が、第２の選択ポリシーに従って、再確立される必要があるＰＤＮ接続を決定し、第２の選択ポリシーが、ＩＭＳ  ＡＰＮのＰＤＮ接続を復元すること、またはＶＩＰユーザのＰＤＮ接続を復元することを含む。
【００９６】
任意選択で、別の実施形態として、第２の登録メッセージが、ユーザ機器のＰＤＮ接続に対応するアクセスポイント名ＡＰＮをさらに含み、対応が、ユーザ機器のインターネットプロトコルＩＰアドレスおよび／またはユーザ機器の識別子、ＡＰＮ、ならびにモビリティ管理ネットワーク要素の識別子の間の対応を含み、第２のメッセージがＡＰＮをさらに含み、再確立ユニット４２０が、ユーザ機器の識別子およびＡＰＮに従ってＰＤＮ接続を再確立する。
【００９７】
任意選択で、別の実施形態として、第２のメッセージがリセット指示をさらに含み、リセット指示が、サービングゲートウェイがリセットされることを表すために使用される。再確立ユニット４２０は、サービングゲートウェイを再選択し、セッションセットアップ要求メッセージを、再選択されたサービングゲートウェイに送信し、セッションセットアップメッセージが、復元される必要のある、ユーザ機器のＰＤＮ接続に関する情報を含み、その結果、ＰＤＮ接続が、再選択されたサービングゲートウェイ上で再確立される。
【００９８】
再選択されたサービングゲートウェイは、リセットされて再起動されたサービングゲートウェイまたは別のサービングゲートウェイである。さらに、実際の適用では、モビリティ管理ネットワーク要素が、ユーザ機器の状態に従って、ＰＤＮ接続を再確立することがある。
【００９９】
具体的には、ＰＤＮ接続を再確立するときに、ユーザ機器がモビリティ管理ネットワーク要素に接続された状態である場合、モビリティ管理ネットワーク要素が、まずユーザ機器への信号伝達接続を解放し、ユーザ機器をアイドル状態に変更し、その後、モビリティ管理ネットワーク要素がサービングゲートウェイを再選択し、セッションセットアップ要求メッセージを再選択されたサービングゲートウェイに送信し、セッションセットアップメッセージが、復元される必要のある、ユーザ機器のＰＤＮ接続に関する情報を含み、その結果、ＰＤＮ接続が、再選択されたサービングゲートウェイ上で再確立される。
【０１００】
あるいは、ユーザ機器がサービス要求、モビリティ管理ネットワーク要素が変更されていないトラッキングエリアの更新手順、またはモビリティ管理ネットワーク要素が変更されていないルーティングエリアの更新手順を開始している場合、まずモビリティ管理ネットワーク要素が、サービングゲートウェイを再選択し、セッションセットアップ要求メッセージを再選択されたサービングゲートウェイに送信し、セッションセットアップメッセージが、復元される必要のある、ユーザ機器のＰＤＮ接続に関する情報を含み、その結果、再選択されたサービングゲートウェイ上でＰＤＮ接続が再確立され、次にモビリティ管理ネットワーク要素が、その後開始されたサービス要求、モビリティ管理ネットワーク要素が変更されていないトラッキングエリアの更新手順、またはモビリティ管理ネットワーク要素が変更されていないルーティングエリアの更新手順を実行する。
【０１０１】
あるいは、ユーザ機器が、モビリティ管理ネットワーク要素が変更されたトラッキングエリアの更新手順、またはモビリティ管理ネットワーク要素が変更されたルーティングエリアの更新手順を開始している場合、モビリティ管理ネットワーク要素が、ターゲット側モビリティ管理ネットワーク要素に、サービングゲートウェイの再選択手順が実行される必要があることを通知し、ターゲットモビリティ管理ネットワーク要素がサービングゲートウェイを再選択し、セッションセットアップ要求メッセージを再選択されたサービングゲートウェイに送信し、セッションセットアップメッセージが、復元される必要のある、ユーザ機器のＰＤＮ接続に関する情報を含み、その結果、ＰＤＮ接続が、再選択されたサービングゲートウェイ上で再確立される。
【０１０２】
あるいは、ユーザ機器がハンドオーバ手順を実行している場合、モビリティ管理ネットワーク要素がハンドオーバ要求メッセージまたは再割り当て要求メッセージを拒否し、ユーザ機器をアイドル状態に変更し、その後、モビリティ管理ネットワーク要素がサービングゲートウェイを再選択し、セッションセットアップ要求メッセージを再選択されたサービングゲートウェイに送信し、セッションセットアップメッセージが、復元される必要のある、ユーザ機器のＰＤＮ接続に関する情報を含み、その結果、ＰＤＮ接続が、再選択されたサービングゲートウェイ上で再確立される。
【０１０３】
任意選択で、別の実施形態として、データゲートウェイおよびサービングゲートウェイが連帯的に配備され、ユーザ機器のすべてのＰＤＮ接続のうちの一部のＰＤＮ接続が、リセットされたデータゲートウェイ上で確立される。
【０１０４】
データゲートウェイがリセットされる場合、再確立ユニット４２０が、サービングゲートウェイを再選択し、セッションセットアップ要求メッセージを再選択されたサービングゲートウェイに送信し、セッションセットアップ要求メッセージが、リセットされない別のデータゲートウェイ上でユーザ機器によって確立されるＰＤＮ接続に関する情報を搬送し、その結果、再選択されたサービングゲートウェイが、リセットされない別のデータゲートウェイへのＰＤＮ接続を確立し、再選択されたサービングゲートウェイは、リセットされて再起動されたサービングゲートウェイまたは別のサービングゲートウェイである。
【０１０５】
あるいは、別の実施形態として、データゲートウェイおよびサービングゲートウェイが連帯的に配備され、ユーザ機器のすべてのＰＤＮ接続のうちの一部のＰＤＮ接続が、リセットされたデータゲートウェイ上で確立される。
【０１０６】
データゲートウェイがリセットされる場合、再確立ユニット４２０が非アクティブ化要求メッセージをユーザ機器に送信し、リセットされたデータゲートウェイ上のＰＤＮ接続を削除し、その結果、ユーザ機器がＰＤＮ接続を再確立する。
【０１０７】
あるいは、別の実施形態として、モビリティ管理ネットワーク要素４００がＭＭＥであり、データゲートウェイおよびサービングゲートウェイが連帯的に配備されるか、またはデータゲートウェイおよびサービングゲートウェイが別々に配備され、ユーザ機器のすべてのＰＤＮ接続が、リセットされたデータゲートウェイ上で確立される。データゲートウェイがリセットされる場合、再確立ユニット４２０がデタッチ要求メッセージをユーザ機器に送信し、デタッチ要求メッセージが再アタッチ要求の原因値を搬送し、その結果、ユーザ機器がデタッチ要求メッセージに従ってすべてのＰＤＮ接続を削除し、ＰＤＮ確立要求を再開する。
【０１０８】
あるいは、別の実施形態として、モビリティ管理ネットワーク要素４００がＳＧＳＮであり、データゲートウェイおよびサービングゲートウェイが連帯的に配備されるか、またはデータゲートウェイおよびサービングゲートウェイが別々に配備され、ユーザ機器のすべてのＰＤＮ接続が、リセットされたデータゲートウェイ上で確立される。データゲートウェイがリセットされると、再確立ユニット４２０がＰＤＰ非アクティブ化メッセージをユーザ機器に送信し、ＰＤＰ非アクティブ化メッセージが再アクティブ化要求の原因値を搬送し、その結果、ユーザ機器がＰＤＰ非アクティブ化メッセージに従ってすべてのＰＤＰ接続を削除し、アクティブ化ＰＤＰ要求を再開する。
【０１０９】
任意選択で、別の実施形態として、データゲートウェイおよびサービングゲートウェイが別々に配備され、ユーザ機器のすべてのＰＤＮ接続のうちの一部のＰＤＮ接続が、リセットされたデータゲートウェイ上で確立される。
【０１１０】
データゲートウェイがリセットされる場合、再確立ユニット４２０が非アクティブ化要求メッセージをユーザ機器に送信し、リセットされたデータゲートウェイ上のＰＤＮ接続を削除し、その結果、ユーザ機器がＰＤＮ接続を再確立する。
【０１１１】
任意選択で、別の実施形態として、本発明のこの実施形態におけるモビリティ管理ネットワーク要素が、決定ユニット４４０をさらに含む。
【０１１２】
具体的には、決定ユニット４４０が、データゲートウェイの識別情報およびサービングゲートウェイの識別情報に従って、データゲートウェイとサービングゲートウェイが連帯的に配備されるかどうかを決定するように構成され、データゲートウェイの識別情報およびサービングゲートウェイの識別情報が、データゲートウェイのＩＰアドレスおよびサービングゲートウェイのＩＰアドレス、ならびに／もしくはデータゲートウェイの完全修飾ドメイン名およびサービングゲートウェイの完全修飾ドメイン名を含む。
【０１１３】
任意選択で、別の実施形態として、ユーザ機器の識別子が、ユーザ機器の国際移動体加入者識別番号ＩＭＳＩ、移動局国際ＩＳＤＮ番号ＭＳＩＳＤＮ、または国際移動体装置識別番号ＩＭＥＩの少なくとも１つを含み、モビリティ管理ネットワーク要素の識別子が、モビリティ管理ネットワーク要素のＩＰアドレス、モビリティ管理ネットワーク要素のグローバル一意識別子、またはモビリティ管理ネットワーク要素の完全修飾ドメイン名ＦＱＤＮの少なくとも１つを含む。
【０１１４】
図５は、本発明の実施形態によるデータゲートウェイの概略ブロック図である。図５に示されたデータゲートウェイ５００は、受信ユニット５１０および第１の送信ユニット５２０を含んでいる。
【０１１５】
具体的には、受信ユニット５１０が、ダウンリンクデータパケットを受信するように構成され、第１の送信ユニット５２０が、第１のメッセージをリセット中央サーバに送信するように構成され、第１のメッセージがユーザ機器の第１の識別情報を含み、その結果、リセット中央サーバが第１のメッセージに従ってユーザ機器のＰＤＮ接続を再確立する。
【０１１６】
したがって、本発明のこの実施形態では、第１のメッセージが、ダウンリンクデータパケットのヘッダ情報に従って決定されることがあり、第１のメッセージがユーザ機器の第１の識別情報を含み、その後、データゲートウェイが第１のメッセージをリセット中央サーバに送信し、その結果、リセット中央サーバがＰＤＮ接続を復元する。影響を受けるＰＤＮ接続が、適時に再確立されることができるため、ユーザエクスペリエンスが改善される。
【０１１７】
任意選択で、別の実施形態として、本発明のこの実施形態におけるデータゲートウェイが、第２の送信ユニット５３０をさらに含む。
【０１１８】
具体的には、第２の送信ユニット５３０が、ユーザ機器に関する情報を登録するために使用される第１の登録メッセージをリセット中央サーバに送信するように構成され、第１の登録メッセージがユーザ機器のＩＰアドレスおよびユーザ機器の識別子を含む。
【０１１９】
言い換えると、本発明のこの実施形態では、データゲートウェイがリセットされ、かつ／またはサービングゲートウェイがリセットされ、かつ元のＰＤＮに関する情報がリセット中央サーバで登録される前に、ユーザ機器の登録処理が完了される必要がある。具体的には、データゲートウェイがユーザ機器に関する情報を登録することが、データゲートウェイによって、ユーザ機器に関する情報を登録するために使用される第１の登録メッセージをリセット中央サーバに送信することを含み、第１の登録メッセージがユーザ機器のＩＰアドレスおよびユーザ機器の識別子を含む。
【０１２０】
具体的には、データゲートウェイが、ユーザ機器に関する情報を登録するために使用される第１の登録メッセージを、選択ポリシーに従ってリセット中央サーバに送信することがあり、選択ポリシーが、ユーザ機器の、ＩＰマルチメディアサブシステムＩＭＳアクセスポイント名ＡＰＮのＰＤＮ接続に関する情報を登録すること、またはハイレベルユーザ機器ＶＩＰのＰＤＮ接続に関する情報を登録すること、またはユーザ機器のすべてのリセットされたＰＤＮ接続を登録することを含む。
【０１２１】
任意選択で、別の実施形態として、第２の送信ユニット５３０が、ユーザ機器に関する情報を登録するために使用される第１の登録メッセージを、選択ポリシーに従ってリセット中央サーバに送信し、選択ポリシーが、ユーザ機器の、ＩＭＳ  ＡＰＮのＰＤＮ接続に関する情報を登録すること、またはＶＩＰのＰＤＮ接続に関する情報を登録することを含む。ユーザ機器の識別子は、ユーザ機器の国際移動体加入者識別番号ＩＭＳＩ、移動局国際ＩＳＤＮ番号ＭＳＩＳＤＮ、または国際移動体装置識別番号ＩＭＥＩの少なくとも１つを含む。
【０１２２】
任意選択で、別の実施形態として、第１の登録メッセージが、ＰＤＮ接続に対応するアクセスポイント名ＡＰＮをさらに含み、第１のメッセージがＡＰＮをさらに含む。
【０１２３】
任意選択で、別の実施形態として、本発明のこの実施形態におけるデータゲートウェイが、第１の決定ユニット５４０をさらに含む。
【０１２４】
具体的には、第１の決定ユニット５４０が、データゲートウェイがリセットされることを決定し、ダウンリンクデータパケットが信頼されるＡＰＮからのものであることを決定し、ダウンリンクデータパケットのヘッダ内のユーザ機器のＩＰアドレスを決定するように構成され、第１の識別情報がユーザ機器のＩＰアドレスを含む。
【０１２５】
任意選択で、別の実施形態として、本発明のこの実施形態におけるデータゲートウェイが、第２の決定ユニット５５０をさらに含む。
【０１２６】
具体的には、第２の決定ユニット５５０が、サービングゲートウェイがリセットされることを決定し、ダウンリンクデータパケットに対応するユーザ機器のＰＤＮ接続のコンテキストを問い合わせることによって、ダウンリンクデータパケットに対応するユーザ機器の識別子を決定し、ユーザ機器の識別子に従って第１のメッセージを決定するように構成され、第１の識別情報がユーザ機器の識別子を含む。
【０１２７】
具体的には、データゲートウェイが、信号伝達メッセージ内のリセットカウンタまたはパス検出メカニズムを使用することによって、サービングゲートウェイがリセットされることを知る。あるいは、データゲートウェイがダウンリンクデータパケットをサービングゲートウェイに送信し、サービングゲートウェイがダウンリンクデータパケットに対応するユーザ機器に関する情報を検出できないため、サービングゲートウェイがエラー指示（Ｅｒｒｏｒ  Ｉｎｄｉｃａｔｉｏｎ）メッセージをデータゲートウェイに送信する。その後、データゲートウェイは、サービングゲートウェイにおいて例外が発生したことを知る。
【０１２８】
任意選択で、別の実施形態として、第１のメッセージがリセット指示をさらに含み、リセット指示が、サービングゲートウェイがリセットされることを表すか、またはサービングゲートウェイによってデータゲートウェイに送信されたエラー指示メッセージを表し、エラー指示メッセージが、サービングゲートウェイがリセットされることを表す。
【０１２９】
任意選択で、別の実施形態として、ユーザ機器の識別子は、ユーザ機器の国際移動体加入者識別番号ＩＭＳＩ、移動局国際ＩＳＤＮ番号ＭＳＩＳＤＮ、または国際移動体装置識別番号ＩＭＥＩの少なくとも１つを含む。
【０１３０】
以下では、図６を参照してリセット中央サーバの観点から、図７を参照してモビリティ管理ネットワーク要素の観点から、および図８を参照してデータゲートウェイの観点から、本発明の実施形態におけるＰＤＮ接続再確立方法について説明する。
【０１３１】
図６は、本発明の実施形態に従うＰＤＮ接続再確立方法の概略フローチャートである。図６に示された方法は、リセット中央サーバによって実行され、図６に示された方法は以下のステップを含む。
【０１３２】
６１０．リセット中央サーバは、データゲートウェイにより送信される第１のメッセージを受信することであって、第１のメッセージは、第１の識別情報を含む。
【０１３３】
具体的には、データゲートウェイが、ダウンリンクデータパケットを受信した後に、データゲートウェイがリセットされること、および／またはサービングゲートウェイがリセットされることを決定し、データゲートウェイが、第１のメッセージをリセット中央サーバに送信する。
【０１３４】
６２０．リセット中央サーバが、第１の識別情報に従って、第１の識別情報に対応するモビリティ管理ネットワーク要素の識別子を決定する。
【０１３５】
具体的には、リセット中央サーバが、第１の識別情報に一致する、モビリティ管理ネットワーク要素の識別子に関して、ユーザ機器に関する情報が登録されたときに以前に格納された情報を検索することがある。
【０１３６】
６３０．リセット中央サーバは、第２のメッセージを、モビリティ管理ネットワーク要素の識別子に対応するモビリティ管理ネットワーク要素に送信することであって、第２のメッセージは、ユーザ機器の識別子を含み、その結果、モビリティ管理ネットワーク要素が、ユーザ機器のパケットデータネットワークＰＤＮ接続を、第２のメッセージに従って再確立する。
【０１３７】
具体的には、ユーザ機器に関する情報の登録が完了した後、ネットワークデバイス（データゲートウェイおよび／またはサービングゲートウェイ）がリセットされた後、およびデータゲートウェイがダウンリンクデータパケットを受信した後に、リセット中央サーバがデータゲートウェイによって送信された第１のメッセージを受信し、第１のメッセージが第１の識別情報を含む。次に、リセット中央サーバが、第１の識別情報に従って、第１の識別情報に対応する、モビリティ管理ネットワーク要素の識別子に関して、ユーザ機器に関する情報が登録されたときに格納された情報を検索し、第２のメッセージを、モビリティ管理ネットワーク要素の識別子に対応するモビリティ管理ネットワーク要素に送信し、第２のメッセージが、ユーザ機器の識別子を含み、その結果、モビリティ管理ネットワーク要素が、第２のメッセージに従ってパケットデータネットワークＰＤＮ接続を再確立し、ネットワークデバイス（データゲートウェイおよび／またはサービングゲートウェイ）のリセットによる影響を受けるＰＤＮ接続の復元が実装される。
【０１３８】
したがって、本発明のこの実施形態において、リセット中央サーバが、データゲートウェイによって送信された第１のメッセージを受信し、第１のメッセージに含まれる第１の識別情報に従って、第１の識別情報に対応する、モビリティ管理ネットワーク要素の識別子に関して、格納された情報を検索し、第２のメッセージを、モビリティ管理ネットワーク要素の識別子に対応するモビリティ管理ネットワーク要素に送信することがあり、第２のメッセージがユーザ機器の識別子を含み、その結果、モビリティ管理ネットワーク要素が、第２のメッセージに従ってパケットデータネットワークＰＤＮ接続を再確立する。影響を受けるＰＤＮ接続が、適時に再確立されることができるため、ユーザエクスペリエンスが改善される。
【０１３９】
本発明のこの実施形態におけるリセット中央サーバは、独立して配備された論理的実体であることがあるか、またはネットワーク内の別のネットワーク要素と連帯的に配備されることがあると理解されるべきである。例えば、リセット中央サーバは、家庭用加入者サーバ（Ｈｏｍｅ  Ｓｕｂｓｃｒｉｂｅｒ  Ｓｅｒｖｅｒ、ＨＳＳ）などのデバイスまたはポリシーおよび課金ルール機能（Ｐｏｌｉｃｙ  ａｎｄ  Ｃｈａｒｇｉｎｇ  Ｒｕｌｅｓ  Ｆｕｎｃｔｉｏｎ、ＰＣＲＦ）であることがある。リセット中央サーバに関する情報は、データゲートウェイ上で構成されることがあるか、ＨＳＳ、ＰＣＲＦ、またはネットワーク管理運用および保守Ｏ＆Ｍ（Ｏｐｅｒａｔｉｏｎ  ａｎｄ  Ｍａｉｎｔｅｎａｎｃｅ）センターなどの別のネットワーク要素を使用して構成されてデータゲートウェイに提供されることがある。データゲートウェイは、情報に従って、メッセージを対応するリセット中央サーバに送信する。
【０１４０】
ノードのリセットによる影響を受けるユーザ／ＰＤＮ接続に関する情報は、既存の解決策を使用して再確立され、その結果、ダウンリンクデータパケットがユーザ機器に送信されることができる。その方法は次のとおりである。
【０１４１】
サービングゲートウェイがリセットされるときの再確立方法は、次のとおりである。方法１：モビリティ管理ネットワーク要素が、サービングゲートウェイがリセットされることを知った後に、影響を受けるユーザ機器に関して、モビリティ管理ネットワーク要素がサービングゲートウェイを再選択し、サービングゲートウェイハンドオーバ手順を開始し、選択されたサービングゲートウェイ上のユーザ機器のコンテキストを再確立する。サービングゲートウェイがリセットされることを知った後に、データゲートウェイが、サービングゲートウェイのリセットによる影響を受けるＰＤＮ接続のコンテキストを一定の期間予約し、モビリティ管理ネットワーク要素によって選択されたサービングゲートウェイがデータゲートウェイへのダウンリンクトンネル情報を更新するのを待機する。方法２：データゲートウェイが、サービングゲートウェイがリセットされることを知った後に、サービングゲートウェイのリセットによる影響を受けるユーザ機器のダウンリンクデータパケットが受信された場合、データゲートウェイがサービングゲートウェイを選択し、ダウンリンクデータパケット通知メッセージをサービングゲートウェイに送信する。サービングゲートウェイはダウンリンクデータパケット通知メッセージをモビリティ管理ネットワーク要素に送信し、モビリティ管理ネットワーク要素がサービングゲートウェイを再選択し、サービングゲートウェイハンドオーバ手順を実行し、選択されたサービングゲートウェイ上のユーザのコンテキストを再確立する。ただし、前述の２つの方法では、サービングゲートウェイがリセットされるときに、再確立方法１の場合、モビリティ管理ネットワーク要素が、サービングゲートウェイがリセットされることを検出した後に、復元がトリガされる。リセット検出メカニズムは時宜を得ていないことがあり、その結果、一部のユーザ機器のダウンリンクデータは到着することができない。方法２の場合、データゲートウェイがダウンリンクデータパケット通知メッセージを送信して復元をトリガする必要がある。しかし、実際のネットワークでは、ほとんどの場合、サービングゲートウェイおよびデータゲートウェイが連帯的に配備され、サービングゲートウェイがリセットされるときに、データゲートウェイもリセットされる。したがって、方法２では、データゲートウェイが復元メカニズムを実装することはできない。
【０１４２】
データゲートウェイがリセットされるときに、再確立方法は次のようになる：サービングゲートウェイが、データゲートウェイがリセットされることを知った後に、サービングゲートウェイがデータゲートウェイリセット通知メッセージをモビリティ管理ネットワーク要素に送信し、このメッセージがデータゲートウェイのインターネットプロトコル（Ｉｎｔｅｒｎｅｔ  Ｐｒｏｔｏｃｏｌ、略してＩＰアドレス）およびサービングゲートウェイのＩＰアドレスを含む。モビリティ管理ネットワーク要素は、メッセージを受信した後に、データゲートウェイのＩＰアドレスおよびサービングゲートウェイのＩＰアドレスに従って、関連するＰＤＮ接続をスキャンし、ＰＤＮ接続削除／ユーザデタッチ手順を開始して、ユーザ機器によるＰＤＮ接続の再確立をトリガする。しかし、データゲートウェイがリセットされる場合、この復元方法では、サービングゲートウェイがデータゲートウェイがリセットされることを検出した後に、復元がトリガされる。検出メカニズムが時宜を得ていないという問題も存在し、この方法は、サービングゲートウェイがデータゲートウェイがリセットされることを知った後に、内部の影響を受けるＰＤＮ接続をスキャンするタイミングにさらに依存している。サービングゲートウェイがデータゲートウェイがリセットされることを知る前に、ユーザ機器のダウンリンクデータパケットが破棄されることがある。同様に、サービングゲートウェイおよびデータゲートウェイが連帯的に配備されている場合、データゲートウェイがリセットされると、サービングゲートウェイもリセットされ、サービングゲートウェイは、データゲートウェイがリセットされるときに使用される復元方法を実装できない。
【０１４３】
サービングゲートウェイがリセットされてデータゲートウェイがリセットされるときに使用される前述の再確立方法では、ユーザは長時間待機する必要があり、ダウンリンクデータパケットは適時にユーザ機器に到着することができず、ユーザエクスペリエンスに影響を与える。例えば、音声電話では、ユーザ機器が長時間着呼サービスを実行することができず、ユーザ機器のサービスエクスペリエンスが影響を受ける。したがって、着呼者に複数回連絡しようとして失敗するため、ネットワークとサービスに対する発呼者の満足度が低下する。しかし、本発明のこの実施形態では、データゲートウェイがリセットされ、かつ／またはサービングゲートウェイがリセットされるときに、リセット中央サーバが、データゲートウェイによって送信された第１のメッセージを受信することであって、第１のメッセージがユーザ機器の第１の識別情報を含む、ことと、第１の識別情報に従って、第１の識別情報に対応するモビリティ管理ネットワーク要素の識別子およびユーザ機器の識別子に関して、格納された情報を検索することと、第２のメッセージを、モビリティ管理ネットワーク要素の識別子に対応するモビリティ管理ネットワーク要素に送信することとを行うことがあり、第２のメッセージがユーザ機器の識別子を含み、その結果、モビリティ管理ネットワーク要素が、第２のメッセージに従ってパケットデータネットワークＰＤＮ接続を再確立することをトリガされる。影響を受けるＰＤＮ接続が、適時に再確立されることができるため、ダウンリンクデータパケットが、適時にユーザ機器に到着することができ、ユーザの待機時間が減少され、ユーザエクスペリエンスが改善される。
【０１４４】
任意選択で、別の実施形態では、第１の識別情報が、ユーザ機器のインターネットプロトコルＩＰアドレスまたはユーザ機器の識別子を含み、本発明のこの実施形態における方法が、リセット中央サーバによって、データゲートウェイによって送信されてユーザ機器に関する情報を登録するために使用される第１の登録メッセージを受信するステップであって、第１の登録メッセージが、ユーザ機器のインターネットプロトコルＩＰアドレスおよびユーザ機器の識別子を含む、ステップと、リセット中央サーバによって、モビリティ管理ネットワーク要素によって送信されてユーザ機器に関する情報を登録するために使用される第２の登録メッセージを受信するステップであって、第２の登録メッセージが、モビリティ管理ネットワーク要素の識別子およびユーザ機器の識別子を含む、ステップと、リセット中央サーバによって、ユーザ機器のインターネットプロトコルＩＰアドレスおよびユーザ機器の識別子を、ユーザ機器の識別子に従って、モビリティ管理ネットワーク要素の識別子に関連付けるステップとをさらに含む。
【０１４５】
言い換えると、本発明のこの実施形態では、データゲートウェイがリセットされ、かつ／またはサービングゲートウェイがリセットされ、かつＰＤＮに関する情報がリセット中央サーバで登録される前に、ユーザ機器の登録処理が完了される必要がある。具体的には、リセット中央サーバが、データゲートウェイによって送信されてユーザ機器に関する情報を登録するために使用される第１の登録メッセージを受信することがあり、第１の登録メッセージがユーザ機器のインターネットプロトコルＩＰアドレスおよびユーザ機器の識別子を含み、リセット中央サーバが、モビリティ管理ネットワーク要素によって送信されてユーザ機器に関する情報を登録するために使用される第２の登録メッセージを受信し、第２の登録メッセージがモビリティ管理ネットワーク要素の識別子およびユーザ機器の識別子を含み、リセット中央サーバが、ユーザ機器の識別子に従って、ＰＤＮ接続に関する情報を互いに対応付けることを可能にする。
【０１４６】
任意選択で、別の実施形態として、第１の登録メッセージがＰＤＮ接続に対応するアクセスポイント名ＡＰＮをさらに含むことがあり、ステップ６３０において、第２のメッセージがＡＰＮをさらに含み、その結果、モビリティ管理ネットワーク要素が、ユーザ機器の識別子およびＡＰＮに従ってＰＤＮ接続を再確立する。言い換えると、ＰＤＮを再確立するときに、モビリティ管理ネットワーク要素が、ＡＰＮに関する情報に従って、再確立する必要のあるＰＤＮ接続を決定することがある。
【０１４７】
任意選択で、別の実施形態として、第１の識別情報が、ユーザ機器のＩＰアドレスおよび／またはユーザ機器の識別子を含むことがある。具体的には、データゲートウェイがリセットされるときに、第１の識別情報がユーザ機器のＩＰアドレスを含み、ステップ６２０において、リセット中央サーバが、ユーザ機器のＩＰアドレスに従って、ユーザ機器のＩＰアドレスに対応するモビリティ管理ネットワーク要素の識別子およびユーザ機器の識別子を決定する。
【０１４８】
あるいは、サービングゲートウェイがリセットされるときに、第１の識別情報がユーザ機器の識別子を含む。
【０１４９】
任意選択で、ユーザ機器の識別子が、ユーザ機器の国際移動体加入者識別番号ＩＭＳＩ、移動局国際ＩＳＤＮ番号ＭＳＩＳＤＮ、または国際移動体装置識別番号ＩＭＥＩの少なくとも１つを含むことがある。
【０１５０】
任意選択で、モビリティ管理ネットワーク要素の識別子が、モビリティ管理ネットワーク要素のＩＰアドレス、モビリティ管理ネットワーク要素のグローバル一意識別子、またはモビリティ管理ネットワーク要素の完全修飾ドメイン名ＦＱＤＮの少なくとも１つを含む。
【０１５１】
図７は、本発明の別の実施形態によるＰＤＮ接続再確立方法の概略フローチャートである。図７に示された方法は、モビリティ管理ネットワーク要素によって実行され、図７に示された方法は以下のステップを含む。
【０１５２】
７１０．モビリティ管理ネットワーク要素は、リセット中央サーバにより送信される第２のメッセージを受信することであって、第２のメッセージは、ユーザ機器の識別子を含み、第２のメッセージは、モビリティ管理ネットワーク要素をトリガして、ＰＤＮ接続を再確立するために使用され、第２のメッセージは、リセット中央サーバが、データゲートウェイにより送信される第１のメッセージを受信した後に送信され、第１のメッセージは、第１の識別情報を含む。
【０１５３】
７２０．モビリティ管理ネットワーク要素は、ＰＤＮ接続を、第２のメッセージに従って再確立する。
【０１５４】
したがって、本発明のこの実施形態では、モビリティ管理ネットワーク要素が、リセット中央サーバによって送信された第２のメッセージを受信することがあり、第２のメッセージがユーザ機器の識別子を含み、第２のメッセージが、モビリティ管理ネットワーク要素によるＰＤＮ接続の再確立をトリガするために使用され、モビリティ管理ネットワーク要素が、第２のメッセージに従ってユーザ機器のＰＤＮ接続を再確立する。影響を受けるＰＤＮ接続が、適時に再確立されることができるため、ユーザエクスペリエンスが改善される。
【０１５５】
任意選択で、別の実施形態として、第１の識別情報が、ユーザ機器のインターネットプロトコルＩＰアドレスまたはユーザ機器の識別子を含み、本発明のこの実施形態における方法が、モビリティ管理ネットワーク要素によって、ユーザ機器に関する情報を登録するために使用される第２の登録メッセージをリセット中央サーバに送信するステップであって、第２の登録メッセージが、モビリティ管理ネットワーク要素の識別子およびユーザ機器の識別子を含む、ステップをさらに含む。
【０１５６】
言い換えると、本発明のこの実施形態では、データゲートウェイがリセットされ、かつ／またはサービングゲートウェイがリセットされ、かつＰＤＮに関する情報がリセット中央サーバで登録される前に、ユーザ機器の登録処理が完了される必要がある。具体的には、移動管理がユーザ機器に関する情報を登録することが、モビリティ管理ネットワーク要素によって、ユーザ機器に関する情報を登録するために使用される第２の登録メッセージをリセット中央サーバに送信することを含み、第２の登録メッセージがモビリティ管理ネットワーク要素の識別子およびユーザ機器の識別子を含む。
【０１５７】
具体的には、モビリティ管理ネットワーク要素が、第１の選択ポリシーに従って、ユーザ機器に関する情報を登録するために使用される第２の登録メッセージを、リセット中央サーバに送信し、第１の選択ポリシーが、ユーザ機器の、ＩＰマルチメディアサブシステムＩＭＳアクセスポイント名ＡＰＮのＰＤＮ接続を確立するユーザ機器に関する情報を登録すること、またはハイレベルユーザ機器ＶＩＰに関する情報を登録することを含む。
【０１５８】
任意選択で、別の実施形態として、ステップ７２０において、モビリティ管理ネットワーク要素が、第２の選択ポリシーに従って、再確立される必要があるＰＤＮ接続を決定し、第２の選択ポリシーが、ＩＭＳ  ＡＰＮのＰＤＮ接続を復元すること、またはＶＩＰユーザのＰＤＮ接続を復元することを含む。
【０１５９】
ユーザ機器の識別子は、ユーザ機器の国際移動体加入者識別番号ＩＭＳＩ、移動局国際ＩＳＤＮ番号ＭＳＩＳＤＮ、または国際移動体装置識別番号ＩＭＥＩの少なくとも１つを含むことがあると理解されるべきである。モビリティ管理ネットワーク要素の識別子は、モビリティ管理ネットワーク要素のＩＰアドレス、モビリティ管理ネットワーク要素のグローバル一意識別子、またはモビリティ管理ネットワーク要素の完全修飾ドメイン名ＦＱＤＮの少なくとも１つを含むことがある。
【０１６０】
任意選択で、別の実施形態として、第２の登録メッセージが、ユーザ機器のＰＤＮ接続に対応するアクセスポイント名ＡＰＮをさらに含み、対応が、ユーザ機器のインターネットプロトコルＩＰアドレスおよび／またはユーザ機器の識別子、ＡＰＮ、ならびにモビリティ管理ネットワーク要素の識別子の間の対応を含み、第２のメッセージがＡＰＮをさらに含む。ステップ７２０において、モビリティ管理ネットワーク要素が、ユーザ機器の識別子およびＡＰＮに従ってＰＤＮ接続を再確立する。
【０１６１】
任意選択で、別の実施形態として、第２のメッセージがリセット指示をさらに含み、リセット指示が、サービングゲートウェイがリセットされることを表すために使用される。ステップ７２０において、モビリティ管理ネットワーク要素が、サービングゲートウェイを再選択し、セッションセットアップ要求メッセージを、再選択されたサービングゲートウェイに送信し、セッションセットアップメッセージが、復元する必要のある、ユーザ機器のＰＤＮ接続に関する情報を含み、その結果、ＰＤＮ接続が、再選択されたサービングゲートウェイ上で再確立することがある。
【０１６２】
再選択されたサービングゲートウェイは、リセットされて再起動されたサービングゲートウェイまたは別のサービングゲートウェイである。言い換えると、ステップ７２０において、モビリティ管理ネットワーク要素がサービングゲートウェイを再選択し、ユーザのコンテキストを再確立する。
【０１６３】
さらに、実際の適用では、モビリティ管理ネットワーク要素は、ユーザ機器の状態に従って、ＰＤＮ接続を再確立することがある。
【０１６４】
具体的には、ＰＤＮ接続を再確立するときに、ユーザ機器がモビリティ管理ネットワーク要素に接続された状態である場合、モビリティ管理ネットワーク要素が、まずユーザ機器への信号伝達接続を解放し、ユーザ機器をアイドル状態に変更し、その後、モビリティ管理ネットワーク要素がサービングゲートウェイを再選択し、セッションセットアップ要求メッセージを再選択されたサービングゲートウェイに送信し、セッションセットアップメッセージが、復元される必要のある、ユーザ機器のＰＤＮ接続に関する情報を含み、その結果、ＰＤＮ接続が、再選択されたサービングゲートウェイ上で再確立される。
【０１６５】
あるいは、ユーザ機器がサービス要求、モビリティ管理ネットワーク要素が変更されていないトラッキングエリアの更新手順、またはモビリティ管理ネットワーク要素が変更されていないルーティングエリアの更新手順を開始している場合、まずモビリティ管理ネットワーク要素が、サービングゲートウェイを再選択し、セッションセットアップ要求メッセージを再選択されたサービングゲートウェイに送信し、セッションセットアップメッセージが、復元される必要のある、ユーザ機器のＰＤＮ接続に関する情報を含み、その結果、再選択されたサービングゲートウェイ上でＰＤＮ接続が再確立され、次にモビリティ管理ネットワーク要素が、その後開始されたサービス要求、モビリティ管理ネットワーク要素が変更されていないトラッキングエリアの更新手順、またはモビリティ管理ネットワーク要素が変更されていないルーティングエリアの更新手順を実行する。
【０１６６】
あるいは、ユーザ機器が、モビリティ管理ネットワーク要素が変更されたトラッキングエリアの更新手順、またはモビリティ管理ネットワーク要素が変更されたルーティングエリアの更新手順を開始している場合、モビリティ管理ネットワーク要素が、ターゲット側モビリティ管理ネットワーク要素に、サービングゲートウェイの再選択手順が実行される必要があることを通知し、ターゲットモビリティ管理ネットワーク要素がサービングゲートウェイを再選択し、セッションセットアップ要求メッセージを再選択されたサービングゲートウェイに送信し、セッションセットアップメッセージが、復元される必要のある、ユーザ機器のＰＤＮ接続に関する情報を含み、その結果、ＰＤＮ接続が、再選択されたサービングゲートウェイ上で再確立される。
【０１６７】
あるいは、ユーザ機器がハンドオーバ手順を実行している場合、モビリティ管理ネットワーク要素がハンドオーバ要求メッセージまたは再割り当て要求メッセージを拒否し、ユーザ機器をアイドル状態に変更し、その後、モビリティ管理ネットワーク要素がサービングゲートウェイを再選択し、セッションセットアップ要求メッセージを再選択されたサービングゲートウェイに送信し、セッションセットアップメッセージが、復元される必要のある、ユーザ機器のＰＤＮ接続に関する情報を含み、その結果、ＰＤＮ接続が、再選択されたサービングゲートウェイ上で再確立される。
【０１６８】
任意選択で、別の実施形態として、データゲートウェイおよびサービングゲートウェイが連帯的に配備され、ユーザ機器のすべてのＰＤＮ接続のうちの一部のＰＤＮ接続が、リセットされたデータゲートウェイ上で確立される。ステップ７２０において、データゲートウェイがリセットされる場合、モビリティ管理ネットワーク要素がサービングゲートウェイを再選択し、セッションセットアップ要求メッセージを再選択されたサービングゲートウェイに送信し、セッションセットアップ要求メッセージが、リセットされない別のデータゲートウェイ上のユーザ機器によって確立されたＰＤＮ接続に関する情報を搬送し、その結果、再選択されたサービングゲートウェイが、リセットされない別のデータゲートウェイへのＰＤＮ接続を確立し、再選択されたサービングゲートウェイは、リセットされて再起動されたサービングゲートウェイまたは別のサービングゲートウェイである。
【０１６９】
あるいは、別の実施形態として、データゲートウェイおよびサービングゲートウェイが連帯的に配備され、ユーザ機器のすべてのＰＤＮ接続のうちの一部のＰＤＮ接続が、リセットされたデータゲートウェイ上で確立される。ステップ７２０において、データゲートウェイがリセットされる場合、モビリティ管理ネットワーク要素が非アクティブ化要求メッセージをユーザ機器に送信し、リセットされたデータゲートウェイ上のＰＤＮ接続を削除し、その結果、ユーザ機器がＰＤＮ接続を再確立する。
【０１７０】
あるいは、別の実施形態として、モビリティ管理ネットワーク要素がＭＭＥであり、データゲートウェイおよびサービングゲートウェイが連帯的に配備されるか、またはデータゲートウェイおよびサービングゲートウェイが別々に配備され、ユーザ機器のすべてのＰＤＮ接続が、リセットされたデータゲートウェイ上で確立される。ステップ７２０において、データゲートウェイがリセットされる場合、モビリティ管理ネットワーク要素がデタッチ要求メッセージをユーザ機器に送信し、デタッチ要求メッセージが再アタッチ要求の原因値を搬送し、その結果、ユーザ機器がデタッチ要求メッセージに従ってすべてのＰＤＮ接続を削除し、アタッチ手順を再開する。
【０１７１】
あるいは、別の実施形態として、モビリティ管理ネットワーク要素がＳＧＳＮであり、データゲートウェイおよびサービングゲートウェイが連帯的に配備されるか、またはデータゲートウェイおよびサービングゲートウェイが別々に配備され、ユーザ機器のすべてのＰＤＮ接続が、リセットされたデータゲートウェイ上で確立される。ステップ７２０において、データゲートウェイがリセットされる場合、モビリティ管理ネットワーク要素がＰＤＰ非アクティブ化メッセージをユーザ機器に送信し、ＰＤＰ非アクティブ化メッセージが再アクティブ化要求の原因値を搬送し、その結果、ユーザ機器がＰＤＰ非アクティブ化メッセージに従ってすべてのＰＤＰ接続を削除し、アクティブ化ＰＤＰ要求を再起動する。
【０１７２】
あるいは、別の実施形態として、データゲートウェイおよびサービングゲートウェイが別々に配備され、ユーザ機器のすべてのＰＤＮ接続のうちの一部のＰＤＮ接続が、リセットされたデータゲートウェイ上で確立される。ステップ７２０において、データゲートウェイがリセットされる場合、モビリティ管理ネットワーク要素が非アクティブ化要求メッセージをユーザ機器に送信し、リセットされたデータゲートウェイ上のＰＤＮ接続を削除し、その結果、ユーザ機器がＰＤＮ接続を再確立する。
【０１７３】
任意選択で、別の実施形態として、ステップ７２０において、モビリティ管理ネットワーク要素が、データゲートウェイの識別情報およびサービングゲートウェイの識別情報に従って、データゲートウェイとサービングゲートウェイが連帯的に配備されるかどうかを決定することがあり、データゲートウェイの識別情報およびサービングゲートウェイの識別情報が、データゲートウェイのＩＰアドレスおよびサービングゲートウェイのＩＰアドレス、ならびに／もしくはデータゲートウェイの完全修飾ドメイン名およびサービングゲートウェイの完全修飾ドメイン名を含む。
【０１７４】
図８は、本発明の別の実施形態に従うＰＤＮ接続再確立方法の概略フローチャートである。図８に示された方法は、データゲートウェイによって実行され、図８に示された方法は以下のステップを含む。
【０１７５】
８１０．データゲートウェイは、ダウンリンクデータパケットを受信する。
【０１７６】
具体的には、データゲートウェイがダウンリンクデータパケットを受信し、データゲートウェイが、データゲートウェイ／サービングゲートウェイがリセットされることを決定する。
【０１７７】
８２０．データゲートウェイは、第１のメッセージをリセット中央サーバに送信することであって、第１のメッセージは、ユーザ機器の第１の識別情報を含み、その結果、リセット中央サーバが、ＰＤＮ接続を、第１のメッセージに従って再確立する。
【０１７８】
したがって、本発明のこの実施形態では、データゲートウェイが、第１のメッセージをリセット中央サーバに送信することがあり、第１のメッセージがユーザ機器の第１の識別情報を含み、その結果、リセット中央サーバがＰＤＮ接続を復元する。影響を受けるＰＤＮ接続が、適時に再確立されることができるため、ユーザエクスペリエンスが改善される。
【０１７９】
任意選択で、別の実施形態として、本発明のこの実施形態における方法が、データゲートウェイによって、ユーザ機器に関する情報を登録するために使用される第１の登録メッセージをリセット中央サーバに送信するステップであって、第１の登録メッセージがユーザ機器のＩＰアドレスおよびユーザ機器の識別子を含むステップをさらに含む。
【０１８０】
言い換えると、本発明のこの実施形態では、データゲートウェイがリセットされ、かつ／またはサービングゲートウェイがリセットされ、かつ元のＰＤＮに関する情報がリセット中央サーバで登録される前に、ユーザ機器の登録処理が完了される必要がある。具体的には、データゲートウェイがユーザ機器に関する情報を登録することが、データゲートウェイによって、ユーザ機器に関する情報を登録するために使用される第１の登録メッセージをリセット中央サーバに送信することを含み、第１の登録メッセージがユーザ機器のＩＰアドレスおよびユーザ機器の識別子を含む。
【０１８１】
具体的には、データゲートウェイが、ユーザ機器に関する情報を登録するために使用される第１の登録メッセージを、選択ポリシーに従ってリセット中央サーバに送信することがあり、選択ポリシーが、ユーザ機器の、ＩＰマルチメディアサブシステムＩＭＳアクセスポイント名ＡＰＮのＰＤＮ接続に関する情報を登録すること、またはハイレベルユーザ機器ＶＩＰのＰＤＮ接続に関する情報を登録すること、またはユーザ機器のすべてのリセットされたＰＤＮ接続に関する情報を登録することを含む。
【０１８２】
ユーザ機器の識別子は、ユーザ機器の国際移動体加入者識別番号ＩＭＳＩ、移動局国際ＩＳＤＮ番号ＭＳＩＳＤＮ、または国際移動体装置識別番号ＩＭＥＩの少なくとも１つを含む。
【０１８３】
任意選択で、別の実施形態として、第１の登録メッセージが、ＰＤＮ接続に対応するアクセスポイント名ＡＰＮをさらに含み、第１のメッセージがＡＰＮをさらに含む。
【０１８４】
さらに、別の実施形態として、データゲートウェイが、ユーザ機器に関する情報を登録するために使用される第１の登録メッセージを、選択ポリシーに従ってリセット中央サーバに送信し、選択ポリシーが、ユーザ機器の、ＩＭＳ  ＡＰＮのＰＤＮ接続に関する情報、またはＶＩＰのＰＤＮ接続に関する情報を含む。
【０１８５】
任意選択で、別の実施形態として、本発明のこの実施形態における方法が、データゲートウェイによって、データゲートウェイがリセットされることを決定するステップと、データゲートウェイによって、ダウンリンクデータパケットが信頼されるＡＰＮからのものであることを決定するステップと、ダウンリンクデータパケットのヘッダ内のユーザ機器のＩＰアドレスを決定するステップであって、第１の識別情報がユーザ機器のＩＰアドレスを含む、ステップとをさらに含む。
【０１８６】
あるいは、別の実施形態として、本発明のこの実施形態における方法が、データゲートウェイによって、サービングゲートウェイがリセットされることを決定するステップと、データゲートウェイによってダウンリンクデータパケットに対応するユーザ機器のＰＤＮ接続のコンテキストを問い合わせることによって、ダウンリンクデータパケットに対応するユーザ機器の識別子を決定するステップであって、第１の識別情報がユーザ機器の識別子を含む、ステップとをさらに含む。
【０１８７】
具体的には、データゲートウェイが、信号伝達メッセージ内のリセットカウンタまたはパス検出メカニズムを使用することによって、サービングゲートウェイがリセットされることを知る。あるいは、データゲートウェイが、ダウンリンクデータパケットをサービングゲートウェイに送信し、サービングゲートウェイがダウンリンクデータパケットに対応するユーザ機器に関する情報を検出できないため、サービングゲートウェイがエラー指示（Ｅｒｒｏｒ  Ｉｎｄｉｃａｔｉｏｎ）メッセージをデータゲートウェイに送信する。その後、データゲートウェイは、サービングゲートウェイにおいて例外が発生したことを知る。
【０１８８】
さらに、第１のメッセージがリセット指示をさらに含み、リセット指示が、サービングゲートウェイがリセットされることを表すために使用されるか、またはサービングゲートウェイによってデータゲートウェイに送信されるエラー指示メッセージを表し、エラー指示メッセージが、サービングゲートウェイがリセットされることを表す。
【０１８９】
前述において、図６を参照してリセット中央サーバの観点から、図７を参照してモビリティ管理ネットワーク要素の観点から、および図８を参照してデータゲートウェイの観点から、本発明の実施形態におけるＰＤＮ接続再確立方法について詳細に説明した。図６から図８の例が、単に当業者が本発明の実施形態を理解できるように意図されており、本発明の実施形態を特定の例示された値または特定の例示されたシナリオに制限しないということに注意する必要がある。当業者は、図６から図８において提供されている例に従って、確かにさまざまな修正または変更を行うことができ、そのような修正または変更も、本発明の保護の範囲内にある。以下では、具体的な例を参照して、本発明の実施形態をさらに詳細に説明する。
【０１９０】
図９は、本発明の実施形態による、ユーザ機器に関する情報を登録するフローチャートである。図９に示された手順は、ＥＰＳネットワーク内のユーザ機器に関する情報を登録する手順である。図のアクセスネットワークはＧＥＲＡＮの３ＧＰＰアクセスであることがあり、対応するアクセスネットワークデバイスはＢＳＳであり、またはアクセスネットワークはＵＴＲＡＮの３ＧＰＰアクセスであることがあり、対応するアクセスネットワークデバイスはＲＮＳであり、またはアクセスネットワークはＥ−ＵＴＲＡＮの３ＧＰＰアクセスであることがあり、対応するアクセスネットワークデバイスは進化型ノードＢ（Ｅｖｏｌｖｅｄ  Ｎｏｄｅ  Ｂ、ｅＮｏｄｅＢ）である。モビリティ管理ネットワーク要素は、Ｓ４  ＳＧＳＮまたはＭＭＥであることがあり、サービングゲートウェイはＳＧＷであることがあり、データゲートウェイはＰＧＷであることがある。図９に示されるように、この手順は以下のステップを含む。
【０１９１】
９０１．ユーザ機器は、要求メッセージをモビリティ管理ネットワーク要素に送信する。
【０１９２】
ユーザ機器が接続確立手順を開始し、具体的には、ユーザ機器が、アタッチ要求またはパケットデータプロトコル（Ｐａｃｋｅｔ  Ｄａｔａ  Ｐｒｏｔｏｃｏｌ、ＰＤＰ）アクティブ化要求またはＰＤＮ接続確立要求メッセージをモビリティ管理ネットワーク要素に送信する。
【０１９３】
９０２．モビリティ管理ネットワーク要素は、セッションセットアップ要求メッセージをサービングゲートウェイに送信する。
【０１９４】
具体的には、モビリティ管理ネットワーク要素が、ユーザ機器によって送信された要求メッセージを受信した後に、要求メッセージに従ってセッションセットアップ要求メッセージをサービングゲートウェイに送信する。
【０１９５】
９０３．サービングゲートウェイは、セッションセットアップ要求メッセージをデータゲートウェイに送信する。
【０１９６】
具体的には、サービングゲートウェイが、モビリティ管理ネットワーク要素によって送信された要求メッセージを受信した後に、要求メッセージに従ってセッションセットアップ要求メッセージをデータゲートウェイに送信する。
【０１９７】
９０４．データゲートウェイは、セッションセットアップ応答メッセージをサービングゲートウェイに送信する。
【０１９８】
具体的には、データゲートウェイが、サービングゲートウェイによって送信されたセッションセットアップ要求メッセージを受信した後に、データゲートウェイがユーザ機器のＰＤＮ接続を確立し、セッションセットアップ応答メッセージをサービングゲートウェイに送信する。
【０１９９】
９０５．データゲートウェイは、リセット中央サーバに、ユーザ機器に関する情報を登録するために使用されるメッセージを送信する。
【０２００】
具体的には、メッセージがユーザ機器のＩＰアドレスおよびユーザ機器の識別子を含む。加えて、メッセージは、ＰＤＮ接続に対応するアクセスポイント名（Ａｃｃｅｓｓ  Ｐｏｉｎｔ  Ｎａｍｅ、ＡＰＮ）などの情報をさらに含むことがある。
【０２０１】
ユーザ機器の識別子は、国際移動体加入者識別番号（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ、ＩＭＳＩ）、移動局国際ＩＳＤＮ番号（Ｍｏｂｉｌｅ  Ｓｕｂｓｃｒｉｂｅｒ  Ｉｎｔｅｒｎａｔｉｏｎａｌ  ＩＳＤＮ／ＰＳＴＮ  ｎｕｍｂｅｒ、ＭＳＩＳＤＮ）、または国際移動体装置識別番号（Ｉｎｔｅｒｎａｔｉｏｎａｌ  Ｍｏｂｉｌｅ  Ｅｑｕｉｐｍｅｎｔ  Ｉｄｅｎｔｉｔｙ、ＩＭＥＩ）の少なくとも１つであることがある。
【０２０２】
本発明の実施形態におけるリセット中央サーバノードが、独立して配備された論理的実体であるか、またはネットワーク内の別のネットワーク要素と連帯的に配備されることがあることに注意する必要がある。例えば、リセット中央サーバは、家庭用加入者サーバ（Ｈｏｍｅ  Ｓｕｂｓｃｒｉｂｅｒ  Ｓｅｒｖｅｒ、ＨＳＳ）などのデバイスまたはポリシーおよび課金ルール機能（Ｐｏｌｉｃｙ  ａｎｄ  Ｃｈａｒｇｉｎｇ  Ｒｕｌｅｓ  Ｆｕｎｃｔｉｏｎ、ＰＣＲＦ）であることがある。リセット中央サーバに関する情報は、データゲートウェイ上で構成されることがあるか、ＨＳＳ、ＰＣＲＦ、またはネットワーク管理Ｏ＆Ｍセンターなどの別のネットワーク要素を使用してデータゲートウェイに提供されることがある。データゲートウェイは、情報に従って、メッセージを対応するリセット中央サーバに送信する。リセット中央サーバに関する情報は、リセット中央サーバのＩＰアドレス、リセット中央サーバのグローバル一意識別子、リセット中央サーバの完全修飾ドメイン名（Ｆｕｌｌｙ  Ｑｕａｌｉｆｉｅｄ  Ｄｏｍａｉｎ  Ｎａｍｅ、ＦＱＤＮ）、または同様のものであることがある。
【０２０３】
さらに、データゲートウェイは、選択ポリシーに従ってＰＤＮ接続を選択することがあり、選択ポリシーに従うＰＤＮ接続の場合、データゲートウェイはユーザ機器に関する情報をリセット中央サーバで登録する。例えば、ユーザ機器のＩＰマルチメディアサブシステム（ＩＰ  Ｍｕｌｔｉｍｅｄｉａ  Ｓｕｂｓｙｓｔｅｍ、ＩＭＳ）のＡＰＮのＰＤＮ接続に関する情報のみが登録され、別の例では、ハイレベルユーザ機器（Ｖｅｒｙ  Ｉｍｐｏｒｔａｎｔ  Ｐｅｏｐｌｅ、ＶＩＰ）のＰＤＮに関する情報のみが登録される。選択ポリシーは、データゲートウェイ上で事前に構成されることがあるか、もしくはＨＳＳまたはＰＣＲＦなどの別のネットワーク要素から取得されることがある。
【０２０４】
９０６．サービングゲートウェイは、セッションセットアップ応答メッセージをモビリティ管理ネットワーク要素に送信する。
【０２０５】
具体的には、サービングゲートウェイがユーザ機器のセッションをセットアップし、セッションセットアップ応答メッセージをモビリティ管理ネットワーク要素に返す。
【０２０６】
９０７．モビリティ管理ネットワーク要素が、無線ベアラを確立するようにアクセスネットワークに指示する。
【０２０７】
具体的には、モビリティ管理ネットワーク要素が、アクセスネットワークとサービングゲートウェイの間でベアラを確立するようにアクセスネットワークに指示し、アクセスネットワークがアクセスネットワークとユーザ機器の間で無線ベアラをさらに確立する。
【０２０８】
９０８．モビリティ管理ネットワーク要素は、ベアラ更新要求メッセージをサービングゲートウェイに送信する。
【０２０９】
具体的には、モビリティ管理ネットワーク要素がベアラ更新要求メッセージをサービングゲートウェイに送信し、ベアラ更新要求メッセージが、ＰＤＮ接続のダウンリンクデータ転送チャネルの確立に使用されることがある。
【０２１０】
９０９．サービングゲートウェイは、データゲートウェイに、ベアラを更新するように命令する。
【０２１１】
具体的には、サービングゲートウェイが、ベアラを更新するようにデータゲートウェイに指示し、アクセスネットワークが非３ＧＰＰネットワークからハンドオーバされた場合、ベアラ更新要求メッセージが、データパケット転送を開始するようにデータゲートウェイに指示するために使用されることがある。
【０２１２】
９１０．サービングゲートウェイは、ベアラ更新応答メッセージをモビリティ管理ネットワーク要素に返す。
【０２１３】
９１１．モビリティ管理ネットワーク要素は、リセット中央サーバに、ユーザ機器に関する情報を登録するために使用されるメッセージを送信する。
【０２１４】
具体的には、モビリティ管理ネットワーク要素が、ユーザ機器に関する情報を登録するために使用されるメッセージをリセット中央サーバに送信し、このメッセージがユーザ機器の識別子およびモビリティ管理ネットワーク要素の識別子を含み、ユーザ機器に関するその他の情報、例えば、ユーザ機器のトラッキングエリアリストをさらに含むことがある。モビリティ管理ネットワーク要素の識別子は、モビリティ管理ネットワーク要素のＩＰアドレス、モビリティ管理ネットワーク要素のグローバル一意識別子、モビリティ管理ネットワーク要素の完全修飾ドメイン名（Ｆｕｌｌｙ  Ｑｕａｌｉｆｉｅｄ  Ｄｏｍａｉｎ  Ｎａｍｅ、ＦＱＤＮ）、または同様のものであることがある。リセット中央サーバに関する情報は、モビリティ管理ネットワーク要素上で構成されることがあるか、ＨＳＳ、ＰＣＲＦ、またはネットワーク管理Ｏ＆Ｍセンターなどの別のネットワーク要素を使用してモビリティ管理ネットワーク要素に提供されることがある。モビリティ管理ネットワーク要素は、情報に従って、メッセージを対応するリセット中央サーバに送信する。
【０２１５】
リセット中央サーバは、ユーザ機器の識別子を使用して関連付けを実行し、ユーザ機器に関する、データゲートウェイによって登録された情報を、ユーザ機器に関する、モビリティ管理ネットワーク要素によって登録された情報に関連付ける。
【０２１６】
さらに、モビリティ管理ネットワーク要素は、選択ポリシーに従ってユーザ機器を選択し、ユーザ機器に関する情報をリセット中央サーバで登録することがある。例えば、ＩＰマルチメディアサブシステム（ＩＰ  Ｍｕｌｔｉｍｅｄｉａ  Ｓｕｂｓｙｓｔｅｍ、ＩＭＳ）のＡＰＮのＰＤＮ接続を確立するユーザ機器に関する情報のみが登録され、別の例では、ハイレベルユーザ機器（Ｖｅｒｙ  Ｉｍｐｏｒｔａｎｔ  Ｐｅｏｐｌｅ、ＶＩＰ）に関する情報のみが登録される。選択ポリシーは、モビリティ管理ネットワーク要素上で事前に構成されることがあるか、もしくはＨＳＳまたはＰＣＲＦなどの別のネットワーク要素から取得されることがある。
【０２１７】
図９の例は、当業者が本発明のこの実施形態をよく理解できるようにすることが意図されており、本発明のこの実施形態の範囲を制限しないことに注意する必要がある。明らかに、当業者は、図９に示された例に従って、さまざまな等価な修正または変更を実行することができ、そのような修正または変更も、本発明の実施形態の範囲内にある。
【０２１８】
前述の処理の連続番号が実行順序を意味していないと理解されるべきである。処理の実行順序は、処理の機能および内部論理に従って決定される必要があり、本発明の実施形態の実装処理に対する制限と解釈されるべきではない。例えば、ステップ９０５およびステップ９１１の時間順序は調整されることがあり、ステップ９０５はステップ９０４の後に実行されるように制限されず、ステップ９１１はステップ９１０の後に実行されるように制限されない。別の例では、サービングゲートウェイは、ベアラを更新するようにデータゲートウェイに指示しないことがある。つまり、ステップ９０９が実行されないことがある。本発明のこの実施形態は、この例に制限されない。
【０２１９】
前述の処理は、アタッチ要求内のユーザ機器、ＰＤＮ接続確立要求、またはユーザ機器のＰＤＰアクティブ化手順に関する情報を登録する手順である。前述の説明に基づいて、以下では、ネットワークデバイス（データゲートウェイおよび／またはサービングゲートウェイ）がリセットされる場合のユーザ機器のＰＤＮ接続の復元手順について説明する。
【０２２０】
具体的には、図１０は、データゲートウェイおよびサービングゲートウェイが別々に配備された場合の、データゲートウェイがリセットされた後のユーザ機器のＰＤＮ接続の復元手順である。具体的には、図１０は、本発明の別の実施形態によるＰＤＮ接続再確立方法の概略フローチャートである。図１０に示された方法は以下のステップを含む。
【０２２１】
１００１．データゲートウェイは、ダウンリンクデータパケットを受信する。
【０２２２】
具体的には、データゲートウェイがリセットされた後に、データゲートウェイがダウンリンクデータパケットを受信し、データゲートウェイが、ダウンリンクデータパケットの送信先ＩＰアドレスなどのヘッダ情報に従ってユーザ機器のＰＤＮ接続のコンテキストの位置を特定する。データゲートウェイがリセットされたため、データゲートウェイに以前に格納されていた、ＰＤＮ接続のコンテキストのデータが失われる。したがって、データゲートウェイはＰＤＮ接続のコンテキストの位置を特定することができない。
【０２２３】
１００２．データゲートウェイは、ダウンリンクデータパケット通知メッセージをリセット中央サーバに送信する。
【０２２４】
具体的には、データゲートウェイが、ダウンリンクデータパケットが信頼されるＡＰＮからのものであるかどうかを決定する。ダウンリンクデータパケットが信頼されるＡＰＮからのものである場合、データゲートウェイがダウンリンクデータパケット通知メッセージをリセット中央サーバに送信し、このメッセージがユーザ機器のＩＰアドレス、つまり、ダウンリンクデータパケットの送信先ＩＰアドレスを含む。ダウンリンクデータパケットが、インターネットからの攻撃などの信頼されないＡＰＮからのものである場合、データゲートウェイはそのデータパケットを破棄することがある。このようにして、ＡＰＮが信頼されているかどうかを決定することにより、ネットワークセキュリティを改善することができ、例えば、インターネットからのスキャン攻撃が防止されることがある。
【０２２５】
１００３．リセット中央サーバは、ダウンリンクデータパケット通知メッセージをモビリティ管理ネットワーク要素に送信する。
【０２２６】
具体的には、リセット中央サーバが、データゲートウェイのダウンリンクデータパケット通知メッセージの受信後に、そのメッセージ内のユーザ機器のＩＰアドレスに従って、格納されたレコードを検索し、対応するモビリティ管理ネットワーク要素の識別子、ユーザ機器の識別子、およびダウンリンクデータパケットに対応するＰＤＮ接続のＡＰＮなどの情報を検出する。リセット中央サーバが、ダウンリンクデータパケット通知メッセージをモビリティ管理ネットワーク要素の識別子に対応するノードに送信し、このメッセージがユーザ機器の識別子を含み、ＡＰＮなどの情報をさらに含むことがある。
【０２２７】
モビリティ管理ネットワーク要素が、ダウンリンクデータパケット通知メッセージの受信後に、このメッセージ内のユーザ機器の識別子に従って、ローカルに格納されたユーザコンテキストを問い合わせ、メッセージがＡＰＮをさらに含んでいる場合は、モビリティ管理ネットワーク要素が、ユーザ機器の識別子およびＡＰＮに従って、対応するユーザ機器のＰＤＮ接続のコンテキストを検出することがある。さらに、モビリティ管理ネットワーク要素が、選択ポリシーに従って、どのリセットされたＰＤＮ接続を復元するかを決定する。例えば、ＩＭＳ  ＡＰＮに対応するＰＤＮ接続のみが復元されるか、ユーザ機器のすべてのリセットされたＰＤＮ接続が復元されるか、またはＶＩＰユーザのリセットされたＰＤＮ接続のみが復元される。ポリシーは、モビリティ管理ネットワーク要素上で事前に構成されることがあるか、もしくはＨＳＳまたはＰＣＲＦなどの別のネットワークから取得されることがある。具体的には、モビリティ管理ネットワーク要素が、ユーザ機器のコンテキストまたはＰＤＮ接続のコンテキスト内の割り当て／保持優先度（Ａｌｌｏｃａｔｉｏｎ／Ｒｅｔｅｎｔｉｏｎ  Ｐｒｉｏｒｉｔｙ、ＡＲＰ）、ＱｏＳクラス識別子（ＱｏＳ  Ｃｌａｓｓ  Ｉｄｅｎｔｉｆｉｅｒ、ＱＣＩ）、またはＡＰＮなどの情報に従って、復元される必要のあるＰＤＮ接続を決定する。
【０２２８】
モビリティ管理ネットワーク要素が、対応するユーザ機器のＰＤＮ接続のコンテキストの決定後に、ＰＤＮ接続のコンテキスト内のサービングゲートウェイに関する情報およびデータゲートウェイに関する情報に従って、連帯的に配備されているサービングゲートウェイおよびデータゲートウェイ上でＰＤＮ接続が確立されているかどうかを決定し、サービングゲートウェイに関する特定の情報およびデータゲートウェイに関する特定の情報が、サービングゲートウェイのＩＰアドレスおよびデータゲートウェイのＩＰアドレス、サービングゲートウェイのＦＱＤＮおよびデータゲートウェイのＦＱＤＮ、ならびに同様のものであることがある。例えば、モビリティ管理ネットワーク要素が、サービングゲートウェイのＩＰアドレスおよびデータゲートウェイのＩＰアドレスを比較するか、またはサービングゲートウェイのＦＱＤＮおよびデータゲートウェイのＦＱＤＮを比較する。ＩＰアドレスが同じであるか、またはＦＱＤＮが同じである場合、サービングゲートウェイとデータゲートウェイが連帯的に配備されていると見なされ、そうでない場合、サービングゲートウェイとデータゲートウェイが別々に配備されていると見なされる。この実施形態では、ダウンリンクデータパケットに対応するＰＤＮ接続は、別々に配備されているサービングゲートウェイおよびデータゲートウェイ上で確立される。
【０２２９】
１００４．モビリティ管理ネットワーク要素は、非アクティブ化要求メッセージをユーザ機器に送信する。
【０２３０】
具体的には、複数のＰＤＮ接続のコンテキストがユーザ機器に存在し、一部のＰＤＮ接続のコンテキストのみがリセットされたデータゲートウェイ上で確立された場合、モビリティ管理ネットワーク要素が、復元される必要のあるＰＤＮ接続に対するＰＤＮ接続非アクティブ化手順を開始する。非アクティブ化要求メッセージがユーザ機器に送信され、非アクティブ化要求メッセージが再アクティブ化要求の原因値を搬送し、その結果、ユーザ機器が非アクティブ化要求メッセージに従って対応するＰＤＮ接続を削除し、ＰＤＮ接続確立手順を再開して、削除されたＰＤＮ接続を再確立する。
【０２３１】
ユーザ機器がアイドル状態にある場合、モビリティ管理ネットワーク要素が、まずユーザ機器をページングして、ユーザ機器によるサービス要求手順の開始をトリガすることに注意する必要がある。ユーザ機器がアクセスネットワークへの無線接続を確立した後に、モビリティ管理ネットワーク要素が、非アクティブ化要求メッセージをユーザ機器に送信し、ＰＤＮ接続非アクティブ化手順をトリガする。
【０２３２】
１００５．ユーザ機器は、非アクティブ化ベアラ応答メッセージをモビリティ管理ネットワーク要素に送信する。
【０２３３】
具体的には、ユーザ機器が非アクティブ化ベアラ要求メッセージを返し、非アクティブ化ベアラ応答メッセージをモビリティ管理ネットワーク要素に送信する。
【０２３４】
１００６．ユーザ機器は、ＰＤＮ接続要求メッセージをモビリティ管理ネットワーク要素に送信する。
【０２３５】
具体的には、ユーザ機器がＰＤＮ接続確立手順を開始し、ＰＤＮ接続要求メッセージをモビリティ管理ネットワーク要素に送信し、非アクティブ化されたＰＤＮ接続を再確立する。
【０２３６】
１００７．モビリティ管理ネットワーク要素は、ＰＤＮ接続を確立する。
【０２３７】
具体的には、モビリティ管理ネットワーク要素がデータゲートウェイを選択する。データゲートウェイは、リセットされたデータゲートウェイまたは別のデータゲートウェイであることがある。モビリティ管理ネットワーク要素が、セッションセットアップ要求メッセージをサービングゲートウェイに送信し、このメッセージがデータゲートウェイのＩＰアドレスなどの情報を含む。サービングゲートウェイがデータゲートウェイとのセッションをセットアップし、セッションセットアップ応答メッセージをモビリティ管理ネットワーク要素に返す。
【０２３８】
１００８．無線ベアラを確立し、ＲＲＣ接続を再構成する。
【０２３９】
具体的には、モビリティ管理ネットワーク要素が、無線ベアラを確立するようにアクセスネットワークに指示し、アクセスネットワークとユーザ機器の間で無線リソース制御（Ｒａｄｉｏ  Ｒｅｓｏｕｒｃｅ  Ｃｏｎｔｒｏｌ、ＲＲＣ）接続が再構成される。
【０２４０】
１００９．ユーザ機器は、ＰＤＮ接続確立受諾メッセージをモビリティ管理ネットワーク要素に送信する。
【０２４１】
１０１０．モビリティ管理ネットワーク要素は、ベアラを修正する。
【０２４２】
具体的には、モビリティ管理ネットワーク要素がベアラ修正要求メッセージをサービングゲートウェイに送信し、ベアラ修正要求メッセージが、アクセスネットワークによって割り当てられてＰＤＮ接続のダウンリンクユーザ平面トンネルの確立に使用されるユーザ平面情報を含む。アクセスネットワークによって割り当てられるユーザ平面情報は、アクセスネットワークのＩＰアドレスおよびトンネルエンドポイント識別子などの情報を含む。サービングゲートウェイがベアラ修正応答メッセージをモビリティ管理ネットワーク要素に返す。
【０２４３】
前述の処理を使用することによってＰＤＮ接続全体が再確立され、モビリティ管理ネットワーク要素によって再選択されたデータゲートウェイが、受信されて再送されるダウンリンクデータパケットを転送することがあり、その結果、ダウンリンクデータパケットが適時にユーザ機器に到着することができ、それによってユーザに対する影響を減らすまたは防ぐことができ、ユーザエクスペリエンスを改善することができる。
【０２４４】
図１０に示された実施形態では、複数のＰＤＮ接続のコンテキストがユーザ機器に存在し、一部のＰＤＮ接続のコンテキストのみが、リセットされたデータゲートウェイ上で確立される。ユーザ機器のすべてのＰＤＮ接続のコンテキストが、リセットされたデータゲートウェイ上で確立された場合、モビリティ管理ネットワーク要素がデタッチ手順を開始し、デタッチ要求メッセージをユーザ機器に送信し、デタッチメッセージが再アタッチ要求の原因値を搬送する。具体的には、図１１に示された方法は以下のステップを含む。
【０２４５】
１１０１．データゲートウェイは、ダウンリンクデータパケットを受信する。
【０２４６】
１１０２．データゲートウェイは、ダウンリンクデータパケット通知メッセージをリセット中央サーバに送信する。
【０２４７】
１１０３．リセット中央サーバは、ダウンリンクデータパケット通知メッセージをモビリティ管理ネットワーク要素に送信する。
【０２４８】
具体的には、ステップ１１０１から１１０３が、ステップ１００１から１００３に対応している。繰り返しを避けるために、詳細については本明細書では再度説明されない。
【０２４９】
１１０４．モビリティ管理ネットワーク要素は、デタッチ要求メッセージをユーザ機器に送信する。
【０２５０】
具体的には、モビリティ管理ネットワーク要素がデタッチ手順を開始し、デタッチ要求メッセージをユーザ機器に送信し、デタッチメッセージが再アタッチ要求の原因値を搬送し、その結果、ユーザ機器がデタッチ要求メッセージに従ってすべてのＰＤＮ接続を削除し、ネットワークに再アタッチして、非アクティブ化されたＰＤＮ接続を確立する。
【０２５１】
ユーザ機器がアイドル状態にある場合、モビリティ管理ネットワーク要素が、まずユーザ機器をページングして、ユーザ機器によるサービス要求手順の開始をトリガすることに注意する必要がある。ユーザ機器がアクセスネットワークへの無線接続を確立した後に、モビリティ管理ネットワーク要素が、デタッチ要求メッセージをユーザ機器に送信し、デタッチ手順をトリガする。
【０２５２】
１１０５．ユーザ機器は、デタッチ応答メッセージをモビリティ管理ネットワーク要素に送信する。
【０２５３】
具体的には、ユーザ機器がデタッチ要求メッセージを返し、デタッチ応答メッセージをモビリティ管理ネットワーク要素に送信する。
【０２５４】
１１０６．ユーザ機器は、アタッチ要求メッセージをモビリティ管理ネットワーク要素に送信する。
【０２５５】
具体的には、ユーザ機器がアタッチ手順を開始し、アタッチ要求メッセージをモビリティ管理ネットワーク要素に送信する。
【０２５６】
１１０７．モビリティ管理ネットワーク要素は、ＰＤＮ接続を確立する。
【０２５７】
具体的には、モビリティ管理ネットワーク要素がサービングゲートウェイおよびデータゲートウェイを選択する。データゲートウェイは、リセットされたデータゲートウェイまたは別のデータゲートウェイであることがある。モビリティ管理ネットワーク要素が、セッションセットアップ要求メッセージをサービングゲートウェイに送信し、このメッセージがデータゲートウェイのＩＰアドレスなどの情報を含む。サービングゲートウェイがデータゲートウェイとのセッションをセットアップし、セッションセットアップ応答メッセージをモビリティ管理ネットワーク要素に返す。
【０２５８】
１１０８．無線ベアラを確立し、ＲＲＣ接続を再構成する。
【０２５９】
具体的には、モビリティ管理ネットワーク要素とアクセスネットワークの間で初期コンテキストが確立され、アクセスネットワークとユーザ機器の間でＲＲＣ接続が再構成される。
【０２６０】
１１０９．ユーザ機器は、アタッチ受諾メッセージをモビリティ管理ネットワーク要素に返す。
【０２６１】
１１１０．モビリティ管理ネットワーク要素は、ベアラを修正する。
【０２６２】
具体的には、モビリティ管理ネットワーク要素がベアラ修正要求メッセージをサービングゲートウェイに送信し、ベアラ修正要求メッセージが、アクセスネットワークによって割り当てられてＰＤＮ接続のダウンリンクユーザ平面トンネルの確立に使用されるユーザ平面情報を含む。アクセスネットワークによって割り当てられるユーザ平面情報は、アクセスネットワークのＩＰアドレスおよびトンネルエンドポイント識別子などの情報を含む。サービングゲートウェイがベアラ修正応答メッセージをモビリティ管理ネットワーク要素に返す。
【０２６３】
前述のアタッチ手順では、ユーザ機器の１つのＰＤＮ接続のみが再確立され、ユーザ機器が、ＰＤＮ接続確立手順を使用して、別のリセットされたＰＤＮ接続をさらに再確立することがあり、具体的なステップは、ステップ１００７、ステップ１００８、ステップ１００９、およびステップ１０１０と一致しており、詳細については本明細書では再度説明されない。
【０２６４】
前述の処理を使用することによってＰＤＮ接続全体が再確立され、モビリティ管理ネットワーク要素によって再選択されたデータゲートウェイが、受信されて再送されるダウンリンクデータパケットを転送することがあり、その結果、ダウンリンクデータパケットが適時にユーザ機器に到着することができ、それによってユーザに対する影響を減らすまたは防ぐことができ、ユーザエクスペリエンスを改善することができる。
【０２６５】
図１０および図１１に示された例は、モビリティ管理ネットワーク要素がＭＭＥであるシナリオであり、モビリティ管理ネットワーク要素がＳＧＳＮである場合は、ユーザ機器の一部のＰＤＮ接続のコンテキストまたはすべてのＰＤＮ接続のコンテキストが復元される必要があるかどうかに関わらず、ＳＧＳＮがＰＤＮ接続削除手順のみをトリガするということに注意する必要がある。ＭＭＥによってトリガされるＰＤＮ接続削除手順に対応して、ステップ１００４またはステップ１１０４が以下のように修正される。ＳＧＳＮが非アクティブ化ＰＤＰコンテキスト要求メッセージをユーザ機器に送信し、このメッセージが再アクティブ化要求の原因値を搬送する。具体的には、図１２に示された方法は以下のステップを含む。
【０２６６】
１２０１．データゲートウェイは、ダウンリンクデータパケットを受信する。
【０２６７】
１２０２．データゲートウェイは、ダウンリンクデータパケット通知メッセージをリセット中央サーバに送信する。
【０２６８】
１２０３．リセット中央サーバは、ダウンリンクデータパケット通知メッセージをモビリティ管理ネットワーク要素に送信する。
【０２６９】
具体的には、ステップ１２０１から１２０３が、ステップ１１０１から１１０３に対応している。繰り返しを避けるために、詳細については本明細書では再度説明されない。
【０２７０】
１２０４．モビリティ管理ネットワーク要素は、非アクティブ化ＰＤＰコンテキスト要求メッセージをユーザ機器に送信する。
【０２７１】
言い換えると、モビリティ管理ネットワーク要素が非アクティブ化ＰＤＰコンテキスト要求メッセージをユーザ機器に送信し、このメッセージが再アクティブ化要求の原因値を搬送し、その結果、ユーザ機器が、非アクティブ化ＰＤＰコンテキスト要求メッセージに従って、対応するＰＤＰコンテキストを削除し、アクティブ化ＰＤＰコンテキスト手順を再開する。
【０２７２】
ユーザ機器がアイドル状態にある場合、モビリティ管理ネットワーク要素が、まずユーザ機器をページングして、ユーザ機器によるサービス要求手順の開始をトリガすることに注意する必要がある。ユーザ機器がアクセスネットワークへの無線接続を確立した後に、モビリティ管理ネットワーク要素が、非アクティブ化要求メッセージをユーザ機器に送信する。
【０２７３】
１２０５．ユーザ機器が非アクティブ化ＰＤＰコンテキスト応答メッセージをモビリティ管理ネットワーク要素に送信する。
【０２７４】
１２０６．ユーザ機器がアクティブ化ＰＤＰコンテキスト要求メッセージをモビリティ管理ネットワーク要素に送信する。
【０２７５】
１２０７．モビリティ管理ネットワーク要素は、ＰＤＮ接続を確立する。
【０２７６】
具体的には、モビリティ管理ネットワーク要素がデータゲートウェイを選択する。データゲートウェイは、リセットされたデータゲートウェイまたは別のデータゲートウェイであることがある。モビリティ管理ネットワーク要素が、セッションセットアップ要求メッセージをサービングゲートウェイに送信し、このメッセージがデータゲートウェイのＩＰアドレスなどの情報を含む。サービングゲートウェイがデータゲートウェイとのセッションをセットアップし、セッションセットアップ応答メッセージをモビリティ管理ネットワーク要素に返す。
【０２７７】
１２０８．無線アクセスベアラを確立することのプロセス。
【０２７８】
具体的には、モビリティ管理ネットワーク要素とアクセスネットワークの間で無線アクセスベアラが確立され、アクセスネットワークとユーザ機器の間で無線ベアラが確立される。
【０２７９】
１２０９．モビリティ管理ネットワーク要素が、アクティブ化ＰＤＰコンテキスト応答メッセージをユーザ機器に返す。
【０２８０】
１２１０．モビリティ管理ネットワーク要素がベアラを修正する。
【０２８１】
具体的には、アクセスネットワークとサービングゲートウェイの間で直接トンネルが確立された場合、モビリティ管理ネットワーク要素がベアラ修正要求メッセージをサービングゲートウェイに送信し、ベアラ修正要求メッセージが、アクセスネットワークによって割り当てられてＰＤＮ接続のダウンリンクユーザ平面トンネルの確立に使用されるユーザ平面情報を含む。アクセスネットワークによって割り当てられるユーザ平面情報は、アクセスネットワークのＩＰアドレスおよびトンネル識別子などの情報を含む。サービングゲートウェイがベアラ修正応答メッセージをモビリティ管理ネットワーク要素に返す。
【０２８２】
前述の処理を使用することによってＰＤＮ接続全体が再確立され、モビリティ管理ネットワーク要素によって再選択されたデータゲートウェイが、受信されて再送されるダウンリンクデータパケットを転送することがあり、その結果、ダウンリンクデータパケットが適時にユーザ機器に到着することができ、それによってユーザに対する影響を減らすまたは防ぐことができ、ユーザエクスペリエンスを改善することができる。
【０２８３】
図１３は、本発明の別の実施形態によるＰＤＮ接続再確立方法の概略フローチャートである。図１３は、データゲートウェイおよびサービングゲートウェイが連帯的に配備される場合のシナリオを示している。具体的には、図１３に示した方法は以下のステップを含む。
【０２８４】
１３０１．データゲートウェイは、ダウンリンクデータパケットを受信する。
【０２８５】
具体的には、データゲートウェイがリセットされた後に、データゲートウェイがダウンリンクデータパケットを受信し、データゲートウェイが、ダウンリンクデータパケットの送信先ＩＰアドレスなどのヘッダ情報に従ってユーザ機器のＰＤＮ接続のコンテキストの位置を特定する。データゲートウェイがリセットされたため、データゲートウェイに以前に格納されていた、ＰＤＮ接続のコンテキストのデータが失われる。したがって、データゲートウェイはＰＤＮ接続のコンテキストの位置を特定することができない。
【０２８６】
１３０２．データゲートウェイは、ダウンリンクデータパケット通知メッセージをリセット中央サーバに送信する。
【０２８７】
具体的には、データゲートウェイが、ダウンリンクデータパケットが信頼されるＡＰＮからのものであるかどうかを決定する。ダウンリンクデータパケットが信頼されるＡＰＮからのものである場合、データゲートウェイがダウンリンクデータパケット通知メッセージをリセット中央サーバに送信し、このメッセージがユーザ機器のＩＰアドレス、つまり、ダウンリンクデータパケットの送信先ＩＰアドレスを含む。ダウンリンクデータパケットが、インターネットからの攻撃などの信頼されないＡＰＮからのものである場合、データゲートウェイはそのデータパケットを破棄することがある。このようにして、ＡＰＮが信頼されているかどうかを決定することにより、ネットワークセキュリティを改善することができ、例えば、インターネットからのスキャン攻撃が防止されることがある。
【０２８８】
１３０３．リセット中央サーバは、ダウンリンクデータパケット通知メッセージをモビリティ管理ネットワーク要素に送信する。
【０２８９】
具体的には、リセット中央サーバが、データゲートウェイのダウンリンクデータパケット通知メッセージの受信後に、そのメッセージ内のユーザ機器のＩＰアドレスに従って、格納されたレコードを検索し、対応するモビリティ管理ネットワーク要素の識別子、ユーザ機器の識別子、およびダウンリンクデータパケットに対応するＰＤＮ接続のＡＰＮなどの情報を検出する。リセット中央サーバが、ダウンリンクデータパケット通知メッセージをモビリティ管理ネットワーク要素の識別子に対応するノードに送信し、このメッセージがユーザ機器の識別子を含み、ＡＰＮなどの情報をさらに含むことがある。
【０２９０】
モビリティ管理ネットワーク要素が、ダウンリンクデータパケット通知メッセージの受信後に、このメッセージ内のユーザ機器の識別子に従って、ローカルに格納されたユーザコンテキストを問い合わせ、メッセージがＡＰＮをさらに含んでいる場合は、モビリティ管理ネットワーク要素が、ユーザ機器の識別子およびＡＰＮに従って、対応するユーザ機器のＰＤＮ接続のコンテキストを検出することがある。さらに、モビリティ管理ネットワーク要素が、ポリシーに従って、どのリセットされたＰＤＮ接続を復元するかを決定する。例えば、ＩＭＳ  ＡＰＮに対応するＰＤＮ接続のみが復元されるか、ユーザ機器のすべてのリセットされたＰＤＮ接続が復元されるか、またはＶＩＰユーザのリセットされたＰＤＮ接続のみが復元される。ポリシーは、モビリティ管理ネットワーク要素上で事前に構成されることがあるか、もしくはＨＳＳまたはＰＣＲＦなどの別のネットワークから取得されることがある。モビリティ管理ネットワーク要素が、ユーザ機器のコンテキストまたはＰＤＮ接続のコンテキスト内のＡＲＰ、ＱＣＩ、またはＡＰＮなどの情報に従って、復元される必要のあるＰＤＮ接続を決定する。
【０２９１】
モビリティ管理ネットワーク要素が、対応するユーザ機器のＰＤＮ接続のコンテキストの決定後に、ＰＤＮ接続のコンテキスト内のサービングゲートウェイに関する情報およびデータゲートウェイに関する情報に従って、連帯的に配備されているサービングゲートウェイおよびデータゲートウェイ上でＰＤＮ接続が確立されているかどうかを決定し、サービングゲートウェイに関する特定の情報およびデータゲートウェイに関する特定の情報が、サービングゲートウェイのＩＰアドレスおよびデータゲートウェイのＩＰアドレス、サービングゲートウェイのＦＱＤＮおよびデータゲートウェイのＦＱＤＮ、ならびに同様のものであることがある。この実施形態では、ダウンリンクデータパケットに対応するＰＤＮ接続は、連帯的に配備されているサービングゲートウェイおよびデータゲートウェイ上で確立される。
【０２９２】
１３０４．モビリティ管理ネットワーク要素は、サービングゲートウェイとのセッションをセットアップする。
【０２９３】
具体的には、ユーザ機器の一部のＰＤＮ接続のコンテキストのみが、リセットされたデータゲートウェイ上で確立された場合、モビリティ管理ネットワーク要素がサービングゲートウェイのハンドオーバ手順をトリガし、サービングゲートウェイを再選択し、セッションセットアップ要求を新しいサービングゲートウェイに送信し、セッションセットアップ要求メッセージが、リセットされない別のデータゲートウェイ（データゲートウェイ２など）上のユーザ機器によって確立されたＰＤＮ接続に関する情報を搬送する。
【０２９４】
１３０５．サービングゲートウェイは、ベアラを修正する。
【０２９５】
サービングゲートウェイがベアラ修正要求メッセージをデータゲートウェイ２に送信し、データゲートウェイ２上のダウンリンクトンネル情報が更新され、新しいサービングゲートウェイとデータゲートウェイ２の間のＰＤＮ接続が確立される。データゲートウェイがベアラ修正応答メッセージを返す。
【０２９６】
１３０６．モビリティ管理ネットワーク要素は、非アクティブ化要求メッセージをユーザ機器に送信する。
【０２９７】
具体的には、複数のＰＤＮ接続のコンテキストがユーザ機器に存在し、一部のＰＤＮ接続のコンテキストのみがリセットされたデータゲートウェイ上で確立された場合、モビリティ管理ネットワーク要素が、復元される必要のあるＰＤＮ接続に対するＰＤＮ接続非アクティブ化手順を開始する。非アクティブ化要求メッセージがユーザ機器に送信され、非アクティブ化要求メッセージが再アクティブ化要求の原因値を搬送し、その結果、ユーザ機器が非アクティブ化要求メッセージに従って対応するＰＤＮ接続を削除し、ＰＤＮ確立手順を開始して、非アクティブ化されたＰＤＮ接続を再確立する。
【０２９８】
ユーザ機器がアイドル状態にある場合、モビリティ管理ネットワーク要素が、まずユーザ機器をページングして、ユーザ機器によるサービス要求手順の開始をトリガすることに注意する必要がある。ユーザ機器がアクセスネットワークへの無線接続を確立した後に、モビリティ管理ネットワーク要素が、非アクティブ化要求メッセージをユーザ機器に送信し、ＰＤＮ接続非アクティブ化手順をトリガする。
【０２９９】
１３０７．ユーザ機器は、非アクティブ化ベアラ応答メッセージをモビリティ管理ネットワーク要素に送信する。
【０３００】
具体的には、ユーザ機器が非アクティブ化要求メッセージを返し、非アクティブ化ベアラ応答メッセージをモビリティ管理ネットワーク要素に送信する。
【０３０１】
１３０８．ユーザ機器は、ＰＤＮ接続要求メッセージをモビリティ管理ネットワーク要素に送信する。
【０３０２】
具体的には、ユーザ機器がＰＤＮ接続確立手順を開始し、ユーザ機器がＰＤＮ接続要求メッセージをモビリティ管理ネットワーク要素に送信し、非アクティブ化されたＰＤＮ接続を再確立する。
【０３０３】
１３０９．モビリティ管理ネットワーク要素は、セッションをセットアップする。
【０３０４】
具体的には、モビリティ管理ネットワーク要素がデータゲートウェイを選択する。データゲートウェイは、リセットされたデータゲートウェイまたは別のデータゲートウェイであることがある。モビリティ管理ネットワーク要素が、セッションセットアップ要求メッセージをサービングゲートウェイに送信し、このメッセージがデータゲートウェイのＩＰアドレスなどの情報を含む。サービングゲートウェイがデータゲートウェイとのセッションをセットアップし、セッションセットアップ応答メッセージをモビリティ管理ネットワーク要素に返す。
【０３０５】
１３１０．無線ベアラを確立し、ＲＲＣ接続を再構成する。
【０３０６】
具体的には、モビリティ管理ネットワーク要素が、無線ベアラを確立するようにアクセスネットワークに指示し、アクセスネットワークとユーザ機器の間でＲＲＣ接続が再構成される。
【０３０７】
１３１１．ユーザ機器は、ＰＤＮ接続確立受諾メッセージをモビリティ管理ネットワーク要素に送信する。
【０３０８】
１３１２．モビリティ管理ネットワーク要素は、ベアラを修正する。
【０３０９】
具体的には、モビリティ管理ネットワーク要素がベアラ修正要求メッセージをサービングゲートウェイに送信し、ベアラ修正要求メッセージが、アクセスネットワークによって割り当てられてＰＤＮ接続のダウンリンクユーザ平面トンネルの確立に使用されるユーザ平面情報を含む。アクセスネットワークによって割り当てられるユーザ平面情報は、アクセスネットワークのＩＰアドレスおよびトンネルエンドポイント識別子などの情報を含む。
【０３１０】
前述の処理を使用することによってＰＤＮ接続全体が再確立され、モビリティ管理ネットワーク要素によって再選択されたデータゲートウェイが、受信されて再送されるダウンリンクデータパケットを転送することがあり、その結果、ダウンリンクデータパケットが適時にユーザ機器に到着することができ、それによってユーザに対する影響を減らすまたは防ぐことができ、ユーザエクスペリエンスを改善することができる。
【０３１１】
図１３に示された実施形態では、一部のＰＤＮ接続のコンテキストのみが、リセットされたデータゲートウェイ上で確立され、前述の実施形態における、リセットされないデータゲートウェイ上のＰＤＮ接続の復元処理が、モビリティ管理ネットワーク要素がＭＭＥまたはＳＧＳＮであるシナリオに適用されることに注意する必要がある。前述の実施形態では、モビリティ管理ネットワーク要素がＳＧＳＮである場合、リセットされたデータゲートウェイ上で確立されるＰＤＮ接続に関して、ＳＧＳＮによって開始されたＰＤＮ接続非アクティブ化手順のステップがステップ１２０４からステップ１２１０に対応している。繰り返しを避けるために、詳細については本明細書では再度説明されない。
【０３１２】
ユーザ機器のすべてのＰＤＮ接続のコンテキストが、リセットされたデータゲートウェイ上で確立された場合、モビリティ管理ネットワーク要素がＭＭＥであるとき、モビリティ管理ネットワーク要素がデタッチ手順を開始し、デタッチ手順のステップがステップ１１０４からステップ１１１０に対応している。繰り返しを避けるために、詳細については本明細書では再度説明されない。
【０３１３】
ユーザ機器のすべてのＰＤＮ接続のコンテキストが、リセットされたデータゲートウェイ上で確立された場合、モビリティ管理ネットワーク要素がＳＧＳＮであるとき、モビリティ管理ネットワーク要素がＰＤＮ接続非アクティブ化手順を開始する。ＰＤＮ接続非アクティブ化手順のステップは、ステップ１２０４からステップ１２１０に対応している。繰り返しを避けるために、詳細については本明細書では再度説明されない。
【０３１４】
図１４は、本発明の別の実施形態に従うＰＤＮ接続再確立方法の概略フローチャートである。図１４は、データゲートウェイおよびサービングゲートウェイが別々に配備された場合に、サービングゲートウェイがリセットされるシナリオを示している。具体的には、図１４に示された方法は以下のステップを含む。
【０３１５】
１４０１．データゲートウェイは、ダウンリンクデータパケットをサービングゲートウェイに送信する。
【０３１６】
具体的には、データゲートウェイが、ダウンリンクデータパケットの受信後に、ダウンリンクデータパケットをサービングゲートウェイに送信する。
【０３１７】
１４０２．サービングゲートウェイは、エラー指示メッセージをデータゲートウェイに送信する。
【０３１８】
具体的には、サービングゲートウェイが、データゲートウェイによって送信されたダウンリンクデータパケットを受信した後に、サービングゲートウェイが、リセットのために、ダウンリンクデータパケットに対応するユーザ機器のコンテキストを検出できない。したがって、サービングゲートウェイがエラー指示（Ｅｒｒｏｒ  Ｉｎｄｉｃａｔｉｏｎ）メッセージをデータゲートウェイに送信する。その後、データゲートウェイは、サービングゲートウェイにおいて例外が発生したことを知る。
【０３１９】
あるいは、データゲートウェイが、データゲートウェイとサービングゲートウェイの間の信号伝達メッセージ内のリセットカウンタ、またはデータゲートウェイとサービングゲートウェイの間のパス検出メカニズムを使用して、サービングゲートウェイがリセットされることを知ることができる。
【０３２０】
１４０３．データゲートウェイは、ダウンリンクデータパケット通知メッセージをリセット中央サーバに送信する。
【０３２１】
具体的には、データゲートウェイが、ダウンリンクデータパケットに対応するユーザ機器のＰＤＮ接続のコンテキストを問い合わせることによって、ダウンリンクデータパケットに対応するユーザ機器の、ＰＤＮ接続のコンテキストに格納された識別子を取得する。データゲートウェイが、ダウンリンクデータパケット通知メッセージをリセット中央サーバに送信し、このメッセージがユーザ機器の識別子を含み、リセット指示をさらに含むことがある。リセット指示は、サービングゲートウェイがリセットされることを表すか、またはエラー指示によってトリガされる復元を表す。
【０３２２】
１４０４．リセット中央サーバは、ダウンリンクデータパケット通知メッセージをモビリティ管理ネットワーク要素に送信する。
【０３２３】
具体的には、リセット中央サーバが、データゲートウェイのダウンリンクデータパケット通知メッセージの受信後に、メッセージ内のユーザ機器の識別子に従って、格納されたレコードを検索して、対応するモビリティ管理ネットワーク要素の識別子などの情報を検出する。リセット中央サーバが、ダウンリンクデータパケット通知メッセージをモビリティ管理ネットワーク要素の識別子に対応するノードに送信し、このメッセージがユーザ機器の識別子を含み、リセット指示をさらに含むことがある。
【０３２４】
モビリティ管理ネットワーク要素が、ダウンリンクデータパケット通知メッセージの受信後に、サービングゲートウェイがリセットされることを知り、モビリティ管理ネットワーク要素が、このメッセージに含まれるリセット指示に従って、またはこのメッセージがＡＰＮに関する情報を運ばないケースに従って、サービングゲートウェイがリセットされることを知る。モビリティ管理ネットワーク要素が、メッセージ内のユーザ機器の識別子に従って、ダウンリンクデータパケットに対応するユーザ機器のコンテキストを知る。モビリティ管理ネットワーク要素が、サービングゲートウェイハンドオーバ手順を開始し、影響を受けるＰＤＮ接続を復元する。さらに、モビリティ管理ネットワーク要素が、ポリシーに従って、ＰＤＮ接続復元手順を開始するかどうかを決定する。例えば、ＩＭＳ  ＡＰＮがユーザ機器のコンテキスト内に存在する場合、ユーザはＶＩＰユーザである。ポリシーは、モビリティ管理ネットワーク要素上で事前に構成されることがあるか、もしくはＯ＆ＭセンターまたはＰＣＲＦなどの別のネットワーク要素から取得されることがある。モビリティ管理ネットワーク要素が、ユーザ機器のコンテキスト内のＡＲＰ、ＱＣＩ、またはＡＰＮなどの情報に従って、復元される必要のあるＰＤＮ接続を決定する。
【０３２５】
１４０５．モビリティ管理ネットワーク要素は、サービングゲートウェイを選択する。
【０３２６】
具体的には、モビリティ管理ネットワーク要素が、サービングゲートウェイを再選択することであって、サービングゲートウェイが、リセットされて再起動されるサービングゲートウェイまたは別のサービングゲートウェイであることがある、ことと、セッションセットアップ要求メッセージをサービングゲートウェイに送信することであって、このメッセージが、復元される必要がある、ユーザ機器のＰＤＮ接続に関する情報を含む、こととを行う。
【０３２７】
１４０６．サービングゲートウェイは、ベアラを修正する。
【０３２８】
具体的には、サービングゲートウェイが、ベアラ修正要求メッセージを、ＰＤＮ接続に対応するデータゲートウェイに送信し、このメッセージが、サービングゲートウェイの信号伝達平面情報およびユーザ平面情報を含む。
【０３２９】
１４０７．データゲートウェイは、ベアラ修正応答メッセージを返す。
【０３３０】
具体的には、データゲートウェイがベアラ修正応答メッセージを返し、サービングゲートウェイとデータゲートウェイの間で、ユーザ機器のＰＤＮ接続が再確立される。
【０３３１】
１４０８．サービングゲートウェイは、セッションセットアップ応答メッセージを返す。
【０３３２】
具体的には、サービングゲートウェイがセッションセットアップ応答メッセージをモビリティ管理ネットワーク要素に返し、ユーザ機器のコンテキストが、新しく選択されたサービングゲートウェイ上で再確立される。
【０３３３】
前述の処理を使用することによってＰＤＮ接続全体が再確立され、サービングゲートウェイが、受信されたダウンリンクデータパケットを転送することがあり、その結果、ダウンリンクデータパケットが適時にユーザ機器に到着することができ、それによってユーザに対する影響を減らすまたは防ぐことができ、ユーザエクスペリエンスを改善できる。
【０３３４】
実際の適用では、モビリティ管理ネットワーク要素は、ユーザ機器の状態に従って、ＰＤＮ接続を再確立することがあることに注意する必要がある。
【０３３５】
具体的には、ＰＤＮ接続が再確立されるときに、ユーザ機器が接続された状態にある場合、モビリティ管理ネットワーク要素が、まずユーザ機器への信号伝達接続を解放し、ユーザ機器をアイドル状態に変更し、その後、ステップ１４０５から１４０８を実行する。
【０３３６】
あるいは、ユーザ機器が、サービス要求、モビリティ管理ネットワーク要素が変更されていないトラッキングエリア更新手順、またはモビリティ管理ネットワーク要素が変更されていないルーティングエリア更新手順を開始している場合、モビリティ管理ネットワーク要素は、まずステップ１４０５から１４０８を実行してから、これらの手順のその後のステップを実行する。
【０３３７】
あるいは、ユーザ機器が、モビリティ管理ネットワーク要素が変更されたトラッキングエリア更新手順、またはモビリティ管理ネットワーク要素が変更されたルーティングエリア更新手順を開始している場合、モビリティ管理ネットワーク要素が、ターゲット側モビリティ管理ネットワーク要素に、サービングゲートウェイの再選択手順が実行される必要があることを通知し、その後、ステップ１４０５から１４０８においてモビリティ管理ネットワーク要素によって実行されるアクションが、ターゲットモビリティ管理ネットワーク要素によって実行される。
【０３３８】
あるいは、ユーザ機器がハンドオーバ手順を実行している場合、モビリティ管理ネットワーク要素が、ハンドオーバ要求メッセージまたは再割り当て要求メッセージを拒否し、ユーザ機器をアイドル状態に変更し、その後、ステップ１４０５から１４０８を実行する。
【０３３９】
ここまでは、図４から図１４を参照して、本発明の実施形態によるＰＤＮ接続再確立方法について詳細に説明したが、以下では、図１５から図１７を参照して、本発明の実施形態におけるＰＤＮ接続再確立デバイスについて説明する。
【０３４０】
図１５は、本発明の別の実施形態によるリセット中央サーバの概略ブロック図である。図１５に示されたリセット中央サーバ１５００は、プロセッサ１５１０、メモリ１５２０、バスシステム１５３０、およびトランシーバ１５４０を含む。プロセッサ１５１０、メモリ１５２０、およびトランシーバ１５４０は、バスシステム１５３０を使用して互いに接続される。
【０３４１】
具体的には、トランシーバ１５４０が、データゲートウェイによって送信された第１のメッセージを受信するように構成され、第１のメッセージがユーザ機器の第１の識別情報を含み、プロセッサ１５１０が、バス１５３０を使用することによって、メモリ１５２０に格納されたコードを呼び出し、第１の識別情報に従って、第１の識別情報に対応する、モビリティ管理ネットワーク要素の識別子を決定するように構成され、トランシーバ１５４０が、第２のメッセージを、モビリティ管理ネットワーク要素の識別子に対応するモビリティ管理ネットワーク要素に送信するようにさらに構成され、第２のメッセージが、ユーザ機器の識別子を含み、その結果、モビリティ管理ネットワーク要素が、第２のメッセージに従ってユーザ機器のパケットデータネットワークＰＤＮ接続を再確立する。
【０３４２】
したがって、本発明のこの実施形態において、データゲートウェイによって送信された第１のメッセージが受信されることがあり、格納された情報が、第１のメッセージに含まれるユーザ機器の第１の識別情報に従って、第１の識別情報に対応するモビリティ管理ネットワーク要素の識別子およびユーザ機器の識別子に関して、検索され、第２のメッセージが、モビリティ管理ネットワーク要素の識別子に対応するモビリティ管理ネットワーク要素に送信され、第２のメッセージがユーザ機器の識別子を含み、その結果、モビリティ管理ネットワーク要素が、第２のメッセージに従ってパケットデータネットワークＰＤＮ接続を再確立する。影響を受けるＰＤＮ接続が、適時に再確立されることができるため、ユーザエクスペリエンスが改善される。
【０３４３】
本発明の前述の実施形態において開示された方法は、プロセッサ１５１０に適用されるか、またはプロセッサ１５１０によって実装されることがある。プロセッサ１５１０は、集積回路チップであることがあり、信号処理能力を備える。実装処理において、前述の方法におけるステップは、プロセッサ１５１０内のハードウェアの集積論理回路またはソフトウェアの形態での命令を用いて完了されることがある。プロセッサ１５１０は、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）または別のプログラマブルロジックコンポーネント、個別のゲートロジックコンポーネントまたはトランジスタロジックコンポーネント、もしくは個別のハードウェアコンポーネントであることがある。プロセッサ１５１０は、本発明の実施形態において開示されている方法、ステップ、および論理ブロック図を実装または実行することがある。汎用プロセッサはマイクロプロセッサであることがあり、またはプロセッサは任意の従来のプロセッサであることがある。本発明の実施形態を参照して開示された方法のステップは、ハードウェアデコーディングプロセッサを用いて直接実行および完了されることがあり、またはデコーディングプロセッサにおいてハードウェアモジュールとソフトウェアモジュールの組み合わせを使用して実行および完了されることがある。ソフトウェアモジュールは、ランダムアクセスメモリ（Ｒａｎｄｏｍ  Ａｃｃｅｓｓ  Ｍｅｍｏｒｙ、ＲＡＭ）、フラッシュメモリ、読み取り専用メモリ（Ｒｅａｄ−Ｏｎｌｙ  Ｍｅｍｏｒｙ、ＲＯＭ）、プログラマブル読み取り専用メモリ、電気的消去可能プログラマブルメモリ、またはレジスタなどの、従来技術における成熟した記憶媒体に配置されることがある。記憶媒体は、メモリ１５２０に配置され、プロセッサ１５１０はメモリ１５２０内の情報を読み取り、メモリ１５２０内のハードウェアを参照して前述の方法のステップを完了する。バスシステム１５３０は、データバスを含むことに加えて、電源バス、制御バス、状態信号バス、および同様のものをさらに含むことがある。ただし、図では説明を明確にするために、さまざまなバスがバスシステム１５３０として示されている。
【０３４４】
任意選択で、別の実施形態として、トランシーバ１５４０が、データゲートウェイによって送信されてユーザ機器に関する情報を登録するために使用される第１の登録メッセージを受信することであって、第１の登録メッセージがユーザ機器のインターネットプロトコルＩＰアドレスおよびユーザ機器の識別子を含む、ことと、モビリティ管理ネットワーク要素によって送信されてユーザ機器に関する情報を登録するために使用される第２の登録メッセージを受信することであって、第２の登録メッセージがモビリティ管理ネットワーク要素の識別子およびユーザ機器の識別子を含む、こととのようにさらに構成される。プロセッサ１５１０は、ユーザ機器の識別子に従って、ユーザ機器のインターネットプロトコルＩＰアドレスおよびユーザ機器の識別子を、モビリティ管理ネットワーク要素の識別子と関連付ける。
【０３４５】
任意選択で、別の実施形態として、第１の登録メッセージがＰＤＮ接続に対応するアクセスポイント名ＡＰＮをさらに含み、第２のメッセージがＡＰＮをさらに含み、その結果、モビリティ管理ネットワーク要素が、ユーザ機器の識別子およびＡＰＮに従ってＰＤＮ接続を再確立する。
【０３４６】
任意選択で、別の実施形態として、データゲートウェイがリセットされるか、またはデータゲートウェイとサービングゲートウェイが同時にリセットされるときに、第１の識別情報がユーザ機器のＩＰアドレスを含み、プロセッサ１５１０が、ユーザ機器のＩＰアドレスに従って、ユーザ機器のＩＰアドレスに対応するモビリティ管理ネットワーク要素の識別子およびユーザ機器の識別子を決定する。
【０３４７】
任意選択で、別の実施形態として、モビリティ管理ネットワーク要素の識別子が、モビリティ管理ネットワーク要素のＩＰアドレス、モビリティ管理ネットワーク要素のグローバル一意識別子、またはモビリティ管理ネットワーク要素の完全修飾ドメイン名ＦＱＤＮの少なくとも１つを含み、ユーザ機器の識別子が、ユーザ機器の国際移動体加入者識別番号ＩＭＳＩ、移動局国際ＩＳＤＮ番号ＭＳＩＳＤＮ、または国際移動体装置識別番号ＩＭＥＩの少なくとも１つを含む。
【０３４８】
図１６は、本発明の別の実施形態によるモビリティ管理ネットワーク要素の概略ブロック図である。図１６に示されたリセット中央サーバ１６００は、プロセッサ１６１０、メモリ１６２０、バスシステム１６３０、およびトランシーバ１６４０を含む。プロセッサ１６１０、メモリ１６２０、およびトランシーバ１６４０は、バスシステム１６３０を使用して互いに接続される。
【０３４９】
具体的には、トランシーバ１６４０が、リセット中央サーバによって送信された第２のメッセージを受信するように構成され、第２のメッセージがユーザ機器の識別子を含み、第２のメッセージが、モビリティ管理ネットワーク要素によるユーザ機器のＰＤＮ接続の再確立をトリガするために使用され、第２のメッセージが、リセット中央サーバがデータゲートウェイによって送信された第１のメッセージを受信した後に送信され、第１のメッセージがユーザ機器の第１の識別情報を含む。プロセッサ１５１０は、バス１５３０を使用することによって、メモリ１５２０に格納されたコードを呼び出し、第２のメッセージに従ってユーザ機器のＰＤＮ接続を再確立するように構成される。
【０３５０】
したがって、本発明のこの実施形態では、リセット中央サーバによって送信された第２のメッセージが受信されることがあり、第２のメッセージがユーザ機器の識別子を含み、第２のメッセージが、モビリティ管理ネットワーク要素によるＰＤＮ接続の再確立をトリガするために使用され、モビリティ管理ネットワーク要素が、第２のメッセージに従ってユーザ機器のＰＤＮ接続を再確立する。影響を受けるＰＤＮ接続が、適時に再確立されることができるため、ユーザエクスペリエンスが改善される。
【０３５１】
本発明の前述の実施形態において開示された方法は、プロセッサ１６１０に適用されるか、またはプロセッサ１６１０によって実装されることがある。プロセッサ１６１０は、集積回路チップであることがあり、信号処理能力を備える。実装処理において、前述の方法におけるステップは、プロセッサ１６１０内のハードウェアの集積論理回路またはソフトウェアの形態での命令を用いて完了されることがある。プロセッサ１６１０は、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）または別のプログラマブルロジックコンポーネント、個別のゲートロジックコンポーネントまたはトランジスタロジックコンポーネント、もしくは個別のハードウェアコンポーネントであることがある。プロセッサ１６１０は、本発明の実施形態において開示されている方法、ステップ、および論理ブロック図を実装または実行することがある。汎用プロセッサはマイクロプロセッサであることがあり、またはプロセッサは任意の従来のプロセッサであることがある。本発明の実施形態を参照して開示された方法のステップは、ハードウェアデコーディングプロセッサを用いて直接実行および完了されることがあり、またはデコーディングプロセッサにおいてハードウェアモジュールとソフトウェアモジュールの組み合わせを使用して実行および完了されることがある。ソフトウェアモジュールは、ランダムアクセスメモリ（Ｒａｎｄｏｍ  Ａｃｃｅｓｓ  Ｍｅｍｏｒｙ、ＲＡＭ）、フラッシュメモリ、読み取り専用メモリ（Ｒｅａｄ−Ｏｎｌｙ  Ｍｅｍｏｒｙ、ＲＯＭ）、プログラマブル読み取り専用メモリ、電気的消去可能プログラマブルメモリ、またはレジスタなどの、従来技術における成熟した記憶媒体に配置されることがある。記憶媒体は、メモリ１６２０に配置され、プロセッサ１６１０はメモリ１６２０内の情報を読み取り、メモリ１６２０内のハードウェアを参照して前述の方法のステップを完了する。バスシステム１６３０は、データバスを含むことに加えて、電源バス、制御バス、状態信号バス、および同様のものをさらに含むことがある。ただし、図では説明を明確にするために、さまざまなバスがバスシステム１６３０として示されている。
【０３５２】
任意選択で、別の実施形態として、第１の識別情報が、ユーザ機器のインターネットプロトコルＩＰアドレスまたはユーザ機器の識別子を含み、トランシーバ１６４０が、ユーザ機器に関する情報を登録するために使用される第２の登録メッセージをリセット中央サーバに送信するようにさらに構成され、第２の登録メッセージが、モビリティ管理ネットワーク要素の識別子およびユーザ機器の識別子を含む。
【０３５３】
任意選択で、別の実施形態として、トランシーバ１６４０が、ユーザ機器に関する情報を登録するために使用される第２の登録メッセージを、第１の選択ポリシーに従ってリセット中央サーバに送信し、第１の選択ポリシーが、ＩＰマルチメディアサブシステムＩＭＳのアクセスポイント名ＡＰＮのＰＤＮ接続を確立するユーザ機器に関する情報を登録すること、またはハイレベルユーザ機器ＶＩＰに関する情報を登録することを含む。
【０３５４】
任意選択で、別の実施形態として、プロセッサ１６１０が、第２の選択ポリシーに従って、再確立される必要があるＰＤＮ接続を決定し、第２の選択ポリシーが、ＩＭＳ  ＡＰＮのＰＤＮ接続を復元すること、またはＶＩＰユーザのＰＤＮ接続を復元することを含む。
【０３５５】
任意選択で、別の実施形態として、第２の登録メッセージが、ユーザ機器のＰＤＮ接続に対応するアクセスポイント名ＡＰＮをさらに含み、対応が、ユーザ機器のインターネットプロトコルＩＰアドレスおよび／またはユーザ機器の識別子、ＡＰＮ、ならびにモビリティ管理ネットワーク要素の識別子の間の対応を含み、第２のメッセージがＡＰＮをさらに含む。
【０３５６】
プロセッサ１６１０が、ユーザ機器の識別子およびＡＰＮに従ってＰＤＮ接続を再確立する。
【０３５７】
任意選択で、別の実施形態として、第２のメッセージがリセット指示をさらに含み、リセット指示が、サービングゲートウェイがリセットされることを表すために使用される。
【０３５８】
プロセッサ１６１０が、サービングゲートウェイを再選択し、トランシーバ１６４０を使用してセッションセットアップ要求メッセージを、再選択されたサービングゲートウェイに送信し、セッションセットアップメッセージが、復元される必要のある、ユーザ機器のＰＤＮ接続に関する情報を含み、その結果、ＰＤＮ接続が、再選択されたサービングゲートウェイ上で再確立される。
【０３５９】
任意選択で、別の実施形態として、データゲートウェイおよびサービングゲートウェイが連帯的に配備され、ユーザ機器のすべてのＰＤＮ接続のうちの一部のＰＤＮ接続が、リセットされたデータゲートウェイ上で確立される。データゲートウェイがリセットされる場合、プロセッサ１６１０が、サービングゲートウェイを再選択し、トランシーバ１６４０を使用することによって、セッションセットアップ要求メッセージを再選択されたサービングゲートウェイに送信し、セッションセットアップ要求メッセージが、リセットされない別のデータゲートウェイ上のユーザ機器によって確立されたＰＤＮ接続に関する情報を搬送し、その結果、再選択されたサービングゲートウェイが、リセットされない別のデータゲートウェイへのＰＤＮ接続を確立し、再選択されたサービングゲートウェイは、リセットされて再起動されたサービングゲートウェイまたは別のサービングゲートウェイである。
【０３６０】
任意選択で、別の実施形態として、データゲートウェイおよびサービングゲートウェイが連帯的に配備され、ユーザ機器のすべてのＰＤＮ接続のうちの一部のＰＤＮ接続が、リセットされたデータゲートウェイ上で確立される。データゲートウェイがリセットされる場合、トランシーバ１６４０が非アクティブ化要求メッセージをユーザ機器に送信し、リセットされたデータゲートウェイ上のＰＤＮ接続を削除し、その結果、ユーザ機器がＰＤＮ接続を再確立する。
【０３６１】
任意選択で、別の実施形態として、モビリティ管理ネットワーク要素がＭＭＥであり、データゲートウェイおよびサービングゲートウェイが連帯的に配備されるか、またはデータゲートウェイおよびサービングゲートウェイが別々に配備され、ユーザ機器のすべてのＰＤＮ接続が、リセットされたデータゲートウェイ上で確立される。データゲートウェイがリセットされると、トランシーバ１６４０がデタッチ要求メッセージをユーザ機器に送信し、デタッチ要求メッセージが再アタッチ要求の原因値を搬送し、その結果、ユーザ機器がデタッチ要求メッセージに従ってすべてのＰＤＮ接続を削除し、ＰＤＮ確立要求を再開する。
【０３６２】
任意選択で、別の実施形態として、モビリティ管理ネットワーク要素がＳＧＳＮであり、データゲートウェイおよびサービングゲートウェイが連帯的に配備されるか、またはデータゲートウェイおよびサービングゲートウェイが別々に配備され、ユーザ機器のすべてのＰＤＮ接続が、リセットされたデータゲートウェイ上で確立される。データゲートウェイがリセットされると、トランシーバ１６４０がＰＤＰ非アクティブ化メッセージをユーザ機器に送信し、ＰＤＰ非アクティブ化メッセージが再アクティブ化要求の原因値を搬送し、その結果、ユーザ機器がＰＤＰ非アクティブ化メッセージに従ってすべてのＰＤＰ接続を削除し、ＰＤＰアクティブ化要求を再開する。
【０３６３】
任意選択で、別の実施形態として、データゲートウェイおよびサービングゲートウェイが別々に配備され、ユーザ機器のすべてのＰＤＮ接続のうちの一部のＰＤＮ接続が、リセットされたデータゲートウェイ上で確立される。データゲートウェイがリセットされる場合、トランシーバ１６４０が非アクティブ化要求メッセージをユーザ機器に送信し、リセットされたデータゲートウェイ上のＰＤＮ接続を削除し、その結果、ユーザ機器がＰＤＮ接続を再確立する。
【０３６４】
任意選択で、別の実施形態として、プロセッサ１６１０が、データゲートウェイの識別情報およびサービングゲートウェイの識別情報に従って、データゲートウェイとサービングゲートウェイが連帯的に配備されるかどうかを決定するようにさらに構成され、データゲートウェイの識別情報およびサービングゲートウェイの識別情報が、データゲートウェイのＩＰアドレスおよびサービングゲートウェイのＩＰアドレス、ならびに／もしくはデータゲートウェイの完全修飾ドメイン名およびサービングゲートウェイの完全修飾ドメイン名を含む。
【０３６５】
任意選択で、別の実施形態として、ユーザ機器の識別子は、ユーザ機器の国際移動体加入者識別番号ＩＭＳＩ、移動局国際ＩＳＤＮ番号ＭＳＩＳＤＮ、または国際移動体装置識別番号ＩＭＥＩの少なくとも１つを含む。
【０３６６】
モビリティ管理ネットワーク要素の識別子が、モビリティ管理ネットワーク要素のＩＰアドレス、モビリティ管理ネットワーク要素のグローバル一意識別子、またはモビリティ管理ネットワーク要素の完全修飾ドメイン名ＦＱＤＮの少なくとも１つを含む。
【０３６７】
図１７は、本発明の別の実施形態によるデータゲートウェイの概略ブロック図である。図１７に示されたリセット中央サーバ１７００は、プロセッサ１７１０、メモリ１７２０、バスシステム１７３０、およびトランシーバ１７４０を含む。プロセッサ１７１０、メモリ１７２０、およびトランシーバ１７４０は、バスシステム１７３０を使用して互いに接続される。
【０３６８】
具体的には、トランシーバ１７４０がダウンリンクデータパケットを受信するように構成され、プロセッサ１７１０が、バス１７３０を使用することによって、メモリ１７２０に格納されたコードを呼び出し、トランシーバ１７４０によって受信されたデータを処理するように構成される。トランシーバ１７４０が、第１のメッセージをリセット中央サーバに送信するようにさらに構成され、第１のメッセージがユーザ機器の第１の識別情報を含み、その結果、リセット中央サーバが第１のメッセージに従ってユーザ機器のＰＤＮ接続を再確立する。
【０３６９】
したがって、本発明のこの実施形態では、第１のメッセージが、ダウンリンクデータパケットのヘッダ情報に従って決定されることがあり、第１のメッセージがユーザ機器の第１の識別情報を含み、その後、データゲートウェイが第１のメッセージをリセット中央サーバに送信し、その結果、リセット中央サーバがＰＤＮ接続を復元する。影響を受けるＰＤＮ接続が、適時に再確立されることができるため、ユーザエクスペリエンスが改善される。
【０３７０】
本発明の前述の実施形態において開示された方法は、プロセッサ１７１０に適用されるか、またはプロセッサ１７１０によって実装されることがある。プロセッサ１７１０は、集積回路チップであることがあり、信号処理能力を備える。実装処理において、前述の方法におけるステップは、プロセッサ１７１０内のハードウェアの集積論理回路またはソフトウェアの形態での命令を用いて完了されることがある。プロセッサ１７１０は、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）または別のプログラマブルロジックコンポーネント、個別のゲートロジックコンポーネントまたはトランジスタロジックコンポーネント、もしくは個別のハードウェアコンポーネントであることがある。プロセッサ１７１０は、本発明の実施形態において開示されている方法、ステップ、および論理ブロック図を実装または実行することがある。汎用プロセッサはマイクロプロセッサであることがあり、またはプロセッサは任意の従来のプロセッサであることがある。本発明の実施形態を参照して開示された方法のステップは、ハードウェアデコーディングプロセッサを用いて直接実行および完了されることがあり、またはデコーディングプロセッサにおいてハードウェアモジュールとソフトウェアモジュールの組み合わせを使用して実行および完了されることがある。ソフトウェアモジュールは、ランダムアクセスメモリ（Ｒａｎｄｏｍ  Ａｃｃｅｓｓ  Ｍｅｍｏｒｙ、ＲＡＭ）、フラッシュメモリ、読み取り専用メモリ（Ｒｅａｄ−Ｏｎｌｙ  Ｍｅｍｏｒｙ、ＲＯＭ）、プログラマブル読み取り専用メモリ、電気的消去可能プログラマブルメモリ、またはレジスタなどの、従来技術における成熟した記憶媒体に配置されることがある。記憶媒体は、メモリ１７２０に配置され、プロセッサ１７１０はメモリ１７２０内の情報を読み取り、メモリ１７２０内のハードウェアを参照して前述の方法のステップを完了する。バスシステム１７３０は、データバスを含むことに加えて、電源バス、制御バス、状態信号バス、および同様のものをさらに含むことがある。ただし、図では説明を明確にするために、さまざまなバスがバスシステム１７３０として示されている。
【０３７１】
任意選択で、別の実施形態として、トランシーバ１７４０が、ユーザ機器に関する情報を登録するために使用される第１の登録メッセージをリセット中央サーバに送信するようにさらに構成され、第１の登録メッセージがユーザ機器のＩＰアドレスおよびユーザ機器の識別子を含む。
【０３７２】
任意選択で、別の実施形態として、トランシーバ１７４０が、ユーザ機器に関する情報を登録するために使用される第１の登録メッセージを、選択ポリシーに従ってリセット中央サーバに送信し、選択ポリシーが、ユーザ機器の、ＩＭＳ  ＡＰＮのＰＤＮ接続に関する情報を登録すること、またはＶＩＰのＰＤＮ接続に関する情報を登録することを含む。
【０３７３】
任意選択で、別の実施形態として、第１の登録メッセージが、ＰＤＮ接続に対応するアクセスポイント名ＡＰＮをさらに含み、第１のメッセージがＡＰＮをさらに含む。
【０３７４】
任意選択で、別の実施形態として、プロセッサ１７１０が、データゲートウェイがリセットされることを決定するようにさらに構成され、ダウンリンクデータパケットが信頼されるＡＰＮからのものであることを決定し、ダウンリンクデータパケットのヘッダ内のユーザ機器のＩＰアドレスを決定し、第１の識別情報がユーザ機器のＩＰアドレスを含む。
【０３７５】
任意選択で、別の実施形態として、プロセッサ１７１０が、サービングゲートウェイがリセットされることを決定し、ダウンリンクデータパケットに対応するユーザ機器のＰＤＮ接続のコンテキストを問い合わせることによって、ダウンリンクデータパケットに対応するユーザ機器の識別子を決定し、ユーザ機器の識別子に従って第１のメッセージを決定するようにさらに構成され、第１の識別情報がユーザ機器の識別子を含む。
【０３７６】
任意選択で、別の実施形態として、第１のメッセージがリセット指示をさらに含み、リセット指示が、サービングゲートウェイがリセットされることを表すか、またはサービングゲートウェイによってデータゲートウェイに送信されたエラー指示メッセージを表し、エラー指示メッセージが、サービングゲートウェイがリセットされることを表す。
【０３７７】
任意選択で、別の実施形態として、ユーザ機器の識別子は、ユーザ機器の国際移動体加入者識別番号ＩＭＳＩ、移動局国際ＩＳＤＮ番号ＭＳＩＳＤＮ、または国際移動体装置識別番号ＩＭＥＩの少なくとも１つを含む。
【０３７８】
本明細書における用語「および／または」は、関連付けられた対象を説明するための相関関係のみを表しており、３つの関係が存在することがあることを表している。例えば、Ａおよび／またはＢは、Ａのみが存在する、ＡとＢの両方が存在する、およびＢのみが存在するという３つのケースを表してよい。加えて、本明細書における「／」という文字は、関連付けられた対象間の「または」の関係を通常は示している。
【０３７９】
本発明のさまざまな実施形態において、前述の処理の連続番号が実行順序を意味していないと理解されるべきである。処理の実行順序は、処理の機能および内部論理に従って決定される必要があり、本発明の実施形態の実装処理に対する制限と解釈されるべきではない。
【０３８０】
一般的な当業者は、本明細書で開示された実施形態において説明された例と組み合わせて、ユニットおよびアルゴリズムステップが、電子的ハードウェアまたはコンピュータソフトウェアと電子的ハードウェアの組み合わせによって実装されることがあることに気付くことがある。各機能がハードウェアまたはソフトウェアのどちらで実行されるかは、技術的解決策の特定の適用および設計制約条件によって決まる。当業者は、特定の適用ごとに異なる方法を用いて、説明された機能を実装することがあるが、その実装が本発明の範囲を越えると見なされるべきではない。
【０３８１】
説明を簡便かつ簡単にする目的で、前述のシステム、装置、およびユニットの詳細な動作処理に関して、前述の方法の実施形態における対応する処理に対する参照が行われることがあり、詳細については本明細書で再度説明されないということが、当業者によって明確に理解されてよい。
【０３８２】
本出願において提供されている複数の実施形態では、開示されたシステム、装置、および方法が、他の方法で実装されることがあると理解されるべきである。例えば、説明された装置の実施形態は、単なる例である。例えば、ユニット分割は、単に論理的機能分割であり、実際の実装では他の分割になることがある。例えば、複数のユニットまたはコンポーネントが別のシステムに結合または統合されることがあり、もしくは一部の機能が無視されるか、実行されないことがある。加えて、示されたか説明された相互結合、または直接的結合、または通信接続は、何らかのインターフェイスを使用して実装されることがある。装置間またはユニット間の間接的結合または通信接続は、電子的、機械的、またはその他の形態で実装されることがある。
【０３８３】
別々の部分として説明されたユニットは、物理的に分かれていても分かれていなくてもよく、ユニットとして示された部分は、物理的ユニットであってもなくてもよく、１つの位置に配置されることがあり、または複数のネットワークユニットに分散されることがある。実施形態の解決策の目的を達成するために、実際の必要性に応じてユニットの一部または全部が選択されることがある。
【０３８４】
加えて、本発明の実施形態における機能ユニットは、１つのプロセッシングユニットに統合されることがあり、または各ユニットが物理的に単独で存在することがあり、または２つ以上のユニットが１つのユニットに統合される。
【０３８５】
各機能がソフトウェア機能ユニットの形態で実装され、独立した製品として販売または使用される場合、各機能はコンピュータ可読記憶媒体に格納されることがある。そのような理解に基づいて、本発明の技術的解決策の本質的部分または従来技術に貢献する部分または技術的解決策の一部を、ソフトウェア製品の形態で実装することがある。そのソフトウェア製品は、記憶媒体に格納され、本発明の実施形態に記載された方法のステップの全部または一部を実行するようにコンピュータデバイス（パーソナルコンピュータ、サーバ、またはネットワークデバイスであることがある）に指示するための複数の命令を含む。前述の記憶媒体は、ＵＳＢフラッシュドライブ、取り外し可能なハードディスク、読み取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなどの、プログラムコードを格納することができる任意の媒体を含む。
【０３８６】
前述の説明は、単に本発明の特定の実装方法であるが、本発明の保護の範囲を制限することは意図されていない。本発明において開示された技術的範囲内で当業者によって容易に考え出された任意の変形または置換は、本発明の保護の範囲にあるものとする。したがって、本発明の保護の範囲は、特許請求の保護の範囲の対象になるものとする。
【図１】
0006368859.tif 000002
【図２】
0006368859.tif 000003
【図３】
0006368859.tif 000004
【図４】
0006368859.tif 000005
【図５】
0006368859.tif 000006
【図６】
0006368859.tif 000007
【図７】
0006368859.tif 000008
【図８】
0006368859.tif 000009
【図９】
0006368859.tif 000010
【図１０】
0006368859.tif 000011
【図１１】
0006368859.tif 000012
【図１２】
0006368859.tif 000013
【図１３】
0006368859.tif 000014
【図１４】
0006368859.tif 000015
【図１５】
0006368859.tif 000016
【図１６】
0006368859.tif 000017
【図１７】
0006368859.tif 000018